(57)【要約】  【課題】  カートリッジをアダプタに装着する際、カートリッジの上下方向への動きをしっかりと規制できるカートリッジを提供する。  【解決手段】  カートリッジ１０１０のハウジングの両側面の各々の、当該側面の中央よりハウジングの背面側の位置には、カートリッジ１０１０を所定位置に固定するためのＣ字状部材１５９の上端が挿入される溝１０１４及び１０１５が形成される。溝１０１４は、Ｃ字状部材１５９の上端の高さ及び幅よりそれぞれ大きな所定の高さ及び所定の幅を持って形成される。溝１０１５は、溝１０１４に連続して、Ｃ字状部材１５９の上端の高さより大きく、溝１０１４の高さよりも小さな高さで、かつ所定の幅を持って形成される。【選択図】  図１０８
2011101822.tif 000002
【特許請求の範囲】
【請求項１】
外部機器と接続されるアダプタに装着されるカートリッジにおいて、
前記カートリッジのハウジングの両側面の各々の、当該側面の中央より前記ハウジングの背面側の位置には、前記カートリッジを所定位置に固定するためのロック部材の一部が挿入される第１のロック溝が形成されており、
前記第１のロック溝は、前記ロック部材の前記一部の高さ及び幅よりそれぞれ大きな所定の高さ及び所定の幅を持って形成された長方形状の第１の溝と、前記第１の溝に連続して、前記ロック部材の前記一部の前記高さより大きく、前記第１の溝の前記所定の高さよりも小さな高さで、かつ所定の幅を持って形成された長方形状の第２の溝とから構成されることを特徴とするカートリッジ。
【請求項２】
前記ハウジングの両側面の各々の、当該側面の中央に関し前記第１のロック溝と対称な位置には、それぞれ前記カートリッジを前記所定位置に固定するための前記ロック部材の前記一部が挿入可能な第２のロック溝が形成されており、前記第２のロック溝の高さ及び位置は、前記カートリッジが前後逆の姿勢で前記所定位置に固定された場合にも、前記ロック部材の前記一部が前記第２のロック溝の内部に進入するような位置に選ばれている、請求項１に記載のカートリッジ。
【請求項３】
前記第１のロック溝及び前記第２のロック溝の各々の位置及び形状は、前記カートリッジが上下逆の姿勢で前記所定位置に向けて挿入された場合にも、前記ロック部材の前記一部が前記第１のロック溝あるいは前記第２のロック溝に進入するように選ばれている、請求項２に記載のカートリッジ。
【請求項４】
前記アダプタのコネクタと接続されるコネクタと、
前記コネクタの、接続端子が設けられる開口部内に配置され、塵埃が前記開口部から前記カートリッジ内部に侵入することを防止するための塵埃侵入防止部材と、を含む請求項１から３のいずれかに記載のカートリッジ。
【請求項５】
前記ハウジングは、
中空でかつ一方面に開口が形成されたハウジング本体と、
前記ハウジング本体の前記開口の大部分を覆う形状に形成され、かつ前記開口を覆う位置で前記ハウジングに仮止めされる天板と、
前記仮止めされた天板を前記ハウジング本体に固定するように、前記ハウジング本体の前記開口のうち、前記天板により覆われていない部分を通して前記ハウジングの内部の所定部分に引っ掛け固定される、突出した爪部を有する固定部材と、を含む請求項１から４のいずれかに記載のカートリッジ。
【請求項６】
前記ハウジング本体には、前記ハウジングの内部の前記所定部分に前記固定部材の前記爪部が引っ掛け固定された際に、当該爪部分を前記所定部分から取り外すための部材を挿入可能な開口が形成されている、請求項５に記載のカートリッジ。
【請求項７】
前記ハウジングの内面には、複数の固定部が、１又はいくつかの前記固定部を選択することによって、互いに機能上対応するが大きさが異なる所定部材のいずれでも固定できるような複数の位置に形成されている、請求項１から６のいずれかに記載のカートリッジ。
【発明の詳細な説明】
【技術分野】
【０００１】
本発明は、アダプタ、そのアダプタに装着されるカートリッジ、及び、その関連技術、に関する。
【背景技術】
【０００２】
実開昭６０−５２８８５号公報（以下、特許文献１と呼ぶ）の図１、図５には、次のようなゲーム装置本体及びそれに用いるゲームカートリッジが開示されている。ゲームカートリッジの内部には、プリント基板が設けられる。このプリント基板上には、単一のＬＳＩ（ｌａｒｇｅ  ｓｃａｌｅ  ｉｎｔｅｇｒａｔｅｄ  ｃｉｒｃｕｉｔ）チップが固定される。このＬＳＩチップは、ゲームプログラムを内蔵したメモリ、及び、各種処理を実行するＣＰＵ（ｃｅｎｔｒａｌ  ｐｒｏｃｅｓｓｉｎｇ  ｕｎｉｔ）、を一体にしたものである。また、このＬＳＩチップは、アドレス及びデータの入出力、キー（操作レバー及び押しボタン等）の操作、ＶＤＧ（ｖｉｄｅｏ  ｄｉｓｐｌａｙ  ｇｅｎｅｒａｔｏｒ）制御信号、並びに、オーディオ信号、等の各種ポートを備える。
【０００３】
一方、ゲーム装置本体は、テレビジョン受像機のアンテナ端子に接続される。ゲーム装置本体の上面左側端部には、アーチ状のグリップが設けられる。このグリップの上面には、押しボタンが設けられる。この押しボタンは、ゲームスタート、ゲームモードセレクト、及び、発射ボタン、等として使用される。プレイヤは、左手でグリップを握りつつ、この押しボタンを操作できる。
【０００４】
また、ゲーム装置本体の上面右側寄りには、前側に操作レバーが、後側にカートリッジ挿入部が、それぞれ設けられる。操作レバーは、前後左右に傾倒する。操作レバーのレバーグリップの左側部には、押しボタンが設けられる。プレイヤは、右手でレバーグリップを握りつつ押しボタンを操作できる。この押しボタンは、アーチ状グリップの押しボタンのスイッチ機能以外のスイッチ機能を備える。カートリッジ挿入部は、長方形の挿入口、及び、ゲームカートリッジの先端で押し広げられる弾性支持された一対の蓋板、からなる。
【０００５】
さらに、ゲーム装置の上面で、グリップと操作レバーとの間には、電源スイッチ、ポーズボタン、及び、ランプ、が配設される。
【０００６】
次に、ゲーム装置本体の回路構成を説明する。ゲーム装置本体は、上記メモリ及びＣＰＵ以外の機能素子を内蔵する。具体的には、このゲーム装置は、デコーダ、ビデオＲＡＭ（ｒａｎｄｏｍ  ａｃｃｅｓｓ  ｍｅｍｏｒｙ）、モードセレクトラッチ、ＶＤＧ、アドレスラッチ、アドレスドライバ、バストランシーバ、サウンドモジュレータ、ビデオモジュレータ、ローパスフィルタ、高周波発振器、及び、各種キー、を備える。
【０００７】
デコーダは、ビデオＲＡＭのアクセスとモードセレクトラッチの操作とをコントロールする。ビデオＲＡＭは、ゲームカートリッジのメモリから転送されたデータを記憶し、さらに、ＶＤＧへ転送する。モードセレクトラッチは、ＶＤＧのモード選択用で、デコーダからの情報でモードを固定する。アドレスラッチは、アドレス情報とデータとを分離するためのラッチである。
【０００８】
アドレスドライバは、アドレスの読み書き用で、ビデオＲＡＭのアクセス時に制御される。バストランシーバは、リード／ライト信号によりデータの送受信を行なうとともに、クロックに同期してビデオＲＡＭのアクセス時のタイミングをとる。ＶＤＧは、設定されたディスプレイモードに従って、ビデオＲＡＭのデータによってビデオ信号を生成する。
【０００９】
このディスプレイモードは、６４ ×
３２ドットのセミグラフィックスと８カラー、６４ × ６４ドットのグラフィックスと４カラー、及び、１２８ × ６４ドットのグラフィックスと２カラー、等の種々の画面表示特性から選択できる。このようなディスプレイモードの設定は、ゲームカートリッジのＣＰＵが行なう。
【００１０】
サウンドモジュレータは、ＣＰＵからの信号を合成し、テレビジョン音声信号である４．５ＭＨｚにて変調し、ＦＭ信号化する。ビデオモジュレータは、ＶＤＧからの信号を高周波発振器にてＲＦ振幅変調し、テレビジョン（ＮＴＳＣ）信号のＣＨ１及びＣＨ２を作り出し、ローパスフィルタを介して、テレビジョンへ供給する。
【００１１】
以上のような回路構成により、ゲームカートリッジのメモリに格納されたゲームプログラムによって、所定のゲーム内容が設定されるとともに、ゲームカートリッジのＣＰＵによってＶＤＧが制御されて、テレビジョン画面上の色の種類や画質（表示ドット数）等が設定される。
【００１２】
ただし、上記のように、ゲームカートリッジのＣＰＵは、画像表示機能を有さず、画像表示機能を有するＶＤＧは、ゲーム装置本体に内蔵されている。つまり、ゲームカートリッジのＣＰＵには、映像信号を生成する機能はない。
【００１３】
以上のように、特許文献１の従来技術では、ゲームカートリッジに、メモリ及びＣＰＵを内蔵しているため、ゲーム内容のみならず、色の種類や表示画面のドット数等の表示特性についても、ゲームカートリッジごとに任意に変更できる。また、メモリとＣＰＵとは、単一のチップ素子として製造でき、大量生産しうるので、ゲームカートリッジ及びゲーム装置のトータルコストの低減に寄与できる。
【００１４】
ところが、特許文献１のように、ゲームカートリッジにＣＰＵ及びメモリを内蔵するという技術は、現在では姿を消している。詳しくは次の通りである。特許文献１の技術が開示された頃から現在に至るまで、テレビゲーム業界でもコンピュータ業界と同様に、より高機能のハードウエア及びソフトウエアの開発に力が注がれている。テレビゲーム業界では、特に、よりリアルな３次元画像をテレビジョンモニタに表示するというグラフィック機能の強化に力が注がれている。それ故に、回路規模も増大し、テレビゲーム装置本体にＣＰＵ等の全てのハードウエアを搭載して、容量が大きくなったゲームプログラムや画像データ等については、ＣＤ−ＲＯＭ（ｃｏｍｐａｃｔ  ｄｉｓｃ−ｒｅａｄ  ｏｎｌｙ  ｍｅｍｏｒｙ）で提供されている。しかも、現在のテレビゲーム業界では、ゲーム装置に、ＤＶＤ（ｄｉｇｉｔａｌ  ｖｅｒｓａｔｉｌｅ  ｄｉｓｃ）の再生機能やテレビ番組の録画機能を持たせる等、家庭電化製品（特に、オーディオビジュアル製品）としての機能を盛り込むという傾向がある。
【００１５】
従って、このような現在のテレビゲーム業界の実情に照らせば、ＣＰＵ及びメモリの双方をカートリッジに内蔵するという特許文献１の技術は、当業者にとって、技術開発の基礎にはなりえない。
【００１６】
さて、特許文献１は、テレビゲーム業界の実情に触れた。次に、パーソナルコンピュータ業界の技術を紹介する。特開平６−２８９９５３号公報（以下、特許文献２と呼ぶ）の図１、図３には、次のような、携帯可能なパーソナルプロセッサモジュールが開示されている。
【００１７】
このパーソナルプロセッサモジュールは、プロセッサ、メモリ、及び、ハードディスク、を備える。そして、このパーソナルプロセッサモジュールは、ドッキングステーションに接続される。そして、ドッキングステーションは、モニタ及びキーボード等の周辺機器に接続される。このようにして、パーソナルプロセッサモジュール、ドッキングステーション、及び、モニタ等の周辺機器、でパーソナルコンピュータが構成される。
【００１８】
パーソナルコンピュータ業界が、上記のテレビゲーム業界と異なる点の一つは、パーソナルコンピュータには、汎用性（どのような使用目的のユーザに対しても対応可能であること）が要求され、テレビゲーム装置には、それが要求されない点である。ただし、双方に共通して、家庭電化製品（特に、オーディオビジュアル製品）の機能を盛り込もうとする傾向がある。
【先行技術文献】
【特許文献】
【００１９】
【特許文献１】実開昭６０−５２８８５号公報
【特許文献２】特開平６−２８９９５３号公報
【発明の概要】
【発明が解決しようとする課題】
【００２０】
ところで、テレビゲーム装置やパーソナルコンピュータは、多くの消費者に受け入られている。しかし、これらとはコンセプトが異なる製品を提供できれば、企業にとって、大きな経済的利益を得ることができる可能性も大きい。
【００２１】
そこで、本発明は、テレビジョン受像機をコンピュータに接続して、種々の目的に適合させることができるアダプタ及びその関連技術を提供することを目的とする。
【００２２】
また、本発明の他の目的は、テレビジョン受像機を種々の目的に適合させるためのアダプタに装着して、テレビジョン受像機を所定の目的に適合させるカートリッジ及びその関連技術を提供することである。
【課題を解決するための手段】
【００２３】
本発明の第１の局面に係るアダプタは、プログラム及びデータを格納するメモリ、並びに、前記プログラムに従って、前記データに演算処理を施して、テレビジョン受像機が表示できる形式の映像信号及び前記テレビジョン受像機が出力できる形式の音声信号を生成するコンピュータ、を内蔵するカートリッジが装着され、かつ、前記テレビジョン受像機に接続されるアダプタであって、前記コンピュータから前記映像信号を入力する第１の映像信号入力端子と、前記コンピュータから前記音声信号を入力する第１の音声信号入力端子と、前記コンピュータから入力された前記映像信号を前記テレビジョン受像機に出力する映像信号出力端子と、前記コンピュータから入力された音声信号を前記テレビジョン受像機に出力する音声信号出力端子と、前記第１の映像信号入力端子から与えられる前記映像信号を前記映像信号出力端子に与える第１の内部回路と、前記第１の音声信号入力端子から与えられる前記音声信号を前記音声信号出力端子に与える第２の内部回路と、を備える。
【００２４】
このアダプタによれば、当該アダプタの映像信号出力端子及び音声信号出力端子を、それぞれ、テレビジョン受像機の映像信号入力端子及び音声信号入力端子に接続して、当該アダプタにカートリッジを装着するだけで、コンピュータが生成した映像信号及び音声信号を簡易にテレビジョン受像機に送信できる。従って、テレビジョン受像機は、コンピュータが生成した映像信号に応じた映像を表示できるとともに、コンピュータが生成した音声信号に応じた音声を出力できる。
【００２５】
このように、当該アダプタを使用することにより、テレビジョン受像機に簡易にコンピュータを接続できる。従って、テレビジョン受像機を簡易に、カートリッジに内蔵されたメモリに格納されたプログラムの目的に適合させることができる。しかも、当該アダプタに装着したカートリッジを付け替えるだけで、テレビジョン受像機を種々の目的に適合させることができる。
【００２６】
また、テレビジョン受像機のように、普及率が高く、誰もが所有しているものを、コンピュータに簡易に接続できるこのアダプタは、ユーザの経済的負担の軽減に寄与できるし、また、ユーザは手軽にコンピュータを利用できる。
【００２７】
ちなみに、パーソナルコンピュータは、本体だけではコンピュータとして機能せず、モニタ等の周辺機器が必要であり、ユーザは、これら全てを揃える必要があり、パーソナルコンピュータの低価格化が進んだとはいえ、必ずしも手軽にコンピュータを利用できるとは言えない。また、パーソナルコンピュータをモニタに接続する場合には、一般に、専用ドライバのインストールが必要となり、面倒であるが、当該アダプタは、テレビジョン受像機に接続されるため、ドライバのインストール作業は不要であり、ユーザの利便性の向上を図れる。さらに、パーソナルコンピュータは、汎用性を持たせるために数多くの機能が盛り込まれており、ユーザにとって不要な機能も多くなり、煩わしくもあるし、また、価格も高くなる。これに対して、ユーザは、このアダプタを所有していれば、テレビジョン受像機を自分の目的に適合させることができるカートリッジだけを購入すればよいので、ユーザにとって不要な機能が盛り込まれることはほとんどないし、煩わしさを削減できる。
【００２８】
さらに、コンピュータがこのアダプタに出力する映像信号及び音声信号は、テレビジョン受像機が表示及び出力できる形式の信号であるため、コンピュータのアップグレードや変更等が行なわれた場合でも、当該アダプタの機能の拡張や変更は不要であり、ユーザは、当該アダプタを継続して使用できる。つまり、コンピュータのアップグレードや変更等が行なわれた場合でも、ユーザは、当該アダプタをそのまま使用でき、ハードウエア及びソフトウエアの拡張や変更等を何ら意識することなく、アップグレードや変更等が行なわれたコンピュータを内蔵するカートリッジを、当該アダプタに装着するだけで、これまで通りの使用が可能となる。以上の結果、ユーザの利便性の向上及び経済的負担の軽減を図ることができ、ひいては、カートリッジの広い普及を図ることができる。
【００２９】
ちなみに、特許文献１に開示されているゲーム装置では、ゲーム装置本体に、映像信号を生成するＶＤＧを搭載しているので、ゲームカートリッジに搭載したＣＰＵのアップグレードや変更等が行なわれた場合は、それに応じて、ゲーム装置本体も機能の拡張や変更が必要になる。その結果、特許文献１のゲーム装置では、ユーザは、ゲーム装置本体及びゲームカートリッジの双方を購入する必要があり、経済的負担が大きくなるばかりでなく、ゲーム装置本体の仕様や操作方法も変更され、煩わしさも大きくなる。この点、特許文献２に開示されているパーソナルコンピュータについても同様のことが言える。なぜなら、ドッキングステーション側に、映像信号を生成する表示制御回路が備えられるからである。
【００３０】
さらに、このアダプタには、テレビジョン受像機が、表示及び出力できる形式の映像信号及び音声信号を入力するようにしているので、これらの信号を出力できるようなコンピュータであれば、当該アダプタに適用できるので、カートリッジに内蔵するコンピュータのハードウエア及びソフトウエア構成は、設計者の自由であり、各目的に応じて自由に設計できる。このように、従来から存在するパーソナルコンピュータやゲーム装置と異なり、カートリッジに搭載するハードウエア及びソフトウエアが、プラットホームに拘束されるという不都合を極力排除できる。
【００３１】
ちなみに、従来から存在するパーソナルコンピュータでは、プラットホーム（例えば、オペレーティングシステム）ごとにアプリケーションソフトウエアを設計しなければならず、開発側のコストが増大する。また、従来から存在するゲーム装置も同様に、プラットホーム（例えば、ゲーム装置本体）ごとにゲームプログラムを設計しなければならない。
【００３２】
さらに、このアダプタには、特定目的に応じたプログラムを搭載したカートリッジが装着される。このため、汎用性が要求される特許文献２のパーソナルプロセッサモジュールのように、ハードディスクを搭載する必要がなく、また、コンピュータに要求する能力を抑制できる。その結果、当該アダプタに装着するカートリッジのコストを、汎用性を持たせたパーソナルプロセッサモジュールより低く抑えることができる。
【００３３】
好ましくは、アダプタは、外部から供給された外部電源電圧を元に、内部電源電圧を発生する内部電源電圧発生回路と、前記内部電源電圧発生回路が発生した前記内部電源電圧を前記コンピュータに供給する電源出力端子と、をさらに備える。
【００３４】
このアダプタによれば、装着されるカートリッジに内蔵されるコンピュータその他の回路の動作に必要な電源電圧をアダプタから供給できるので、カートリッジに電源回路を設ける必要がない。よって、カートリッジのコスト削減を図ることができる。一方、アダプタのコストは高くなるが、アダプタは普遍的に使用できるものであるため、目的に応じて頻繁に購入されるカートリッジのコストを削減することの経済効果のほうが大きい。
【００３５】
さらに好ましくは、前記内部電源電圧発生回路は、異なるレベルの複数の内部電源電圧を発生し、前記電源出力端子は、異なるレベルの前記複数の内部電源電圧を前記コンピュータにそれぞれ供給する複数個の出力用端子を有する。
【００３６】
このアダプタによれば、様々な電源仕様のカートリッジを使用できるので、カートリッジの設計の自由度を高くできる。
【００３７】
より好ましくは、アダプタは、外部からの映像信号を入力する第２の映像信号入力端子と、外部からの音声信号を入力する第２の音声信号入力端子と、第１の接点、第２の接点、及び、第３の接点、を有する第１のスイッチ回路と、第４の接点、第５の接点、及び、第６の接点、を有する第２のスイッチ回路と、第７の接点、第８の接点、及び、第９の接点、を有する第３のスイッチ回路と、をさらに備え、前記第１の接点は、前記映像信号出力端子に接続され、前記第４の接点は、前記音声信号出力端子に接続され、前記第７の接点は、前記外部電源電圧が供給される第１のラインに接続され、前記第２の接点は、前記第１の映像信号入力端子に接続される第２のラインに接続され、前記第５の接点は、前記第１の音声信号入力端子に接続される第３のラインに接続され、前記第８の接点は、前記内部電源電圧発生回路に接続される第４のラインに接続され、前記第３の接点は、前記第２の映像信号入力端子に接続され、前記第６の接点は、前記第２の音声信号入力端子に接続され、前記第９の接点は、ハイインピーダンス状態にされ、前記第７の接点と前記第８の接点とが接続されたときに、前記第１の接点と前記第２の接点が接続され、かつ、前記第４の接点と前記第５の接点とが接続され、前記第７の接点と前記第９の接点とが接続されたときに、前記第１の接点と前記第３の接点が接続され、かつ、前記第４の接点と前記第６の接点とが接続される。
【００３８】
このアダプタによれば、カートリッジに電源電圧を供給する必要がないとき、つまり、カートリッジを使用しないときは、第３のスイッチ回路の第７の接点と第９の接点が接続されて、外部電源電圧が供給される第１のラインがハイインピーダンス状態にされる。一方、第１のスイッチ回路の第１の接点と第３の接点とが接続されて、映像信号出力端子と第２の映像信号入力端子とが接続され、また、第２のスイッチ回路の第４の接点と第６の接点とが接続されて、音声信号出力端子と第２の音声信号入力端子とが接続される。従って、カートリッジを使用しないときは、外部機器から入力された映像信号及び音声信号を、テレビジョン受像機に出力できる。よって、アダプタの利用の幅が広がる。また、テレビジョン受像機にアダプタを常時接続しておくユーザも存在すると考えられるが、この場合に、テレビジョン受像機の入力端子が不足することを解消できる。つまり、アダプタに、第２の映像信号入力端子及び第２の音声信号入力端子を設けているため、アダプタをテレビジョン受像機の入力端子に接続した場合でも、全体的には、入力端子の数は減らない。
【００３９】
アダプタは、棒状部材をさらに備えてもよく、前記第１のスイッチ回路、前記第２のスイッチ回路、及び、前記第３のスイッチ回路、はスイッチユニットを構成し、前記棒状部材を前記スイッチユニットに接触させて、前記スイッチユニットの開閉を行う。
【００４０】
このアダプタによれば、配線を簡素化できるので、製造コストの低減及び信頼性の向上を図ることができる。詳細には次の通りである。ユーザの便宜及び外観を考えると、人間が操作する電源ボタンは、アダプタの正面側に設け、各種端子は、アダプタの背面側に設けることが一般的と考えられる。そして、スイッチユニットは、電源のオン／オフだけでなく、各端子間の接続／非接続をも司っている。従って、スイッチユニットをアダプタの正面側に配置すれば、アダプタの背面側から正面側へ多くの配線が必要となる。一方、棒状部材をスイッチユニットに接触させて、スイッチユニットの開閉を行なうことにすれば、スイッチユニットをアダプタの背面側に配置しながらも、アダプタの正面側から、スイッチユニットの開閉を行なうことができる。よって、複雑な配線が不要となる。ひいては、ノイズ等による悪影響をも抑制できる。
【００４１】
好ましくは、アダプタは、外部から供給された交流電源電圧を直流電源電圧に変換し前記内部電源電圧発生回路に与えるＡＣ／ＤＣコンバータをさらに備える。
【００４２】
このアダプタによれば、交流電源電圧を内部で直流電源電圧に変換するため、外部のＡＣアダプタから直流電源電圧の供給を受ける場合と異なり、ユーザが誤って極性の異なるＡＣアダプタを接続するという事態が発生することはなく、よって、信頼性の向上を図ることができる。
【００４３】
さらに好ましくは、アダプタは、所定周波数のクロック信号を発振するクロック発振回路と、前記クロック信号を前記コンピュータに与えるためのクロック信号出力端子とをさらに備える。
【００４４】
このアダプタによれば、装着されるカートリッジに内蔵されるコンピュータその他の回路の動作に必要なクロック信号をアダプタから供給できるので、カートリッジにクロック発振回路を設ける必要がない。よって、カートリッジのコスト削減を図ることができる。一方、アダプタのコストは高くなるが、アダプタは普遍的に使用できるものであるため、目的に応じて頻繁に購入されるカートリッジのコストを削減することの経済効果のほうが大きい。
【００４５】
より好ましくは、アダプタは、外部から供給された外部電源電圧を元に、異なるレベルの複数の内部電源電圧を発生する内部電源電圧発生回路と、所定周波数のクロック信号を発振するクロック発振回路と、前記クロック信号を前記コンピュータに与えるためのクロック信号出力端子とをさらに備え、前記内部電源電圧発生回路は、生成した異なるレベルの前記複数の内部電源電圧のうち、最大レベルの内部電源電圧を前記クロック発振回路に供給する。
【００４６】
このアダプタによれば、最大レベルの内部電源電圧によりクロック信号を生成するので、大きい振幅のクロック信号を要求するカートリッジであっても、対応可能となって、カートリッジの設計の自由度が大きくなる。一方、小さい振幅のクロック信号を要求するカートリッジについては、カートリッジに、クロック信号の振幅を変更できる回路を設けることで対応できる。
【００４７】
前記第２の内部回路は、前記コンピュータから入力された前記音声信号の周波数特性を補正して前記音声信号出力端子に与えるための周波数特性補正回路をさらに備えてもよい。
【００４８】
このアダプタによれば、周波数特性を補正するので、より音質の良い音声信号をテレビジョン受像機に出力できる。しかも、カートリッジに周波数特性補正機能を設けないので、カートリッジのコストを低減できる。一方、アダプタのコストは高くなるが、アダプタは普遍的に使用できるものであるため、目的に応じて頻繁に購入されるカートリッジのコストを削減することの経済効果のほうが大きい。
【００４９】
好ましくは、アダプタは、外部からの赤外線信号を受信して電気信号に変換するための赤外線信号受信回路と、前記赤外線信号受信回路からの電気信号を前記コンピュータに与えるための端子とをさらに備える。
【００５０】
このアダプタによれば、受信した赤外線信号をカートリッジに与えることができる。従って、赤外線信号の情報を使用するプログラムをメモリに格納でき、カートリッジに搭載できるアプリケーションの幅が広がる。
【００５１】
さらに好ましくは、アダプタは、ドーナツ状のレンズをさらに備え、前記レンズは、前記赤外線受信回路の受光部と対向して配置される。
【００５２】
このアダプタによれば、ドーナツ状のレンズにより広い角度の方向から赤外光を集光できるので、赤外線受信回路の受光範囲を拡大できる。
【００５３】
より好ましくは、このレンズは、前記赤外線受信回路の前記受光部への光路上に配置される赤外線フィルタと一体となって形成される。
【００５４】
このアダプタによれば、赤外線フィルタの取付が、レンズの取付に該当するので、工程の削減を図ることができる。
【００５５】
好ましくは、アダプタは、所定数のスイッチ回路と、前記所定数のスイッチ回路から、パラレルに入力されるオン／オフ信号をシリアル信号に変換するパラレル／シリアル変換回路と、をさらに備え、前記パラレル／シリアル変換回路の入力端子の数は、前記所定数より多い。
【００５６】
このアダプタによれば、パラレル／シリアル変換回路の残りの入力端子を使用できるので、新たに入力を追加できて、拡張性の向上を図ることができる。
【００５７】
本発明の第２の局面に係るカートリッジは、上記した第１の局面に係るアダプタに装着されるカートリッジであって、プログラム及びデータを格納するメモリと、前記プログラムに従って、前記データに演算処理を施して、テレビジョン受像機が表示できる形式の映像信号及び前記テレビジョン受像機が出力できる形式の音声信号を生成するコンピュータと、を備える。
【００５８】
このカートリッジによれば、第１の局面に係るアダプタと同様の効果を奏する。
【００５９】
好ましくは、カートリッジは、被写体を撮像し、撮像された画像信号を前記コンピュータに与える撮像ユニットをさらに備える。
【００６０】
このカートリッジによれば、撮影した被写体の映像を使用するプログラムをメモリに格納でき、カートリッジに搭載できるアプリケーションの幅が広がる。
【００６１】
本発明の第３の局面に係るカートリッジは、プログラム及びデータを格納するメモリと、前記プログラムに従って、前記データに演算処理を施して、テレビジョン受像機が表示できる形式の映像信号及び前記テレビジョン受像機が出力できる形式の音声信号を生成するコンピュータと、前記クロック発振回路が出力した前記クロック信号の振幅を変更するクロック振幅変更回路と、を備える。
【００６２】
このカートリッジによれば、アダプタから入力されるクロック信号の振幅が、カートリッジが要求する振幅でないときでも、対応可能となる。
【００６３】
本発明の第４の局面に係るコンピュータシステムは、プログラム及びデータを格納するメモリ、並びに、前記プログラムに従って、前記データに演算処理を施して、テレビジョン受像機が表示できる形式の映像信号及び前記テレビジョン受像機が出力できる形式の音声信号を生成するコンピュータ、を内蔵するカートリッジと、前記カートリッジが装着され、かつ、前記テレビジョン受像機に接続されるアダプタと、を備え、前記アダプタは、前記コンピュータから前記映像信号を入力する映像信号入力端子と、前記コンピュータから前記音声信号を入力する音声信号入力端子と、前記コンピュータから入力された前記映像信号を前記テレビジョン受像機に出力する映像信号出力端子と、前記コンピュータから入力された音声信号を前記テレビジョン受像機に出力する音声信号出力端子と、前記映像信号入力端子から与えられる前記映像信号を前記映像信号出力端子に、前記音声信号入力端子から与えられる前記音声信号を前記音声信号出力端子に、それぞれ与える内部回路と、を含む。
【００６４】
このコンピュータシステムによれば、第１の局面に係るアダプタと同様の効果を奏する。
【００６５】
本発明の第５の局面に係るアダプタは、所定形式のコネクタを有する、所定機能を有するカートリッジが装着可能な、第１の接続端子及び第２の接続端子を含む複数個の接続端子を持つコネクタ部を有するカートリッジ装着部と、所定形式のプラグがそれぞれ装着可能な第１及び第２の信号出力端子と、前記第１の接続端子と前記第１の信号出力端子とを接続する第１の内部回路と、前記第２の接続端子と前記第２の信号出力端子とを接続する第２の内部回路とを含み、前記カートリッジから前記コネクタ及び前記コネクタ部を介して与えられる信号を、前記第１の接続端子及び前記第１の信号出力端子、並びに前記第２の接続端子及び前記第２の信号出力端子を介して外部機器に与える。
【００６６】
カートリッジから外部機器への信号の送信を、コネクタ部の第１及び第２の接続端子、並びに第１及び第２の信号出力端子によって中継できる。簡単な構成で、カートリッジからの信号を汎用的に外部機器に送信でき、カートリッジによる処理結果の出力先を、簡単な構成で柔軟に変えることができる。
【００６７】
好ましくは、前記カートリッジ装着部は、カートリッジを安定して保持可能なカートリッジ保持部と、前記カートリッジ保持部を所定方向に付勢するとともに、前記所定方向と反対側への前記カートリッジ保持部の移動量を規制するための付勢機構とを含み、前記コネクタ部は、カートリッジを保持した前記カートリッジ保持部を、前記所定方向と反対方向に、前記付勢機構により規制される位置まで押込んだときに前記カートリッジのコネクタと接続可能な位置に設けられている。
【００６８】
カートリッジをカートリッジ保持部に保持させ、所定方向に押込むことで、カートリッジのコネクタがアダプタのコネクタ部に接続可能な位置でカートリッジの動きが規制され停止する。従ってカートリッジのアダプタへの装着動作が簡単になる。
【００６９】
さらに好ましくは、カートリッジ保持部は所定形状の板状部材を含む。
【００７０】
所定形状の板状部材でカートリッジ保持部を構成するので、平板状のカートリッジを採用すると、当該カートリッジを安定にカートリッジ保持部で保持できる。またカートリッジのハンドリングと、カートリッジを所定方向に押込む操作も簡単となり、カートリッジをアダプタに簡単に装着できる。
【００７１】
より好ましくは、前記付勢機構により規制される位置まで前記カートリッジ保持部を押込んだときに、前記カートリッジ保持部に装着されているカートリッジを前記コネクタ部方向にスライドさせることにより、前記カートリッジのコネクタが前記カートリッジ装着部の前記コネクタ部に接続される。
【００７２】
カートリッジをカートリッジ保持部に装着し、押込んだ後、カートリッジ保持部に装着されているカートリッジをコネクタ部方向にスライドさせるという簡単な動作でカートリッジをコネクタに接続できる。
【００７３】
アダプタは、上面、底面、左右側面、前面及び背面を有する平板な直方体形状を有するハウジングを有し、かつ前記上面には前記カートリッジを収容可能な開口部が形成されており、前記カートリッジ装着部は、前記上面の前記開口部に配置されていてもよい。
【００７４】
カートリッジをアダプタのハウジング上面に置くことの結果として、カートリッジを装飾板に載せ、下方向に押込んだ後にスライドさせることにより、カートリッジをアダプタに装着できる。下方向にカートリッジを押込む操作は横方向に押込むような操作と比較して安定して確実に行なえる。そのため、カートリッジの装着動作を安定して確実に行なうことができる。また、一般的にカートリッジを単にその長手方向にスライドさせて装着部に装着する場合には、カートリッジを取外すための機構が必要となる。しかし、このように上から押しこんだ後にスライドさせるようにする場合には、取外しのための機構は特に必要とならない。また、上からカートリッジをアダプタの内部に押し込む構成とすることで、カートリッジの使用時にはその上面がアダプタの上部に露出する。従ってこのカートリッジの上面に種々の付加的な部品、例えばイメージセンサ、又は追加カートリッジを接続するためのコネクタ等を設けることが可能になる。その結果、このカートリッジで実現可能なアプリケーションの範囲をさらに広げることができる。
【００７５】
好ましくは、前記カートリッジ装着部は、前記上面の前記開口部内に配置される、カートリッジが載置される主表面を有する天板と、前記天板を上方向に付勢しながら、前記天板の前記主表面が前記ハウジングの前記上面と面一となるように前記天板支持するとともに、下方への前記天板の移動量を規制するための付勢機構とを含み、前記コネクタ部は、前記コネクタが所定の方向を向くように載置されたカートリッジを、前記底面方向に、前記付勢機構により規制される位置まで押込み、かつ前記所定の方向に当該カートリッジをスライドさせたときに、前記カートリッジのコネクタと係合する位置に設けられている。
【００７６】
天板が常にはアダプタの上面と面一となるように付勢機構により支持されるので、アダプタの外観が美観上好ましいものとなる。また天板が付勢機構により上方向に付勢されるので、カートリッジをはずすためにカートリッジをスライドさせると、自動的にカートリッジと装飾板とが押上げられる。カートリッジを取除くことが容易にできる。
【００７７】
より好ましくは、所定方向は、ハウジングの前面を向いた方向である。
【００７８】
ユーザは通常はアダプタの前面にいてカートリッジを装着することが想定されており、コネクタが前面を向くようにカートリッジを置くことで、カートリッジが正しい方向を向いていることをユーザが容易に確認できる。カートリッジの装着方向を誤る可能性が低くなる。
【００７９】
さらに好ましくは、前記カートリッジは、前記アダプタの前記開口内に収容可能な、上面、下面、両側面、前面及び背面を有する、平板なほぼ直方体形状の主ハウジングを有し、かつ前記両側面の少なくとも一方には、所定形状の凹部を有している。前記アダプタはさらに、前記所定形状の凹部に進入可能で、前記凹部に進入することにより、前記カートリッジを係止する係止部材と、前記カートリッジ装着部の前記天板が前記付勢機構により規制される位置にあるときには前記係止部材を前記アダプタの前記ハウジングの前記開口内に突出させ、前記カートリッジ装着部の前記天板がそれ以外の位置にあるときには前記係止部材を前記開口から退出させるように前記係止部材を前記アダプタ内に支持するための係止部材支持機構とを含み、前記凹部は、前記カートリッジが前記アダプタの前記カートリッジ装着部に装着されているときには、当該カートリッジが前記前後方向にスライドする際に前記係止部材が前記カートリッジのほかの部分に接触しないような形状に形成されている。
【００８０】
カートリッジが装着されているとき、すなわちカートリッジ装着部の天板が付勢機構により規制される位置にあるときには、係止部材が係止部材支持機構によりカートリッジ側面の凹部に進入する。係止部材により、カートリッジの上下方向の動きが規制される。そのため、カートリッジが付勢機構の付勢力により押上げられてしまうことが防止でき、所望でないときにカートリッジとアダプタとの結合状態が解除される危険性が低くなる。また、凹部は、カートリッジが前後にスライドされる際には、係止部材がカートリッジの移動を妨害しないような形状に形成されている。従って、通常のカートリッジの着脱が阻害されることはない。
【００８１】
前記凹部は、前記カートリッジの前記両側面の双方に形成され、前記係止部材は、前記カートリッジの前記両側面の前記凹部にそれぞれ進入可能な複数の部材を含んでもよい。
【００８２】
凹部と係止部材とによりカートリッジの上下方向への動きが規制される。確実にカートリッジをアダプタに装着しておくことができる。
【００８３】
好ましくは、前記付勢機構は、各々第１及び第２の端部を有する複数個の付勢部材と、前記複数個の付勢部材の前記第１の端部がそれぞれ取付けられる複数個の取付け部を有し、前記天板を下方から支持するための支持部材とを含む。複数個の付勢部材による付勢力を、支持部材を介して天板に及ぼす。そのため、天板の上下方向への動きを安定して支持しながら、天板を上方向に付勢できる。
【００８４】
より好ましくは、前記アダプタの前記ハウジングの底面には、前記複数個の付勢部材の前記第２の端部がそれぞれ取付けられる、複数個の底部取付け部が形成されている。
【００８５】
付勢部材の第２の端部をアダプタのハウジングの底面に形成された底面取付部に取付けることができる。付勢機構をアダプタハウジングの底面の所定位置に取付けることが可能となり、付勢機構による天板の支持を安定して行なうことができる。
【００８６】
さらに好ましくは、前記複数個の付勢部材の各々は、前記第１及び第２の端部を有し、前記支持部材の前記複数個の取付け部の一つに、前記第１の端部において前記天板の上面と平行な方向の軸周りに回動可能に取付けられ、前記複数個の底部取付け部の一つに、前記第２の端部において前記軸と平行な軸周りに回動可能に取付けられた回動部材と、前記回動部材を前記第２の端部において上方に付勢する弾発部材とを含む。前記弾発部材は、前記回動部材を、前記アダプタの前記ハウジングの前記底面から離れる方向に付勢するように前記回動部材の前記第２の端部の回動軸に介挿されたスプリングを含んでもよい。
【００８７】
複数個の付勢部材を構成する回動部材の各々について、支持部材の取付部に第１の端部が天板の上面と平行な方向の軸周りに回動可能に取付けられる。また第２の端部も同様に、底部取付部に、上記した軸と平行な軸周りに取付けられる。そして回動部材は、スプリングのような弾発部材によりハウジングの底面から離れる方向に付勢される。天板が押下げられると弾発部材の弾発力に抗して回動部材が回動してハウジングの底面に近づくように回転する。その結果、支持部材の高さは低くなり、ハウジングの底面に近づき、回動部材がハウジング底面に当接した時点でそれより下方向には動かなくなる。下方向への力がなくなると、弾発部材による弾発力により回動部材の第１の端部が底面から遠ざかる方向、すなわち上方向に動き、支持部材を押上げる。このようにして、天板を安定に上方向に付勢しながら支持し、かつ天板が下方向に押されると安定して天板を支持しながら所定位置で天板の移動を規制できる。
【００８８】
好ましくは、前記コネクタ部は、直方体形状で、当該直方体形状の前面に向かって開口する、前記カートリッジに形成された凸部が嵌合可能な嵌合凹部を有するコネクタ本体と、前記コネクタ本体の上面の少なくとも一部を覆うように、前記コネクタ本体に固定された導電性のシールド部材と、前記嵌合凹部内に配置された前記複数個の接続端子とを含み、前記カートリッジは、前記嵌合凹部に嵌合可能で、前記複数個の接続端子と接触する複数個の接続端子が配置された嵌合凸部と、前記上面と前記嵌合凹部とにより前記コネクタ部に形成される凸部が嵌合可能な嵌合凹部と、前記カートリッジの内部回路を覆うように設けられた導電性のシールド部材とを有し、かつ前記カートリッジの前記嵌合凹部の内部上面には、前記カートリッジの前記シールド部材の一部が取付けられており、前記コネクタ部の前記シールド部材は、前記カートリッジが前記コネクタ部に装着される際には前記カートリッジの前記シールド部材に接触するように構成されている.
【００８９】
カートリッジのコネクタをアダプタのコネクタ部に装着すると、カートリッジの内部回路を覆うように設けられたシールド部材のうち、嵌合凹部の内部上面に取付けられた一部と、アダプタのコネクタ本体の上面に固定されたシールド部材の接点部とが接触し、広い範囲での接続が実現される。この接続により、アダプタとカートリッジとの間の電気的接続を安定したものとすることができ、信号の送受信において問題が生じることを防止できる。また、ラインでの接続では、カートリッジの接地電位とアダプタの接地電位（より安定な接地電位）との間で電位差が発生する場合があり、そうした場合にはカートリッジの接地電位が安定しない。カートリッジの接地電位が安定しないと、カートリッジとアダプタとの間の信号の安定な送受信が阻害される可能性がある。また、カートリッジ内部の回路の動作に伴って、シールド自体の電位が変動し、シールドからも電磁波が放射される可能性もある。カートリッジとアダプタコネクタとの広い範囲での接続により、カートリッジの接地電位とアダプタの接地電位との間の電位差を極力小さくすること、すなわち、カートリッジの接地電位を安定させることが可能となる。
【００９０】
より好ましくは、前記コネクタ本体の前記上面のうち、後部部分は前記上面の前方部分より低く形成されており、前記コネクタ本体の前記シールド部材は、前記上面の前記前方部分に固定された一端と、前記コネクタ本体の前記上面の前記低く形成された部分に配置される他端とを有する接点部が形成されるように形成された開口を有する。
【００９１】
コネクタ部のシールド部材は、カートリッジの嵌合凹部の内部上面に露出したシールド部材と接触することにより、下方に押される。コネクタ本体の上面の低く形成された部分においてはコネクタのシールド部材が下方向に動くことができ、カートリッジのシールド部材との強い接触により起こりうる物理的な障害を防止できる。
【００９２】
さらに好ましくは、前記接点部は、前記一端から前記他端との間の所定点で前記コネクタ本体の上面から最も離れるような形状に形成される。
【００９３】
このような形状とすることで、コネクタ部のシールド部材は、接点部においてカートリッジのシールド部材と確実に接触できる。またこの接触によりコネクタ部のシールド部材の、接点部より先の部分は下方向に移動することになるが、この場合もコネクタ本体の上面の一部が低く形成されているため、コネクタ部のシールド部材に物理的な問題が生じることが防止できる。
【００９４】
本発明の第６の局面に係るカートリッジは、プログラム及びデータを格納するメモリと、前記プログラムに従って、前記データに演算処理を施して、テレビジョン受像機が表示できる形式の映像信号及び前記テレビジョン受像機が出力できる形式の音声信号を生成するコンピュータと、前記コンピュータに接続され、前記コンピュータから出力される前記映像信号及び前記音声信号を外部装置に与えるためのコネクタと、前記メモリ及び前記コンピュータを内部に保持し、かつ、前記コネクタが内部に取付けられたハウジングとを含む。
【００９５】
このカートリッジによれば、内部のメモリに格納されたデータ及びプログラムに従ってコンピュータが生成した映像信号及び音声信号を、コネクタを介して外部装置に与えることができる。表示装置を持たないカートリッジにより生成された信号を、外部装置、例えばテレビ受像機又は中継装置に与え、カートリッジ内部で実行されているプログラムの結果を利用することができる。カートリッジ内部にメモリとプログラムとが内蔵されており、かつカートリッジから出力される信号はテレビジョン受像機が利用可能な形式であるため、テレビ受像機の構成にかかわりなくカートリッジを利用できる。さらに、中継装置を利用する場合、カートリッジにメモリ及びコンピュータが内蔵されているため、カートリッジを変えることにより、同じ中継装置でも全く異なった機能を実現できる。また、カートリッジに備えられたコンピュータの性能が向上すると、中継装置の構成にかかわりなく向上したコンピュータの機能を完全に利用できる。
【００９６】
好ましくは、前記コネクタの、接続端子が設けられる開口部内に配置され、塵埃が前記開口部から前記カートリッジ内部に侵入することを防止するための塵埃侵入防止部材をさらに含む。
【００９７】
コネクタ部分からカートリッジ内部に塵埃が侵入することがこの部材により防止される。カートリッジ内部にはメモリ及びコンピュータ等、塵埃に対し比較的影響を受けやすい部品が存在しているため、この部材によりカートリッジが塵埃により故障を起こす危険性を低くすることができる。
【００９８】
さらに好ましくは、前記ハウジングは、中空でかつ一方面に開口が形成されたハウジング本体と、前記ハウジング本体の前記開口の大部分を覆う形状に形成され、かつ前記開口を覆う位置で前記ハウジングに仮止めされる天板と、前記天板上から前記仮止めされた天板を前記ハウジング本体に固定するように、前記ハウジング本体の前記開口のうち、前記天板により覆われていない部分を通して前記ハウジングの内部の所定部分に引っ掛け固定される、突出した爪部を有する固定部材とを含む。
【００９９】
ビス等、カートリッジの美観を損なうような部品を使用せずに、天板の上部から天板をハウジングの内部の所定部分に引っ掛け固定して天板をハウジングに固定することができる。また、爪部の引っ掛け固定により固定部材をハウジングに取付けてあるので、容易にこの固定部材を取外すことができ、その結果天板を取外すことも容易にできてカートリッジのメンテナンスが容易になる。
【０１００】
好ましくは、前記ハウジング本体には、前記ハウジングの内部の前記所定部分に前記固定部材の前記爪部が引っ掛け固定された際に、当該爪部分を前記所定部分から取り外すための部材を挿入可能な開口が形成されている。
【０１０１】
この開口を通してとがった部材で爪部分を所定部分から取外すことで、固定部材及び天板を容易にハウジングから取外すことができる。
【０１０２】
より好ましくは、前記ハウジングの内面には、複数の固定部が、１又はいくつかの前記固定部を選択することによって、互いに機能上対応するが大きさが異なる所定部材のいずれでも固定できるような複数の位置に形成されている
【０１０３】
例えばカートリッジ内部に取付けられた基板又はシールド部材等のサイズは複数通りあり得る。予め固定部をそれら複数通りのサイズにあわせてハウジングに形成しておくことで、同じハウジングを用いて異なる大きさの基板又はシールド部材等を用いた製品を製造することができる。その結果、製品ごとにハウジングを作り直す必要がなく、製造工程を簡略化でき、あわせて製品の製造を早期に開始できる。
【０１０４】
前記ハウジングの両側面の各々の、当該側面の中央より前記ハウジングの背面側の位置には、前記カートリッジを所定位置に固定するためのロック部材の一部が挿入される第１のロック溝が形成されていてもよい。前記第１のロック溝は、前記ロック部材の前記一部の高さ及び幅よりそれぞれ大きな所定の高さ及び所定の幅を持って形成された長方形状の第１の溝と、前記第１の溝に連続して、前記ロック部材の前記一部の前記高さより大きく、前記第１の溝の前記所定の高さよりも小さな高さで、かつ所定の幅を持って形成された長方形状の第２の溝とから構成されていてもよい。
【０１０５】
カートリッジをアダプタ等に装着する際、正しい方向でカートリッジを装着した場合、左右からロック部材の一部を第１のロック溝に進入させた後、前方向にカートリッジをスライドさせるとロック部材の前記一部が第２の溝内に進入し、カートリッジの上下方向への動きをしっかりと規制できる。
【０１０６】
前記ハウジングの両側面の各々の、当該側面の中央に関し前記第１のロック溝と対称な位置には、それぞれ前記カートリッジを前記所定位置に固定するための前記ロック部材の前記一部が挿入可能な第２のロック溝が形成されており、前記第２のロック溝の高さ及び位置は、前記カートリッジが前後逆の姿勢で前記所定位置に固定された場合にも、前記ロック部材の前記一部が前記第２のロック溝の内部に進入するような位置に選ばれている。
【０１０７】
上記した構成により、仮にカートリッジの前後を誤ってアダプタに装着しても、係止部材がロック溝以外の部分でカートリッジを保持してしまいカートリッジがアダプタから取り出せなくなることが防止できる。
【０１０８】
前記第１のロック溝及び前記第２のロック溝の各々の位置及び形状は、前記カートリッジが上下逆の姿勢で前記所定位置に向けて挿入された場合にも、前記ロック部材の前記一部が前記第１のロック溝あるいは前記第２のロック溝に進入するように選ばれていてもよい。
【０１０９】
この構成により、カートリッジの前後に加え、上下を逆にしてアダプタに装着しても、カートリッジがアダプタから取り出せなくなることが防止できる。
【０１１０】
本発明の第７の局面に係る入力装置は、電子ゲーム装置のためのボーリングボール型入力装置であって、ボーリングボール型の筐体と、前記筐体に取付けられた入力部とを含み、前記筐体には、所定の手の大きさに適合する位置に複数の指孔が形成され、さらに、前記所定の手の大きさより小さな手の大きさに適合する位置に、前記複数の指孔のうちの1つの代わりに使用される追加の指孔が形成されている。
【０１１１】
所定の手の大きさに適合する複数の指孔が形成されているため、例えば通常想定される大きさの手を持つ人であればその指孔を用いてボーリングボールの転動動作を容易に行なうことができる。それに対し、その所定の手の大きさより小さな手を持つ人、例えば子供の場合には、上記した複数の指孔の一部と、追加の指孔とを利用することで無理なくボーリングボールの転動動作を行なうことができる。そのため、手の大きさに応じて適切な指孔を用いることでボーリングゲームを楽しむことができる。
【０１１２】
本発明の第７の局面に係る入力装置は、電子ゲーム装置のためのボーリングボール型入力装置であって、指孔となる凹部が形成された中空の第１の外殻ハウジングと、前記第１の外殻ハウジングと組合わされたときに前記凹部に当接する位置に頂点をもつ固定用凸部を内部に有する中空の第２の外殻ハウジングと、前記第１の外殻ハウジングの前記凹部に対応する位置に開口を持つ中空の第１の内殻ハウジングと、前記第２の外殻ハウジングの前記固定用凸部に対応する位置に開口を持ち、所定数の固定具で前記第１の内殻ハウジングに固定される中空の第２の内殻ハウジングとを含み、前記第１及び第２の内殻ハウジングが前記所定数の固定具で互いに固定されて内殻を形成し、前記内殻の前記第１の内殻ハウジングに形成された開口に前記第１の外殻ハウジングの前記凹部を挿通するように前記第１の外殻ハウジングで前記内殻を覆い、前記内殻の前記第２の内殻ハウジングに形成された開口に前記第２の外殻ハウジングの前記固定用凸部を挿通するように前記第２の外殻ハウジングで前記内殻を覆い、前記第１の外殻ハウジングの前記凹部は前記第２の外殻ハウジングの前記固定用凸部に所定の固定具で固定される。
【０１１３】
第１の外殻ハウジングの指孔と、第２の外殻ハウジングの固定用凸部とを固定することによって、内殻ハウジングを内部に保持した状態でボーリングボール型入力装置の外殻が形成される。固定具は指孔の底部に配置されるため、外部からはほとんど見ることができない。またそれ以外には少なくとも外殻の固定には固定具は使用されない。そのため、美観上優れたボーリングボール型入力装置を提供できる。
【０１１４】
好ましくは、前記第１及び第２の外殻ハウジングは、いずれも透明に形成されている。外殻ハウジングが透明に形成されていることで、内殻ハウジングに設けた光学的部品を外部から光により制御したりすることが可能になる。また外殻を通して内殻を見ることもできるため、デザイン上面白い入力装置が得られる。
【０１１５】
さらに好ましくは、前記内殻の外側には、再帰性反射部材が取付けられている。
【０１１６】
内殻ハウジングに再帰性反射部材を取付けておくことで、外部装置はこの部材から反射してくる光によってこの入力装置の位置、速度、加速度等を知ることができ、それらをゲームに利用できる。また、ボーリングボール型入力装置そのものには特に電気回路等が必要とされないので、構成を簡略化できる。
【０１１７】
本発明の第９の局面に係る入力装置は、加速度を検知することにより、当該加速度に関連する所定の情報を所定の装置に入力するための入力装置であって、筐体と、前記筐体に取付けられた加速度センサと、外部から与えられる所定の電圧波形の信号と、前記加速度センサの出力とに基づいて、前記加速度センサの検知した加速度に相関して電圧レベルが変化する信号を出力するための加速度センサ回路と、前記センサ回路の出力する前記信号に基づいて、前記所定の情報を作成するための回路と、前記加速度センサ回路が加速度を検知したか否かを判定し判定信号を出力するための判定回路と、前記判定回路の出力する前記判定信号にしたがって、前記加速度センサ回路への前記所定の電圧波形の信号の供給を開始し、又は停止するための信号供給制御回路とを含む。
【０１１８】
信号供給制御回路により、加速度が検知されないときには加速度センサ回路への信号の供給が停止されるのに対し、一旦加速度が検知されると加速度センサ回路への信号の供給が開始され、加速度に関する情報の出力が可能になる。不使用時の電力消費量を少なくし、かつ操作されると直ちに動作状態に復帰できる入力装置を提供できる。
【０１１９】
本発明の第１０の局面に係る入力装置は、電子ゲーム装置に用いられるバット型入力装置であって、ヘッド部と、前記ヘッド部に形成されたねじ部と螺合することが可能なねじ部を有するグリップ部とを含み、前記グリップ部と前記ヘッド部とは前記ねじ部により固定され、前記ヘッド部は、中空部分を有する第１の部材と、複数の固定具を用いて組み立てられる第２の部材と、前記電子ゲーム装置に与える制御信号を生成するための電気回路部品とを含み、前記第２の部材は、内部に前記電気回路部品が取付けられて、コントロール部を形成し、前記ヘッド部はさらに、前記複数の固定具を隠すように前記コントロール部の少なくとも一部を覆うように前記コントロール部にはめ込まれるキャップを含む。
【０１２０】
キャップをコントロール部にはめ込むと、コントロール部の組立てに用いられた複数個の固定具が外部から見えなくなる。またヘッド部とグリップとの間の固定も外部から見えないねじ部の係合による。従って、外部からはビス等の固定具が見えない、美観上優れたバット型入力装置を提供できる。
【０１２１】
本発明の第１１の局面に係るピクセルデータ取得方法は、１フレーム分のピクセルデータの取得開始を指示するフレームステータスフラグ信号と、各ピクセルデータの取得開始を指示するピクセルストローブ信号とにしたがって、１フレーム分のピクセルデータを取得し、所定の記憶装置の、Ｘ座標及びＹ座標で指定されるアドレスに格納するピクセルデータ取得方法である。前記ピクセルストローブ信号は、１行分のピクセルデータの取得開始の指示時にも発行される。前記方法は、Ｙ座標の値を所定の初期値により初期化するステップと、前記フレームステータスフラグ信号が所定の値になるまで待機するステップと、前記フレームステータスフラグ信号が前記所定の値となったことに応答して、１フレーム分のピクセルデータを取得するステップとを含む。前記１フレーム分のピクセルデータを取得する前記ステップは、Ｙ座標を前記所定の初期値から所定の最終値まで、所定の変化量で変化させながら、各Ｙ座標で指定される１行分のピクセルデータを順次取得するステップを含む。ピクセルデータを順次取得する前記ステップは、前記ピクセルストローブ信号が所定の値となるまで待機するステップと、前記ピクセルストローブ信号が前記所定の値となったことに応答して、Ｘ座標の値を所定の初期値により初期化するステップと、Ｘ座標の値を前記所定の初期値から所定の変化量で所定の最終値まで変化させながら、前記ピクセルストローブ信号が前記所定の値になったと判定されるごとにピクセルデータを取得し、Ｘ座標の値及びＹ座標の値で指定されるアドレスに順次記憶するステップと、ピクセルデータを順次記憶する前記ステップが終了したことに応答して、Ｙ座標の値を前記所定の増分で変化させるステップと、前記Ｙ座標の値が前記最大値となったか否かを判定するステップと、前記Ｙ座標の値が前記最大値となったと判定されたことに応答して、ピクセルデータを順次取得する前記ステップを終了させるステップと、を含む。
【０１２２】
フレームステータスフラグ信号が所定の値になると、１フレーム分のピクセルデータの取得が行なわれる。このステップでは、Ｙ座標を所定の初期値から最大値まで、所定の増分で変化させながら、各Ｙ座標で指定される１行分のピクセルデータが順次取得される。順次取得するステップでは、ピクセルストローブ信号が所定の値となるまで待機し、ピクセルストローブ信号が所定の値となったことに応答してＸ座標の値を初期化する。このときにはピクセルデータの格納は行なわれない。以後、Ｘ座標の値を最大値まで変化させながらピクセルデータを取得する。１行分のピクセルデータの取得が終了するとＹ座標の値を所定の増分でインクリメントする。この結果、Ｙ座標の値が最大値となれば、順次取得するステップを終了する。最初にピクセルストローブ信号が所定の値となったときには、実際のピクセルデータが送られては来ないので、このピクセルストローブ信号がスキップされる。つまり、ピクセルストローブ信号が最初に所定の値となったときは、ピクセルデータの取得を行わず、その次に所定の値になったときに、ピクセルデータの取得を開始する。以後の繰返し処理において実際にピクセルデータを格納する際には、最初に既にＸ座標の値が初期化されているので、Ｘ座標の初期化を行なうことなくピクセルデータの格納が行なえる。従来は、１行分のピクセルデータの取得が終了した時点で、かつ次の行の最初のピクセルストローブ信号が所定の値となる前にＸ座標の値を初期化していた。このような従来の手法では、Ｘ座標の値を初期化するために所定の時間が必要であるため、次の行の最初にピクセルストローブ信号が所定の値になったときに、それを検知することができないことがあった。その結果、各行の最初のピクセルデータの取込みに失敗することが多かった。本発明に係る方法では、１行分のピクセルデータの取得完了時にはＸ座標の初期化をせず、次の行のピクセルデータの取得開始を指示するためにピクセルストローブ信号が所定の値になるまで待ち、ピクセルストローブ信号が所定の値となったときにはじめてＸ座標の値を初期化する。そのため、ストローブ信号が所定の値となったことを見逃すことがなくなり、ピクセルデータの取込に失敗するおそれが少なくなる。
【０１２３】
本発明の第１２の局面に係る双方向エンタテインメント・システムは、前記双方向エンタテインメント・システムを利用する際に、ユーザが操作する操作部材と、プログラムとデータを記憶するメモリと、このメモリに接続され、前記データを用いて前記プログラムを実行することにより、前記双方向エンタテインメント・システムに関連する画像および音声を含む信号を生成する信号処理ユニットとを有するカートリッジと、前記双方向エンタテインメント・システムを利用する際に、前記ユーザと向き合う位置に設置され、前記ユーザによる前記操作部材を用いた行為によって、前記ユーザからの入力を受信する無線通信装置を備え、前記カートリッジとテレビジョン受像機に接続可能で、前記カートリッジからの信号を受け取り、前記テレビジョン受像機に画像信号および音声信号を出力して、前記テレビジョン受像機により、前記双方向エンタテインメント・システムに関連する画像を表示すると共に前記双方向エンタテインメント・システムに関連する音声を出力するアダプタと、を備えている。
【０１２４】
本発明の第１３の局面に係るビデオ・エンタテインメント・システムは、プログラムとデータを記憶するメモリと、このメモリに接続され、前記データを用いて前記プログラムを実行することにより、前記ビデオ・エンタテインメント・システムに関連する画像および音声を含むアナログビデオ信号を生成する信号処理ユニットとを有するカートリッジと、前記カートリッジとテレビジョン受像機に接続可能で、前記カートリッジからの前記アナログビデオ信号を受け取り、前記アナログビデオ信号を前記テレビジョン受像機へ転送して、前記アナログビデオ信号に対応すると共に前記双方向エンタテインメント・システムに関連する画像を前記テレビジョン受像機で表示するアダプタと、を備えている。
【０１２５】
このビデオ・エンタテインメント・システムの一例では、前記アダプタは、前記アナログビデオ信号を、変換せずに前記テレビジョン受像機へ転送する。
【０１２６】
このビデオ・エンタテインメント・システムの別の例では、前記アダプタは、前記アナログビデオ信号を、エンコードしてから前記テレビジョン受像機へ転送する。
【図面の簡単な説明】
【０１２７】
発明そのもの及びその他の特徴と効果は、添付図面を参照して具体的な実施例の詳細な説明を読むことにより容易に理解される。
【０１２８】
【図１】図１は、本発明の実施の形態におけるアダプタ及びカートリッジの外観斜視図である。
【図２】図２（ａ）は、図１のアダプタの正面図であり、図２（ｂ）は、図１のアダプタの左側面図であり、図２（ｃ）は、図１のアダプタの背面図である。
【図３】図３（ａ）は、図１のアダプタの平面図であり、図３（ｂ）は、図１のアダプタの底面図である。
【図４】図４は、図１のアダプタの分解斜視図である。
【図５】図５は、図４の下側ハウジングの内面を示す斜視図である。
【図６】図６は、図４の上側ハウジングの内面を示す斜視図である。
【図７】図７は、図３（ａ）のＡ−Ａ断面図である。
【図８】図８は、図１のアダプタの下側ハウジングを取外した状態を示す底面図である。
【図９】図９は、図１のアダプタの上側ハウジング及び装飾板を取外した状態を示す平面図である。
【図１０】図１０は、図４の昇降機構及び昇降台ロック機構の図解図である。
【図１１】図１１（ａ）は、図１０のマグネット保持部材の平面図であり、図１１（ｂ）は、図１０のマグネット保持部材の左側面図であり、図１１（ｃ）は昇降台支持部材の平面図であり、図１１（ｄ）は昇降台支持部材の右側面図であり、図１１（ｅ）は昇降台ロック機構の全開状態の説明図であり、図１１（ｆ）は昇降台ロック機構の閉じた状態の説明図である。
【図１２】図１２は、図４のカートリッジロック機構の斜視図である。
【図１３】図１３（ａ）は、図４のカートリッジロック機構の取付状態の説明図であり、図１３（ｂ）は、図４のカートリッジロック機構の取付状態の説明図である。
【図１４】図１４は、図４のプッシュ機構の図解図である。
【図１５】図１５（ａ）は、図４の赤外線フィルタの斜視図であり、図１５（ｂ）は赤外線フィルタ１９の内面を示す平面図であり、図１５（ｃ）は、図１５（ｂ）のＢ−Ｂ断面図である。
【図１６】図１６（ａ）は、図４のコネクタの正面図であり、図１６（ｂ）はコネクタの平面図であり、図１６（ｃ）はコネクタの底面図である。
【図１７】図１７（ａ）は、図１６（ａ）〜（ｃ）のシールド部材の斜視図であり、図１７（ｂ）は、図１６（ａ）〜（ｃ）のコネクタ本体の斜視図であり、図１７（ｃ）は、図１６（ａ）〜（ｃ）のコネクタの斜視図である。
【図１８】図１８は、図１６（ａ）のＣ−Ｃ断面図である。
【図１９】図１９（ａ）は、図７の装飾板にカートリッジが置かれていない場合の昇降機構及び昇降台ロック機構の説明図であり、図１９（ｂ）は装飾板にカートリッジが置かれた場合の昇降機構及び昇降台ロック機構の説明図であり、図１９（ｃ）は装飾板上のカートリッジが最下部まで降下した場合の昇降機構及び昇降台ロック機構の説明図であり、図１９（ｄ）は装飾板上のカートリッジがコネクタに装着された状態の昇降機構及び昇降台ロック機構の説明図である。
【図２０】図２０（ａ）は、図１９（ｂ）の状態におけるカートリッジとカートリッジロック機構のＣ字状部材との関係図であり、図２０（ｂ）は、図１９（ｃ）の状態におけるカートリッジとカートリッジロック機構のＣ字状部材との関係図であり、図２０（ｃ）は、図２０（ｂ）の状態の右側面図であり、図２０（ｄ）はカートリッジがロックされた状態を示す右側面図である。
【図２１】図２１（ａ）は、図１のカートリッジの平面図であり、図２１（ｂ）はカートリッジの底面図であり、図２１（ｃ）はカートリッジの右側面図である。
【図２２】図２２は、図２１（ａ）のＣ−Ｃ断面図である。
【図２３】図２３は、図１のカートリッジの分解斜視図である。
【図２４】図２４（ａ）は、図２３の基板の平面図であり、図２４（ｂ）は基板の接続部の右側面図である。
【図２５】図２５は、図２３の塵埃侵入防止部材の斜視図である。
【図２６】図２６は、図２５の塵埃侵入防止部材の説明図である。
【図２７】図２７は、図２３のシールド部材の平面図である。
【図２８】図２８は、図２３の下側ハウジングの内面を示す平面図である。
【図２９】図２９は、図２３の上側ハウジングの内面を示す斜視図である。
【図３０】図３０は、図２３の上側ハウジングの平面図である。
【図３１】図３１は、図２３の天板を、上側ハウジングの表面に嵌めた状態を示す平面図である。
【図３２】図３２は、図２３の固定部材の斜視図である。
【図３３】図３３は、図２１（ａ）のＤ−Ｄ断面図である。
【図３４】図３４（ａ）は、図２３の基板の平面図であり、図３４（ｂ）は基板よりサイズが大きい中型基板の平面図であり、図３４（ｃ）は中型基板よりサイズが大きい大型基板の平面図であり、図３４（ｄ）は、図２３のシールド部材の平面図であり、図３４（ｅ）はシールド部材よりサイズが大きい中型シールド部材の平面図であり、図３４（ｆ）は中型シールド部材よりサイズが大きい大型シールド部材の平面図である。
【図３５】図３５は、図１のアダプタに装着する、撮像ユニット付きカートリッジの斜視図である。
【図３６】図３６（ａ）は、図３５のカートリッジの平面図であり、図３６（ｂ）はカートリッジの底面図であり、図３６（ｃ）はカートリッジの右側面図である。
【図３７】図３７は、図３６（ａ）のＥ−Ｅ断面図である。
【図３８】図３８は、図３６（ａ）のＦ−Ｆ断面図であって、撮像ユニットのみを示した図である。
【図３９】図３９は、図３５の撮像ユニットの分解斜視図である。
【図４０】図４０は、図３９の収納部材をベース板に取付ける場合の説明図である。
【図４１】図４１は、図３５のカートリッジ本体の分解斜視図である。
【図４２】図４２は、図４１の下側ハウジングの内面を示す平面図である。
【図４３】図４３は、図４１の上側ハウジングの内面を示す斜視図である。
【図４４】図４４は、図４１の天板を上側ハウジングに取付ける際の説明図である。
【図４５】図４５は、図１のアダプタの使用例１の説明図である。
【図４６】図４６は、図４５のラケット型入力装置の平面図である。
【図４７】図４７は、図４６のラケット型入力装置の本体部分の分解斜視図である。
【図４８】図４８は、図４６のラケット型入力装置のグリップ部分の分解斜視図である。
【図４９】図４９は、図４６のＧ−Ｇ断面図である。
【図５０】図５０は、図４９の外蓋及び内蓋を開いた状態を示す斜視図である。
【図５１】図５１は、図４９の外蓋及び内蓋を閉じたときの状態を示す平面図である。
【図５２】図５２は、図４９の外蓋及び内蓋の開閉状態を示す側面図である。
【図５３】図５３（ａ）は、図４５のバット型入力装置の平面図であり、図５３（ｂ）はバット型入力装置の底面図である。
【図５４】図５４（ａ）は、図４５のバット型入力装置の分離状態の説明図であり、図５４（ｂ）は、図４５のバット型入力装置の分離状態の説明図であり、図５４（ｃ）は、図４５のバット型入力装置の分離状態の説明図である。
【図５５】図５５は、図５３（ｂ）のＨ−Ｈ断面図である。
【図５６】図５６は、図５５の範囲Ａの拡大図である。
【図５７】図５７は、図５５の範囲Ｂの拡大図である。
【図５８】図５８は、図５５の範囲Ｃの拡大図である。
【図５９】図５９は、図４５のバット型入力装置の分離機構の説明図である。
【図６０】図６０は、図４５のボール型入力装置の斜視図である。
【図６１】図６１は、図４５のボール型入力装置の平面図である。
【図６２】図６２は、図６１のＩ−Ｉ断面図である。
【図６３】図６３は、図１のアダプタの使用例２の説明図である。
【図６４】図６４は、図６３のボーリングボール型入力装置の斜視図である。
【図６５】図６５は、図６３のボーリングボール型入力装置の平面図である。
【図６６】図６６は、図６５のＪ−Ｊ断面図である。
【図６７】図６７は、図６３のボーリングボール型入力装置の分解斜視図である。
【図６８】図６８は、図６７の内殻用上側ハウジングの内面を示す斜視図である。
【図６９】図６９は、図６７の内殻用下側ハウジングの内面を示す斜視図である。
【図７０】図７０は、結合された内殻用上側ハウジング及び内殻用下側ハウジングの平面図である。
【図７１】図７１は、図７０の内殻の矢印Ａ方向からの側面図である。
【図７２】図７２は、図７０の内殻の矢印Ｂ方向からの側面図である。
【図７３】図７３は、図７０の内殻の矢印Ｃ方向からの側面図である。
【図７４】図７４は、図７０の内殻の底面図である。
【図７５】図７５は、図６７の外殻用上側ハウジングの内面を示す斜視図である。
【図７６】図７６は、図６７の指穴形成部材の図解図である。
【図７７】図７７は、図６７の外殻用下側ハウジングの内面を示す斜視図である。
【図７８】図７８は、図１のアダプタの電気的構成を示す図である。
【図７９】図７９は、図７８の電源回路及び電源スイッチの回路図である。
【図８０】図８０は、図７８の内部電源電圧発生回路の回路図である。
【図８１】図８１は、図７８のオーディオアンプの回路図である。
【図８２】図８２は、図７８のＩＲ受信回路の回路図である。
【図８３】図８３は、図７８のキーブロックの回路図である。
【図８４】図８４は、図７８の水晶発振回路の回路図である。
【図８５】図８５は、図１のカートリッジの電気的構成を示す図である。
【図８６】図８６は、図８５の高速プロセッサのブロック図である。
【図８７】図８７は、図３５のカートリッジの電気的構成を示す図である。
【図８８】図８８は、図８７の撮像ユニットの電気的構成を示す図である。
【図８９】図８９は、図８８のイメージセンサから高速プロセッサへピクセルデータを取込む際の動作を示すタイミング図である。
【図９０】図９０は、図８９の一部を拡大して示すタイミング図である。
【図９１】図９１は、図４５のラケット型入力装置の電気的構成を示す図である。
【図９２】図９２（ａ）は、図９１のＭＣＵの出力ポートからの出力信号の波形図であり、図９２（ｂ）はＭＣＵの入力ポート０への入力信号の波形図であり、図９２（ｃ）はＭＣＵによる入力判定の説明図である。
【図９３】図９３は、図９１のＭＣＵによる処理の流れを示すフローチャートである。
【図９４】図９４は、図９３のステップＳ２の加速度検出処理の流れを示すフローチャートである。
【図９５】図９５は、図９３のステップＳ５のコード送信処理の流れを示すフローチャートである。
【図９６】図９６は、図４５のラケット型入力装置を使用したテニス疑似体験システムの処理の流れを示すフローチャートである。
【図９７】図９７は、図９６のステップＳ１０９のコード受信処理の流れを示すフローチャートである。
【図９８】図９８は、図６３のボーリングボール型入力装置を使用したボーリング疑似体験処理の流れを示すフローチャートである。
【図９９】図９９は、図９８のステップＳ２０１の初期化処理の１つとして実行されるセンサ初期設定処理の流れの１例を示すフローチャートである。
【図１００】図１００は、図９９のステップＳ２３１のコマンド送信処理の流れの１例を示すフローチャートである。
【図１０１】図１０１（ａ）は、図８８のレジスタ設定クロックＲＣＬＫのタイミング図であり、１０１（ｂ）は、図８８のレジスタデータのタイミング図である。
【図１０２】図１０２は、図９９のステップＳ２３３のレジスタ設定処理の流れの１例を示すフローチャートである。
【図１０３】図１０３は、図９８のステップＳ２０３の撮影処理の流れを示すフローチャートである。
【図１０４】図１０４は、図１０３のステップＳ２６１のピクセルデータ群取得処理の流れの１例を示すフローチャートである。
【図１０５】図１０５は、図１０４のステップＳ２７６のピクセルデータ取得処理の流れの１例を示すフローチャートである。
【図１０６】図１０６は、本発明の一実施の形態の変形例に係るアダプタ１０００を示す斜視図である。
【図１０７】図１０７（ａ）は、図１０６に示すアダプタ１０００の側面図、図１０７（ｂ）は背面図、図１０７（ｃ）は底面図である。
【図１０８】図１０８は、本発明の一実施の形態の変形例に係るカートリッジの斜視図である。
【図１０９】図１０９は、変形例に係るアダプタ１０００の電源スイッチ部の図解図である。
【図１１０】図１１０は、アダプタ１０００の回路構成を示す図である。
【図１１１】図１１１は、図１１０に示すスイッチングレギュレータ１０５８の回路構成を示す図である。
【図１１２】図１１２は、図１１０に示す拡張コネクタ、拡張コネクタ周辺回路１０５０及びキーブロック１０５２の回路構成を示す図である。
【図１１３】図１１３は、図１１０に示す内部電源電圧発生回路１０５６の回路構成を示す図である。
【図１１４】図１１４は、本発明の一実施の形態で用いられるバット型入力装置１２００の分解図である。
【図１１５】図１１５は、バット型入力装置１２００のヘッド及びキャップ１２１２の分解図である。
【図１１６】図１１６は、バット型入力装置１２００のヘッドのボタン部分の内部構造の平面図である。
【図１１７】図１１７は、図１１６の構造に固定具１２４６を取付けた状態の平面図である。
【図１１８】図１１８（ａ）はバット型入力装置１２００のヘッドとグリップ部との結合・分解を行なうボタンの正面図、図１１８（ｂ）は左側面図である。
【図１１９】図１１９は、バット型入力装置１２００のヘッドのコントロール部１２１０にキャップ１２１２を嵌めた状態の、下端断面図である。
【図１２０】図１２０は、バット型入力装置１２００のヘッドのコントロール部１２１０にキャップ１２１２を嵌めた状態を、ヘッドの下端側から見た図である。
【図１２１】図１２１は、バット型入力装置１２００のグリップ部１２１４の斜視図である。
【図１２２】図１２２は、グリップ部１２１４の先端部とヘッドのボタン１２２２との係合前の状態を示す側面図である。
【図１２３】図１２３は、グリップ部１２１４の先端部とヘッドのボタン１２２２との係合時の状態を示す側面図である。
【図１２４】図１２４は、図１１４及び図１１５に示すバット型入力装置１２００のコントロール部１２１０の内部平面図である。
【発明を実施するための形態】
【０１２９】
以下、本発明の実施の形態について、図面を参照しながら説明する。なお、実施の形態で使用する図面において、同一の部分については、同一の参照符号を付している。また、以下では、様々なハウジングが用いられるが、その材質は、例えば、ＡＢＳ（アクリロニトリルブタジエンスチレン）である。
【０１３０】
図１は、本発明の実施の形態におけるアダプタ１及びカートリッジ５００の外観斜視図である。
【０１３１】
図１に示すように、アダプタ１は、上面、下面、左右の側面、前面、及び背面を有する平たい直方体形状を有する。アダプタ１の前面左側には、電源スイッチ９、リセットスイッチ１１、及び、電源ランプ１０、が設けられ、前面右側には、赤外線フィルタ１９が設けられる。この赤外線フィルタ１９は、赤外線以外の光をカットして、赤外線だけを透過させるフィルタであり、この赤外線フィルタ１９の裏側には、後述の赤外線センサが配置されている。また、アダプタ１の表面の前縁近傍には、方向キー１７ａ〜１７ｄが設けられる。さらに、方向キー１７ａの左側には、キャンセルキー１３が設けられ、方向キー１７ｄの右側には、決定キー１５が設けられる。なお、方向キー１７ａ〜１７ｄを包括して表現するときは、方向キー１７と表記する。
【０１３２】
さらに、アダプタ１の上面中央には開口が形成されており、その中にはアダプタ１の上面とほぼ面一となるように装飾板４が配置されている。アダプタ１の内部には、装飾板４を上方向に付勢するとともに、装飾板４の上面が上記した高さとなるように装飾板を支持する昇降機構が設けられている。この昇降機構により、装飾板４は、開口部内を昇降自在に設けられている。この装飾板４にカートリッジ５００を置いて、押下げ、さらに、カートリッジ５００を前面側にスライドさせて、後述のコネクタ６９にカートリッジ５００を装着する。このカートリッジ５００には、後述の高速プロセッサ及びメモリ等が内蔵されている。また、当然、昇降機構によって装飾板４の下方向への移動量は規制され、カートリッジ５００を下方向に押下げた場合、カートリッジ５００は所定位置で止まる。
【０１３３】
（Ａ）アダプタ１の構造
【０１３４】
図２（ａ）は図１のアダプタ１の正面（前面）図、図２（ｂ）は左側面図、図２（ｃ）は背面図、である。図３（ａ）は図１のアダプタ１の平面図、図３（ｂ）は底面図、である。
【０１３５】
図２（ｃ）に示すように、アダプタ１の背面には、ＡＶジャック２５、電源ジャック２７、ビデオジャック３１Ｖ、Ｌチャンネルオーディオジャック３１Ｌ、及び、Ｒチャンネルオーディオジャック３１Ｒ、が設けられる。なお、ビデオジャック３１Ｖ、Ｌチャンネルオーディオジャック３１Ｌ、及び、Ｒチャンネルオーディオジャック３１Ｒ、を包括して表現するときは、ＡＶジャック３１と表記する。ＡＶジャック２５は、外部出力端子であり、テレビジョン受像機の外部入力端子に接続される。一方、ＡＶジャック３１は、様々な外部機器（例えば、ＤＶＤ（ｄｉｇｉｔａｌ  ｖｅｒｓａｔｉｌｅ  ｄｉｓｃ）プレーヤ）の出力端子に接続することができる入力端子である。
【０１３６】
また、アダプタ１の背面から突き出るように（図２（ｂ）参照）、しかも、ＡＶジャック２５，３１及び電源ジャック２７を取囲むように（図２（ｃ）参照）、ジャックガード２３が設けられる。このジャックガード２３により、これらのジャックに差し込まれたケーブルのプラグ部分に直接外力が加わることを防止できる。このように、ジャックガード２３は、ケーブルがジャックから抜けることや、ケーブルのプラグ部分の破壊や、ジャックの破壊等の防止に役立つ。
【０１３７】
さらに、図２（ａ）〜（ｃ）及び図３（ｂ）に示すように、アダプタ１の裏面には、４つの滑り止め２１が設けられる。これにより、アダプタ１を安定して載置できる。
【０１３８】
図４は、図１のアダプタ１の分解斜視図である。図４に示すように、アダプタ１は、装飾板２、キートップ３５，３７，３９ａ〜３９ｄ、上側ハウジング３、装飾板４、昇降台５５、枠体５ａ〜５ｃ、キートップ４１，４３、赤外線フィルタ１９、昇降台ロック機構５９ａ，５９ｂ、昇降機構５７、カートリッジロック機構６１ａ，６１ｂ、プッシュ機構７３、リセットスイッチ本体４５、電源ランプ１０としてのＬＥＤ（ｌｉｇｈｔ  ｅｍｉｔｔｉｎｇ  ｄｉｏｄｅ）、キャンセルキー本体４７、決定キー本体４９、方向キー本体５１ａ〜５１ｄ、基板６３，６５，６７、コネクタ６９、コネクタ補強枠７１、四極単投タイプの電源スイッチ本体５３、ＡＶジャック２５、電源ジャック２７、ビデオジャック３１Ｖ、オーディオジャック３１Ｌ，３１Ｒ、及び、下側ハウジング７、を含む。
【０１３９】
なお、キートップ３９ａ〜３９ｄ、枠体５ａ〜５ｃ、昇降台ロック機構５９ａ，５９ｂ、カートリッジロック機構６１ａ，６１ｂ、及び方向キー本体５１ａ〜５１ｄ、の各々を包括して表現するときは、それぞれ、キートップ３９、枠体５、昇降台ロック機構５９、カートリッジロック機構６１、及び方向キー本体５１、と表記する。
【０１４０】
図５は、図４の下側ハウジング７の内面を示す斜視図である。図６は、図４の上側ハウジング３の内面を示す斜視図である。図７は、図３（ａ）のＡ−Ａ断面図である。図８は、図１のアダプタ１の下側ハウジング７を取外した状態を示す底面図である。図９は、図１のアダプタ１の上側ハウジング３及び装飾板２，４を取外した状態を示す平面図である。
【０１４１】
図５に示すように、下側ハウジング７の内面には、軸孔を有する軸支持部１１１ａ〜１１１ｄが突出して形成される。下側ハウジング７の内面には、外縁に沿って、円筒状凸部１０５ａ〜１０５ｊが形成される。円筒状凸部１０５ａ〜１０５ｊの中心に形成される孔は、下側ハウジング７の外面まで貫通している。下側ハウジング７の一方の長辺側（アダプタ１の背面側）には、ジャックガード２３の外形に応じた形状の切欠部が設けられる。下側ハウジング７の他方の長辺側（アダプタ１の正面側）には、赤外線フィルタ１９の外形に応じた形状の切欠部が設けられる。下側ハウジング７の内面には、一方側（アダプタ１の正面に向かって左側）の短辺に沿って、プッシュ機構７３を支持するための支持部１０８ａ，１０８ｂが形成される（図９参照）。なお、軸支持部１１１ａ〜１１１ｄを包括して表現するときは、軸支持部１１１と表記する。
【０１４２】
図６に示すように、上側ハウジング３には、矩形状に開口１１３が形成される。上側ハウジング３には、図１のキャンセルキー１３、方向キー１７ａ〜１７ｄ、及び、決定キー１５のそれぞれに対応して、開口７５、開口７９ａ〜７９ｄ、及び、開口７７が、形成される。また、上側ハウジング３の一方の長辺側（アダプタ１の背面側）には、ジャックガード２３の外形に応じた形状の切欠部が設けられる。上側ハウジング７の他方の長辺側（アダプタ１の正面側）には、赤外線フィルタ１９の外形に応じた切欠部が設けられる。
【０１４３】
上側ハウジング３の開口１１３の周縁には、アダプタ１の正面側を除き、内壁１１５が形成される。内壁１１５には、昇降機構５７の昇降動作をガイドする２つのガイド溝１１７が対向して設けられる。また、内壁１１５には、２つの開口１１９が対向して形成される。また、内壁１１５には、開口１１９と対になって、切欠部１２０が形成される。開口１１９及び切欠部１２０は、カートリッジロック機構６１に対応して形成されており、後述するＣ字状部材の一方先端部が開口１１９から開口１１３側に突出し、あるいは、他方先端部が切欠部１２０から開口１１３側に突出する。上側ハウジング３の内面には、２組の開口１１９及び切欠部１２０に対応して、それぞれ軸支持部１０９ａ，１０９ｂが形成される。軸支持部１０９ａ，１０９ｂの先端部には、Ｃ字状部材の軸を支持する半円上の切欠部が設けられる。上側ハウジング３の内面には、一方側（アダプタ１の正面に向かって左側）の短辺に沿って、プッシュ機構７３を支持するための支持部１０７ａ〜１０７ｃが形成される（図８参照）。
【０１４４】
また、上側ハウジング３の内面には、外縁に沿って、円筒状凸部９３ａ〜９３ｋ及び円筒状凸部１０３ａ〜１０３ｊが形成される。上側ハウジング３の内面には、基板６５を支持するための円筒状凸部９７ａ，９７ｂ、及び、基板６７を支持するための円筒状凸部９７ｃが形成される。また、上側ハウジング３の内面には、基板６３を支持するための円筒状凸部９５ａ，９５ｄが形成される。また、上側ハウジング３の内面には、プッシュ機構７３の回転軸として使用される円筒状凸部１０１ｃが形成される。また、上側ハウジング３の内面には、コネクタ補強枠７１を支持するための円筒状凸部１０２ａ（図には現れていない。），１０２ｂが形成される。
【０１４５】
（昇降部） 
【０１４６】
図１０は、図４の昇降機構５７及び昇降台ロック機構５９ａ，５９ｂの図解図である。図１０に示すように、昇降機構５７は、軸支持部材１４９、回動部材１５７ａ〜１５７ｄ、トーションスプリング１４７ａ〜１４７ｄ、及び、軸１４１ａ〜１４１ｄ，１４５ａ〜１４５ｄ，１４３ａ〜１４３ｄ、を含む。昇降台ロック機構５９ａは、軸１３９ａ、円板状のマグネット１５５ａ、マグネット保持部材１５３ａ、及び、昇降台支持部材１５１ａにより構成される。昇降台ロック機構５９ｂも同様の構成である。なお、回動部材１５７ａ〜１５７ｄ及び軸１４１ａ〜１４１ｄ，１４５ａ〜１４５ｄ，１４３ａ〜１４３ｄの各々を包括して表現するときは、それぞれ、回動部材１５７及び軸１４１，１４５，１４３、と表記する。また、昇降台ロック機構５９ａ，５９ｂ、軸１３９ａ，１３９ｂ、マグネット１５５ａ，１５５ｂ、マグネット保持部材１５３ａ，１５３ｂ、及び、昇降台支持部材１５１ａ，１５１ｂ、の各々を包括して表現するときは、それぞれ、昇降台ロック機構５９、軸１３９、マグネット１５５、マグネット保持部材１５３、及び、昇降台支持部材１５１、と表記する。
【０１４７】
図９及び図１０を参照して、昇降台５５の前側（アダプタ１の正面側）には、そこから突き出るように、ストッパ１３１が形成される（図７参照）。また、昇降台５５の両側面に、図６のガイド溝１１７に対応して、ストッパ１３３が形成される。また、昇降台５５には、昇降台ロック機構５９ａ，５９ｂを構成するマグネット１５５ａ，１５５ｂを露出させるための開口１３７ａ，１３７ｂが形成される。昇降台５５の内面には、一方側縁に沿って、半円柱状の軸当接部１２９ａ，１２９ｂが設けられ、他方側縁に沿って、半円柱状の軸当接部１２９ｃ，１２９ｄが設けられる。また、昇降台５５の内面には、前側（アダプタ１の正面側）に軸支持部１３５ａが設けられ、後側（アダプタ１の背面側）に軸支持部１３５ｂが設けられる。図７に示すように、昇降台５５の上面には、装飾板４が取付けられる。なお、開口１３７ａ，１３７ｂ、軸当接部１２９ａ〜１２９ｄ及び軸支持部１３５ａ，１３５ｂの各々を包括して表現するときは、それぞれ、開口１３７、軸当接部１２９及び軸支持部１３５と表記する。
【０１４８】
さて、Ｈ字状の軸支持部材１４９の４つの突端部には、それぞれ、軸１４５ａ〜１４５ｄが、外側に向かって突き出るように固着される。その軸１４５には、回動部材１５７が回動自在に取付けられる。回動部材１５７の上端部には、軸１４１が、外側に突き出るように固着される。一方、回動部材１５７の下部は、二股になっており、２つの脚部が形成されている（図８参照）。そして、２つの脚部を、図５の軸支持部１１１の間に挟み、さらに、トーションスプリング１４７をその２つの脚部に挟み、これらを貫通するように、軸１４３を挿入して、回動自在に回動部材１５７が取付けられる。この場合、軸１４３は、軸支持部１１１に固着されるため、回動部材１５７は、軸１４３の回りに回動可能となっている。一方、回動部材１５７の上端部の軸１４１は、昇降台５５の内面に設けられた軸当接部１２９に当接し、昇降台５５の昇降に伴い、軸当接部１２９を摺り動く（図７参照）。
【０１４９】
トーションスプリング１４７の弾性力により、回動部材１５７の軸１４１が、昇降台５５を上方向に押上げようとするが、ストッパ１３１及び１３３により、昇降台５５は定位置に維持される。その結果、装飾板４（昇降台５５）にカートリッジ５００が置かれていないときは、図７に示すように、回動部材１５７は、下側ハウジング７の内面に対して鋭角な状態に維持される。
【０１５０】
図１０に戻って、マグネット保持部材１５３は、マグネット１５５を保持する。昇降台支持部材１５１の基端部及びマグネット保持部材１５３の基端部を貫くように、軸１３９が挿入される。この場合、軸１３９により貫かれる、昇降台支持部材１５１及びマグネット保持部材１５３に形成された孔の直径は、軸１３９の直径より大きくなっており、昇降台支持部材１５１及びマグネット保持部材１５３は、軸１３９の回りに回動可能である。
【０１５１】
このようにして構成された昇降台ロック機構５９の軸１３９の両端が、昇降台５５の内面に形成された軸支持部１３５に固着される。そして、装飾板４（昇降台５５）にカートリッジ５００が置かれていないときは、図７に示すように、昇降台支持部材１５１は、自重によって、下側ハウジング７の内面に対して直立する。なお、マグネット保持部材１５３は、昇降台支持部材１５１に対して、鋭角な状態となっている。この点を含めて、昇降台ロック機構５９の詳細構造を説明する。
【０１５２】
図１１（ａ）は図１０のマグネット保持部材１５３ａの平面図、図１１（ｂ）は左側面図、図１１（ｃ）は昇降台支持部材１５１ａの平面図、図１１（ｄ）は右側面図、図１１（ｅ）は昇降台ロック機構５９ａの全開状態の説明図、図１１（ｆ）は昇降台ロック機構５９ａの閉じた状態の説明図、である。
【０１５３】
図１１（ａ）に示すように、マグネット保持部材１５３ａの基端部側の一方側面には、角度規定部１７３が形成される。図１１（ｂ）に示すように、この角度規定部１７３は、側面視において、台形状となっている。また、マグネット保持部材１５３ａの基端部には、軸１３９ａを挿入する軸孔１７１が形成される。一方、図１１（ｃ）（ｄ）に示すように、昇降台支持部材１５１ａの角部の上半分が切欠され、段付きとなって、マグネット保持部材１５３ａの角度規定部１７３を受けるための受け部１７５が形成される。また、昇降台支持部材１５１ａの基端部には、軸１３９ａを挿入する軸孔１７２が形成される。
【０１５４】
図１１（ｅ）に示すように、マグネット保持部材１５３ａ及び昇降台支持部材１５１ａは、一定角度θ２以上は開かないようになっている。つまり、角度規定部１７３の斜面１５６が、受け部１７５に当たって、一定角度θ２以上は開かないのである。この一定角度θ２は、角度規定部１７３の斜面１５６と面１５８との角度θ１により決定される。ここで、一定角度θ２は、鋭角である。一方、図１１（ｆ）に示すように、角度規定部１７３が、受け部１７５に嵌って、マグネット保持部材１５３ａ及び昇降台支持部材１５１ａが完全に閉じた状態となる。以上のように構成される昇降台ロック機構５９ａが、図１０の昇降台５５の軸支持部１３５ａに取付けられる。この場合、図７に示すように、装飾板４にカートリッジ５００が置かれていない状態では、図１１に示すマグネット保持部材１５３ａの角部１６０が、昇降台５５の内面に当たって、マグネット保持部材１５３ａ及び昇降台支持部材１５１ａが完全に閉じた状態にはならず、一定の鋭角を保つ。この角度の大きさは、図１１（ｅ）の角度θ２以下である。なお、昇降台ロック機構５９ｂの構成は、昇降台ロック機構５９ａの構成と同様である。
【０１５５】
（カートリッジロック部）
【０１５６】
図１２は、図４のカートリッジロック機構６１ａの斜視図である。図１２に示すように、カートリッジロック機構６１ａは、軸支持部材１６１ａ、Ｃ字状部材１５９ａ、及び、トーションスプリング１６５ａを含む。
【０１５７】
Ｃ字状部材１５９ａの側面に、軸１６３が突出して形成される。この軸１６３は、軸支持部材１６１ａにより支持される。また、軸１６３の一方側には、トーションスプリング１６５ａが嵌め込まれる。トーションスプリング１６５ａの一方の鉤部は、Ｃ字状部材１５９ａの内面に引っ掛けられ、他方の鉤部は、軸支持部材１６１ａの底面に引っ掛けられる。従って、トーションスプリング１６５ａの弾性力は、角度規定部１６７側にＣ字状部材１５９ａを回転させる方向に働く。しかし、Ｃ字状部材１５９ａの外面が、軸支持部材１６１ａの内側の側面に突出して形成された角度規定部１６７に当接するため、Ｃ字状部材１５９ａは、一定角度以上に傾くことはない。
【０１５８】
なお、カートリッジロック機構６１ｂの構成は、カートリッジロック機構６１ａの構成と同様である。以上のように構成されたカートリッジロック機構６１ａ，６１ｂが、図６の上側ハウジング３の内面に取付けられる。この点を詳しく説明する。
【０１５９】
図１３（ａ）及び図１３（ｂ）は、図４のカートリッジロック機構６１ａの取付状態の説明図である。なお、図１３（ｂ）では、図１２の角度規定部１６７の図示を省略している。図１３（ａ）に示すように、カートリッジロック機構６１ａの軸支持部材１６１ａは、上側ハウジング３の内面から延びている円筒状凸部９９ａにビス８７ａで固定される（図８参照）。カートリッジロック機構６１ｂも同様に、上側ハウジング３の内面から延びている円筒状凸部９９ｂにビス８７ｂで固定される（図８参照）。また、図１３（ｂ）に示すように、Ｃ字状部材１５９ａの軸１６３は、上側ハウジング３の内面から延びている軸支持部１０９ａによって、回動自在に支持される（図６参照）。また、軸支持部１０９ａだけでなく、上側ハウジング３の内面から延びている直立維持部１６９ａも、Ｃ字状部材１５９ａの直立姿勢の維持に寄与する。なお、カートリッジロック機構６１ｂも同様である。
【０１６０】
（電源スイッチ部）
【０１６１】
図１４は、図４のプッシュ機構７３の図解図である。図１４に示すように、プッシュ機構７３は、アーム１７７，１７９，１８１及びスプリング１９３を含む。アーム１７９の一方端部から下側に突き出た円筒状凸部１９１が、アーム１８１の一方端部に形成された挿入孔１８５に挿入され、ワッシャーヘッドビス９１ａが円筒状凸部１９１にねじ込まれる。円筒状凸部１９１の外径は、挿入孔１８５の内径より小さく、しかも、円筒状凸部１９１の先端は挿入孔１８５から突き出るので、アーム１８１は、円筒状凸部１９１の回りに回動自在である。また、アーム１７９の中央部から下側に突き出た円筒状凸部１８９が、アーム１７７の一方端部に形成された挿入孔１８７に挿入され、ワッシャーヘッドビス９１ｂが円筒状凸部１８９にねじ込まれる。円筒状凸部１８９の外径は、挿入孔１８７の内径より小さく、しかも、円筒状凸部１８９の先端は挿入孔１８７から突き出るので、アーム１７７は、円筒状凸部１８９の回りに回動自在である。また、アーム１７９の他方端部に形成された挿入孔１８３には、上側ハウジング３の内面から延びる円筒状凸部１０１ｃが挿入され、これにワッシャーヘッドビス９１ｃがねじ込まれる。円筒状凸部１０１ｃの外径は、挿入孔１８７の内径より小さく、しかも、円筒状凸部１０１ｃの先端は挿入孔１８３から突き出るので、アーム１７９は、円筒状凸部１０１ｃの回りに回動自在である。
【０１６２】
アーム１７７の他方端部には、キートップ４１（図４参照）が取付けられる。また、アーム１７７には、スプリング１９３が嵌め込まれる。一方、アーム１８１の他方端部には嵌合部１９７が形成され、この嵌合部１９７に、図４の電源スイッチ本体５３の先端部が緩やかに嵌め込まれる（図９参照）。図８及び図９に示すように、プッシュ機構７３は、支持部１０７ａ，１０７ｃと支持部１０８ａ，１０８ｂとにより挟み込まれて支持される（図５及び図６参照）。また、図８に示すように、アーム１７７にはめ込まれたスプリング１９３は、ストッパ１９５（図１４参照）と支持部１０７ｂとの間に挟まれる。
【０１６３】
（赤外線フィルタ） 
【０１６４】
図１５（ａ）は図４の赤外線フィルタ１９の斜視図、図１５（ｂ）は赤外線フィルタ１９の内面を示す平面図、図１５（ｃ）は図１５（ｂ）のＢ−Ｂ断面図、である。図１５（ｂ）（ｃ）に示すように、赤外線フィルタ１９の内面には、ドーナツ状のレンズ部１９９が形成される。詳しくは、このレンズ部１９９は、ドーナツの輪の中心軸に垂直な平面で、ドーナツを半分に切断したような形である。
【０１６５】
レンズ部１９９は、断面が半円状になっており、しかも、空気より屈折率が大きい。従って、外部から赤外線フィルタ１９に入射した赤外線は、レンズ部１９９から出射するときに、レンズ部１９９の中心軸方向に屈折する。さらに、レンズ部１９９は、環状であるため、３６０度の方向からの赤外線を集光できる。その結果、赤外線フィルタ１９の後側に配置される（レンズ部１９９と対向して配置される）赤外線センサ５０の受光範囲を拡大できる（図９参照）。
【０１６６】
また、赤外線フィルタ１９は、黒色あるいは濃い他の色であり、赤外線だけを透過させる。このため、赤外線以外の光線による、赤外線センサ５０の誤動作を極力回避できる。
【０１６７】
なお、ドーナツ状のレンズ部１９９を持つ赤外線フィルタ１９ではなく、赤外線センサ５０の受光範囲を拡大することができるような形状の赤外線フィルタであればどのようなものでも用いることができる。例えば、表面に小さなピラミッド状の突起を多数有し、それらピラミッドに入射する光を屈折によって赤外線５０の方向に導くような赤外線フィルタを用いることもできる。この場合、小さなピラミッド状突起は、赤外線フィルタの内面に形成される。
【０１６８】
このアダプタ１によれば、ドーナツ状のレンズ部１９９又は多数の小さなピラミッド状突起により広い角度の方向から赤外光を集光できるので、赤外線受信センサ５０の受光範囲を拡大できる。また、赤外線フィルタ１９の取付が、レンズの取付に該当するので、製造工程の削減を図ることができる。
【０１６９】
（コネクタ）
【０１７０】
図１６（ａ）は図４のコネクタ６９の正面図、図１６（ｂ）は図４のコネクタ６９の平面図、図１６（ｃ）は図４のコネクタ６９の底面図、である。図１７（ａ）は図１６（ａ）〜（ｃ）のシールド部材２０１の斜視図、図１７（ｂ）は図１６（ａ）〜（ｃ）のコネクタ本体２０３の斜視図、図１７（ｃ）は図１６（ａ）〜（ｃ）のコネクタ６９の斜視図、である。図１８は、図１６（ａ）のＣ−Ｃ断面図である。
【０１７１】
図１７（ａ）〜（ｃ）に示すように、コネクタ本体２０３は絶縁性物質で形成された概略直方体形を有している。コネクタ本体２０３の上面及び両側面を覆うように、金属製のシールド部材２０１が取付けられる。このシールド部材２０１の上面には、開口が形成される。この開口の縁は、平面視において、コネクタ６９の正面側が矩形波状になっている（図１６（ｂ）参照）。このようにして、図１７（ａ）に示すように、シールド部材２０１の上面には、５つの接点部２０７が形成される。この接点部２０７は、図１８に示すように、断面視において、中央付近が高く両側が低くなっている（山状）。また、シールド部材２０１には、取付部分２０９にぴったりはめるための爪部２０８が形成される。さらに、シールド部材２０１の両側面に、切り込みを入れて、爪部２１０を形成する。以上のようなシールド部材２０１を、コネクタ本体２０３を覆うように取付ける。具体的には、爪部２０８を、コネクタ本体２０３の取付部２０９の裏面側に廻り込むように折り曲げ（図１７（ｃ）、図１６（ａ）〜（ｃ）参照）、さらに、コネクタ本体２０３の側面に形成された溝部に引っかかるように、爪部２１０を内側に折り曲げることにより、シールド部材２０１をコネクタ本体２０３に取付ける。
【０１７２】
図１７（ｂ）及び図１８に示すように、コネクタ本体２０３の上面には、凹部１９８が形成される。また、コネクタ本体２０３には、カートリッジ５００の嵌合凸部５３８（図１参照）が嵌めこまれる横長の嵌合凹部２１１が形成され、嵌合凹部２１１の上方は、カートリッジ５００の嵌合凹部５３９（図１参照）が嵌めこまれる横長の嵌合凸部２１５となっている。
【０１７３】
また、コネクタ本体２０３の内部には、図１８及び図１６（ａ）に示すように、仕切り２１２が形成されており、この仕切り２１２の縁（図１８参照）及びコネクタ本体２０３の底部内面により、嵌合凹部２１１が形成される。さらに、コネクタ本体２０３の一方側面から他方側面にかけて、端子支持部２１３が形成される。そして、２４本の端子Ｔ１〜Ｔ２４（これらを包括して表現するときは、端子Ｔｎ（ｎ＝１〜２４）と表記する。）が、仕切り２１２に挟み込まれ、かつ、各端子Ｔｎの一方端部が、端子支持部２１３により支持される。さらに、各仕切り２１２の背面側の一部を溶融して、各端子Ｔｎに付着させる。以上のようにして、端子Ｔｎをコネクタ本体２０３に固定する。また、図１８に示すように、端子Ｔｎは、端子支持部２１３に支持される端部から、嵌合凹部２１１に向かって屈曲し、さらに、コネクタ本体２０３の上面に向かって屈曲している。このようにしてできた頂点部が接点部２１４となる。さらに、端子Ｔｎは、上面に沿って背面側に延び、直角に屈曲している。
【０１７４】
以上のようにして構成されるコネクタ６９は、図８に示すように、ビス８３ｂ，８３ｃにより、基板６３に固定され、また、図４のコネクタ補強枠７１により補強される（図７参照）。コネクタ補強枠７１は、図６の円筒状凸部１０２ａ（図には現れていない。），１０２ｂに、ビス８５ｂ（図には現れていない），８５ａにより固定される（図８参照）。
【０１７５】
（昇降動作）
【０１７６】
図１９（ａ）は、図７の装飾板４にカートリッジ５００が置かれていない場合の昇降機構５７及び昇降台ロック機構５９の説明図、図１９（ｂ）は、装飾板４にカートリッジ５００が置かれた場合の昇降機構５７及び昇降台ロック機構５９の説明図、図１９（ｃ）は、装飾板４上のカートリッジ５００が最下部まで降下した場合の昇降機構５７及び昇降台ロック機構５９の説明図、図１９（ｄ）は、装飾板４上のカートリッジ５００がコネクタ６９に装着された状態の昇降機構５７及び昇降台ロック機構５９の説明図、である。
【０１７７】
図１９（ａ）に示すように、装飾板４にカートリッジ５００が置かれていない場合は、昇降台支持部材１５１は、その自重により直立している。このため、装飾板４にカートリッジ５００が置かれていない場合には、昇降台５５を押下げようとしても、昇降台支持部材１５１による支えにより、昇降台５５は下降しない。
【０１７８】
なお、この場合、マグネット保持部材１５３は、その自重及び角部１６０（図１１（ｅ）参照）により、昇降台支持部材１５１に対して鋭角に傾いた状態となっている。ここで、トーションスプリング１４７により、昇降台５５を押上げる力が働いているが、図８に示すように、昇降台５５に形成されたストッパ１３１（図１９（ａ）〜（ｄ）では図示省略）が、上側ハウジング３の内面に引っ掛かるため、昇降台５５は定位置に保たれる。また、昇降台５５の側面に形成されたストッパ１３３（図１０参照）も、ガイド溝１１７（図６参照）の終端に引っ掛かり、昇降台５５を定位置に保つ。
【０１７９】
図１９（ｂ）に示すように、カートリッジ５００が装飾板４の上に置かれると、カートリッジ５００の下側ハウジング５０４の内面に取付けられた金属板５３６ａ，５３６ｂ（包括して表現するときは金属板５３６と表記する。）に、マグネット１５５が引きつけられる。その結果、マグネット保持部材１５３が軸１３９の回りに回転し、これに伴い、昇降台支持部材１５１も軸１３９の回りに回転する。なぜなら、図１１（ｅ）で説明したように、角度規定部１７３及び受け部１７５により、マグネット保持部材１５３と昇降台支持部材１５１とがなす角度は、一定角度θ２より大きくならず、両者が一定角度θ２を保ったまま一体となって回転するからである。以上により、昇降台支持部材１５１による支えがなくなる。
【０１８０】
従って、装飾板４上のカートリッジ５００を押下げると、昇降台５５が降下して、図１９（ｃ）に示した状態になる。この場合、マグネット保持部材１５３及び昇降台支持部材１５１が完全に閉じた状態となり（図１１（ｆ）参照）、カートリッジ５００が置かれている装飾板４の高さと、コネクタ６９の嵌合凹部２１１の下面の高さと、が等しくなる。
【０１８１】
従って、カートリッジ５００をコネクタ６９側にスライドさせると、図１９（ｄ）に示すように、カートリッジ５００の嵌合凸部５３８及び嵌合凹部５３９をそれぞれコネクタ６９の嵌合凹部２１１及び嵌合凸部２１５に嵌めこむことができる。なお、上記一連の作業はユーザが手動で行なうが、図１９（ｃ）の状態でも、当然、トーションスプリング１４７の弾性力が昇降台５５を押上げようとするので、ユーザは、カートリッジ５００を押下げる力を保ったまま、カートリッジ５００をスライドさせる必要がある。
【０１８２】
以上のような一連の動作により、カートリッジ５００がコネクタ６９に装着される。一方、上記と逆の動作により、装着されたカートリッジ５００を取出すことができる。ただし、コネクタ６９からカートリッジ５００を引き出したら、トーションスプリング１４７の弾性力により、昇降台５５が上昇するので、手動で引っ張り上げる必要はない。
【０１８３】
なお、カートリッジ５００を誤って上下逆に装飾板４の上に置いた場合、金属板５３６は装飾板４から離れた位置となるため、マグネット１５５が金属板５３６に引きつけられて昇降台ロック機構が解除されることはない。
【０１８４】
従って、カートリッジ５００が誤って上下逆にアダプタ１に装着されることが防止できる。またカートリッジ５００を誤って前後逆に置いた場合でも、後掲の図２８にも示すように、金属板５３６がカートリッジ５００の左右中央位置ではなく、図示右側に偏って設けられているため、マグネット１５５が金属板５３６に引きつけられることはなく、昇降台ロック機構が解除されることはない。そのためカートリッジ５００が誤って前後逆にアダプタ１に装着されることが防止できる。
【０１８５】
（カートリッジロック動作）
【０１８６】
図２０（ａ）は、図１９（ｂ）の状態におけるカートリッジ５００とカートリッジロック機構５９のＣ字状部材１５９との関係図、図２０（ｂ）は、図１９（ｃ）の状態におけるカートリッジ５００とカートリッジロック機構５９のＣ字状部材１５９との関係図、図２０（ｃ）は、図２０（ｂ）の状態の右側面図、図２０（ｄ）は、カートリッジ５００がロックされた状態を示す右側面図、である。
【０１８７】
図２０（ａ）に示すように、昇降台５５がＣ字状部材１５９に接触する前の状態では、Ｃ字状部材１５９に取付けたトーションスプリング１６５（図１２参照）の弾性力により、２つのＣ字状部材１５９は、外側に開いた状態となっている。カートリッジ５００が押下げられ、昇降台５５の底面が、Ｃ字状部材１５９の下端部に当接すると、Ｃ字状部材１５９が回転して、図２０（ｂ）（ｃ）に示すように、その上端部が、カートリッジ５００の両側面に形成されたロック溝５６０ａ，５６０ｂ（これらを包括して表現するときは、ロック溝５６０と表記する。）に当接する。この場合、Ｃ字状部材１５９の下端部が、昇降台５５の側面に当接しているので、Ｃ字状部材１５９の上端部がロック溝５６０に当接した状態を維持できる。
【０１８８】
そして、図１９（ｄ）に示すように、カートリッジ５００をアダプタ１の正面側（コネクタ６９側）にスライドさせて、コネクタ６９に装着する。このように、Ｃ字状部材１５９がロック溝５６０に当接した状態でカートリッジ５００をスライドさせても、ロック溝５６０が、カートリッジ５００側面の長手方向に形成されているため、スライド動作の妨げにはならない。以上のようにして、カートリッジ５００がコネクタ６９に装着された状態では、図２０（ｄ）に示すように、Ｃ字状部材１５９は、ロック溝５６０の終端部分に位置することになる。このような状態でも、Ｃ字状部材１５９は、昇降台５５の側面に当接した状態のままであるため、図２０（ｂ）の状態を保っている。従って、図７のトーションスプリング１４７による弾性力は、昇降台５５に加わったままであるため、Ｃ字状部材１５９の上端部が、ロック溝５６０の下縁に引っ掛かる。
【０１８９】
これにより、トーションスプリング１４７による昇降台５５を押上げる力は、カートリッジ５００の嵌合凸部５３８及びコネクタ６９だけでなく、ロック溝５６０の下縁及びＣ字状部材１５９にも加わって、力が加わる箇所を分散できるので、カートリッジ５００とコネクタ６９との接続状態が悪くなったり、破損の可能性が発生したり、等の不都合を極力防止できる。仮に、カートリッジロック機構６１を設けないならば、トーションスプリング１４７による力は、カートリッジ５００の嵌合凸部５３８及びコネクタ６９に集中するため、長時間の使用により、上記のような不都合が生じうる。
【０１９０】
（電源プッシュ動作） 
【０１９１】
図８及び図９を参照して、図１の電源スイッチ９をオンにするために、電源スイッチ９が押されると、プッシュ機構７３のアーム１７７が、電源スイッチ本体５３側に押込まれる。これに応じて、アーム１７９が、円筒状凸部１０１ｃ（図１４参照）を支点として、電源スイッチ本体５３側に回転する。さらに、これに応じて、アーム１８１が、電源スイッチ本体５３側に押込まれる。これにより、アーム１８１の嵌合部１９７（図１４参照）に嵌めこまれた電源スイッチ本体５３の先端部が押されて、電源スイッチ本体５３がオン状態になる。オン状態の電源スイッチ本体５３は、押されたままの状態を維持するので、スプリング１９３により、アーム１７７，１７９，１８１は、元の状態（基準状態）に戻る。なお、基準状態でも、スプリング１９３の弾性力が働いているが、アーム１７７に形成されたストッパ１９５が、支持部１０７ａ，１０８ａに当たって、基準状態が保たれる。
【０１９２】
以上のように、３つのアーム１７７，１７９，１８１による、てこの原理を利用して、押込み動作を実行している。これは、ユーザによる実際の押込み距離が短くても、十分な押込み距離を確保するためである。
【０１９３】
（他の構造）
【０１９４】
図４及び図６を参照して、枠体５ａは、上側ハウジング３の円筒状凸部９３ｂ〜９３ｅに、ビス８１ｂ〜８１ｅ（図８参照）で固定される。枠体５ｂは、上側ハウジング３の円筒状凸部９３ｆ〜９３ｉに、ビス８１ｆ〜８１ｉ（図８参照）で固定される。枠体５ｃは、上側ハウジング３の円筒状凸部９３ａ，９３ｋ，９３ｊに、ビス８１ａ，８１ｋ，８１ｊ（図８参照）で固定される。
【０１９５】
図４を参照して、リセットスイッチ本体４５、電源ランプ１０、キャンセルキー本体４７、方向キー本体５１ａ〜５１ｄ、決定キー本体４９、及び、赤外線センサ５０は、それぞれ、図１のリセットスイッチ１１、電源ランプ１０、キャンセルキー１３、方向キー１７ａ〜１７ｄ、決定キー１５、及び、赤外線フィルタ１９に対応して、基板６３に取付けられる。基板６３は、上側ハウジング３の円筒状凸部９５ａ，９５ｄに、ビス８３ａ，８３ｄにより固定される（図８参照）。
【０１９６】
図８及び図９も参照して、電源スイッチ本体５３、オーディオジャック３１Ｒ，３１Ｌ、及びビデオジャック３１Ｖは、基板６５に取付けられる。基板６５は、上側ハウジング３の円筒状凸部９７ａ，９７ｂに（図６参照）、ビス８９ａ，８９ｂにより固定される。電源ジャック２７及びＡＶジャック２５は、基板６７に取付けられる。基板６７は、上側ハウジング３の円筒状凸部９７ｃに（図６参照）、ビス８９ｃにより固定される。
【０１９７】
図４を参照して、上側ハウジング３の表面には、装飾板２が取付けられる。下側ハウジング７は、上側ハウジング３の円筒状凸部１０３ａ〜１０３ｊに、下側ハウジング７の外面側からビス３３ａ〜３３ｊ（図３（ｂ）参照）により固定される。この場合、下側ハウジング７の円筒状凸部１０５ａ〜１０５ｃ，１０５ｆ〜１０５ｈは（図５参照）、上側ハウジング３の円筒状凸部１０３ａ〜１０３ｃ，１０３ｆ〜１０３ｈに（図６参照）、嵌め込まれ、さらに、下側ハウジング７の円筒状凸部１０５ｉ，１０５ｊ，１０５ｄ，１０５ｅと、上側ハウジング３の円筒状凸部１０３ｉ，１０３ｊ，１０３ｄ，１０３ｅと、により基板６３，６５，６７が挟み込まれる。また、ジャックガード２３及び赤外線フィルタ１９も上側ハウジング３と下側ハウジング７との間に挟まれる。
【０１９８】
キートップ３５，３７，３９ａ〜３９ｄは、それぞれ、キャンセルキー本体５１、決定キー本体４９、及び、方向キー本体５１ａ〜５１ｄの頭部に当接するように配置され、キートップ３５，３７，３９ａ〜３９ｄの表面は、それぞれ、挿入孔７５，７７，７９ａ〜７９ｄから露出する。また、キートップ４１，４３は、それぞれ、プッシュ機構７３のアーム１７７の先端部（図１４参照）及びリセットスイッチ本体４５の先端部に当接するように配置される。
【０１９９】
なお、キートップ３５及びキャンセルキー本体４７で、キャンセルキー１３を構成する。キートップ３７及び決定キー本体４９で決定キー１５を構成する。キートップ３９ａ及び方向キー本体５１ａ、キートップ３９ｂ及び方向キー本体５１ｂ、キートップ３９ｃ及び方向キー本体５１ｃ、並びに、キートップ３９ｄ及び方向キー本体５１ｄ、のそれぞれで、方向キー１７ａ，１７ｂ，１７ｃ，１７ｄが構成される。キートップ４３及びリセットスイッチ本体４５で、リセットスイッチ１１を構成する。キートップ４１、プッシュ機構７３、及び、電源スイッチ本体５３で電源スイッチ９を構成する。
【０２００】
（Ｂ）カートリッジ５００の構造
【０２０１】
図２１（ａ）は図１のカートリッジ５００の平面図、図２１（ｂ）はカートリッジ５００の底面図、図２１（ｃ）はカートリッジ５００の右側面図、である。図２２は、図２１（ａ）のＣ−Ｃ断面図である。図２３は、図１のカートリッジ５００の分解斜視図である。図２３に示すように、カートリッジ５００は、上面、下面、左右の両側面、前面及び背面を有する、平板な直方体形状を有し、固定部材５１０、天板５０６、上側ハウジング５０２、シールド部材５０８、ナット５１４ａ〜５１４ｄ、円筒状部材５１６ａ〜５１６ｄ、塵埃侵入防止部材５１２、基板５１８、シールド部材５２０、及び、下側ハウジング５０４、を含む。
【０２０２】
図２４（ａ）は図２３の基板５１８の平面図、図２４（ｂ）は基板５１８の接続部５２４の右側面図、である。
【０２０３】
図２４（ａ）に示すように、矩形状の基板５１８の両側縁には、半円状の切欠部が設けられ、また、前縁を除く縁に沿って、孔５２２ａ〜５２２ｆが形成される。基板５１８の前端部には、凹部が形成され、連続して、凸部が形成され、さらに連続して、凹部が形成されている。この凸部は、接続部５２４である。接続部５２４には、２４本の端子ｔ１〜ｔ２４（これらを包括して表現するときは、端子ｔｎ（ｎ＝１〜２４）と表記する。）が、幅方向に形成される。図２４（ｂ）に示すように、接続部５２４の先端には、下側に傾斜する傾斜面が形成され、カートリッジ５００が、図１７（ｃ）のコネクタ６９にスムーズに装着できるようになっている。同様の理由で、図１８に示すように、嵌合凹部２１１の縁（開口縁）にも傾斜面が形成されている。
【０２０４】
図２５は、図２３の塵埃侵入防止部材５１２の斜視図である。図２５に示すように、塵埃侵入防止部材５１２には、外部の塵埃が嵌合凹部５３９から内部に侵入することを防止するための壁部５２９が形成される。また、塵埃侵入防止部材５１２の表面には、円筒状凸部５２６ａ，５２６ｂ，５２８ａ，５２８ｂが形成される。この塵埃侵入防止部材５１２の円筒状凸部５２６ａ，５２６ｂを、それぞれ、基板５１８の孔５２２ａ，５２２ｆに重ねて、ビス５５８ａ（図２２参照），５５８ｆ（図には現れていない。）を円筒状凸部５２６ａ，５２６ｂにねじ込む。このようにして、塵埃侵入防止部材５１２を基板５１８に取付ける。
【０２０５】
図２６は、図２５の塵埃侵入防止部材５１２の説明図である。図２６は、塵埃侵入防止部材５１２を取付けた基板５１８を下側ハウジング５０４に載置した状態を示している。図２６に示すように、塵埃侵入防止部材５１２の壁部５２９は、端子ｔｎは外部に露出させながらも、嵌合凸部５３８の前縁に平行に形成され、また、壁部５２９の両端部は、下ハウジング５０４の前縁側に直角に曲がって、嵌合凹部５３９の外縁に沿って、下ハウジング５０４の前縁付近まで延びている。以上のようにして、完成後のカートリッジ５００の嵌合凹部５３９による隙間が、塵埃侵入防止部材５１２によって塞がれ（図２２参照）、外部からの塵埃の侵入が防止される。
【０２０６】
図２７は、図２３のシールド部材５０８の平面図である。図２７に示すように、シールド部材５０８は、図２４（ａ）の基板５１８全体を覆うことができる形状及びサイズになっている。シールド部材５０８の両側縁には、半円状の切欠部が設けられ、また、外縁に沿うように、孔５３０ａ〜５３０ｆが形成される。
【０２０７】
シールド部材５０８の孔５３０ｂ〜５３０ｅをそれぞれ、塵埃侵入防止部材５１２を取付けた基板５１８の孔５２２ｂ〜５２２ｅに重ねる。そして、基板５１８の裏側から、ビス５５８ａ〜５５８ｄ（図には現れていない。ただし、ビス５５８ｂは図２２参照）を、孔５２２ｂ〜５２２ｅ及び孔５３０ｂ〜５３０ｅに挿入して、それぞれナット５１４ａ〜５１４ｄにねじ込む。さらに、シールド部材５０８の孔５３０ａ，５３０ｆをそれぞれ塵埃侵入防止部材５１２の円筒状凸部５２８ａ，５２８ｂに重ね、円筒状凸部５２８ａ，５２８ｂにビスをねじ込む。以上のようにして、シールド部材５０８を、基板５１８に取付ける。
【０２０８】
図２２に示すように、シールド部材５０８は、基板５１８への取付面（３面（図２７参照））だけが基板５１８に接しており、シールド部材５０８の上面と基板５１８との間には空間が形成されるため、基板５１８に形成される配線、ＬＳＩ（ｌａｒｇｅ  ｓｃａｌｅ  ｉｎｔｅｇｒａｔｅｄ  ｃｉｒｃｕｉｔ）及び電子部品等には、シールド部材５０８は接触しない。
【０２０９】
図２８は、図２３の下側ハウジング５０４の内面を示す平面図である。図２８に示すように、下側ハウジング５０４の内面には、前縁を除く外縁に沿って、円筒状凸部５３２ｂ，５３２ｄ，５３２ｇ，５３２ｈ，５３２ｉ，５３２ｌ，５３２ｎが形成される。さらに、下側ハウジング５０４の内面には、円筒状凸部５３２ｃ，５３２ｆ，５３２ｊ，５３２ｍ、及び、円筒状凸部５３２ａ，５３２ｅ，５３２ｋ，５３２ｏが形成される。円筒状凸部５３２ｃ，５３２ｆ，５３２ｊ，５３２ｍ，５３２ａ，５３２ｅ，５３２ｋ，５３２ｏの各々の側周には、先端部が平らな４つの支持部が形成される。なお、この支持部の基端から先端までの長さは、円筒状凸部の基端から先端までの長さより短い。
【０２１０】
また、下側ハウジング５０４の内面には、固定枠５３４ａ，５３４ｂが形成され、この固定枠５３４ａ，５３４ｂには、金属板５３６ａ，５３６ｂが嵌めこまれ、固着される。この固定枠５３４ａ，５３４ｂは、カートリッジ５００を図１のアダプタ１の装飾板４の上に置いたときに、昇降台５５の開口１３７ａ，１３７ｂ（図９参照）の真上に位置するように形成される。図２１（ｂ）も参照して、下側ハウジング５０４の後縁に沿って、３つの貫通孔５４６ａ〜５４６ｃが形成される。下側ハウジング５０４に形成される孔は、３つの貫通孔５４６ａ〜５４６ｃだけであり、円筒状凸部５３２ａ〜５３２ｏの内面により形成される穴は、下側ハウジング５０４の外面にまで貫通していない。
【０２１１】
下側ハウジング５０４の両側面の後部には、ロック溝５６０ａ，５６０ｂを構成する凹部が形成される。また、図２１（ｂ）（ｃ）及び図２２に示すように、下側ハウジング５０４の外面には、スペーサ５５２ａ〜５５２ｄが形成される。このスペーサ５５２ａ〜５５２ｄは、アダプタ１の装飾板４に、下側ハウジング５０４の外面全体が接触しないように設けてあり、これにより、装飾板４全面に傷がついたり、装飾板４に描かれた文字や図形等が剥がれ落ちたり、すること等を極力防止できる。
【０２１２】
図２８に戻って、下側ハウジング５０４の前端には、嵌合凸部５３８を構成する凸部、及び、嵌合凹部５３９を構成する凹部、が形成される。
【０２１３】
図２９は、図２３の上側ハウジング５０２の内面を示す斜視図である。図３０は、図２３の上側ハウジング５０２の平面図である。図２９及び図３０に示すように、上側ハウジング５０２には、矩形状に開口５４４が形成される。また、上側ハウジング５０２の内面には、前縁を除く外縁に沿って、円筒状凸部５４０ａ〜５４０ｇが形成される。円筒状凸部５４０ａ〜５４０ｇの内面により形成される孔は、上側ハウジング５０２の表面まで貫通しており、表面側からビスをねじ込むことができる。また、上側ハウジング５０２の前縁側及び後縁側には、それぞれ、挿入孔５４２ａ，５４２ｅ及び挿入孔５４２ｂ，５４２ｃ，５４２ｄが形成される。なお、これらの挿入孔は、上側ハウジング５０２の表面から内面まで貫通している。上側ハウジング５０２の両側面の後部には、ロック溝５６０ａ，５６０ｂを構成する凹部が形成される。
【０２１４】
さて、下側ハウジング５０４の内面には、基板５１８と同じような形状のシールド部材５２０（図２３参照）が貼り付けられる。このシールド部材５２０は、例えば、銅箔で形成される。そして、塵埃侵入防止部材５１２及びシールド部材５０８を取付けた基板５１８の両側縁の半円状の切欠部を（図２４（ａ）、図２７参照）、下側ハウジング５０４の円筒状凸部５３２ｃ，５３２ｆ，５３２ｊ，５３２ｍに嵌めて、基板５１８を、円筒状凸部５３２ｃ，５３２ｆ，５３２ｊ，５３２ｍの側周に形成された支持部に載置する。そして、円筒状凸部５３２ｃ，５３２ｆ，５３２ｍ，５３２ｊのそれぞれの先端部に、円筒状部材５１６ａ〜５１６ｄを嵌め込み、ビス５５４ａ〜５５４ｄ（図には現れていない。ただし、ビス５５４ｂは図２２参照）をねじ込んで、基板５１８を下側ハウジング５０４に固定する。
【０２１５】
次に、上側ハウジング５０２の内面の円筒状凸部５４０ａ〜５４０ｇをそれぞれ、下側ハウジング５０４の円筒状凸部５３２ｂ，５３２ｄ，５３２ｇ，５３２ｈ，５３２ｉ，５３２ｌ，５３２ｎに嵌めこみ、上側ハウジング５０２の外面側の孔から、ビス５５６ａ〜５５６ｇ（図には現れていない。ただし、ビス５５６ｄは図２２参照）をねじ込んで、上側ハウジング５０２と下側ハウジング５０４とを結合する。そして、上側ハウジング５０２の挿入孔５４２ａ，５４２ｅに、天板５０６の前縁に突き出るように形成された挿入部５４８ａ，５４８ｂを挿入して、天板５０６を、上側ハウジング５０２の表面に嵌める。
【０２１６】
図３１は、図２３の天板５０６を、上側ハウジング５０２の表面に嵌めた状態を示す平面図である。この様に天板５０６を上側ハウジング５０２の表面に仮止めした状態において、図２３の固定部材５１０を、挿入孔５４２ｂ，５４２ｃ，５４２ｄに嵌めこみ、カートリッジ５００の組立てを完成させる。この点を詳細に説明する。
【０２１７】
図３２は、図２３の固定部材５１０の斜視図である。図３２に示すように、固定部材５１０の両端部には、外側に向いた爪部５５０ａ，５５０ｃが形成される。また、固定部材５１０の中央部には、内側に向いた爪部５５０ｂが形成される。図３１の天板５０６の後縁に突き出るように形成された挿入部５４８ｃ，５４８ｄに固定部材５１０を被せるように、これらの爪部５５０ａ〜５５０ｃをそれぞれ、図３１の挿入孔５４２ｂ〜５４２ｄに嵌め込む。これにより、天板５０６が固定される。
【０２１８】
図３３は、図２１（ａ）のＤ−Ｄ断面図である。図３３及び図２２に示すように、固定部材５１０の爪部５５０ａ〜５５０ｃが、上側ハウジング５０２の縁に引っ掛かって、固定部材５１０が、上側ハウジング５０２に固定される。
【０２１９】
次に、図２２及び図３３を用いて、カートリッジ５００の分解方法について説明する。以上のようにして、カートリッジ５００を組み立てるので、外部にビスの頭は一切露出しない。従って、メンテナンス等のために、分解するときは、次のようにして行なう。下側ハウジング５０４に形成された孔５４６ａ〜５４６ｃから、細長い棒状のものを挿入して、上側ハウジング５０２の縁に引っ掛けられている爪部５５０ａ〜５５０ｃを、外していく。そうすると、固定部材５１０が、上側ハウジング５０２から外れるので、後は、組立て作業と逆の作業により、分解可能である。
【０２２０】
図３４（ａ）は図２３の基板５１８の平面図、図３４（ｂ）は基板５１８よりサイズが大きい中型基板５６２の平面図、図３４（ｃ）は中型基板５６２よりサイズが大きい大型基板５６４の平面図、図３４（ｄ）は図２３のシールド部材５０８の平面図、図３４（ｅ）はシールド部材５０８よりサイズが大きい中型シールド部材５６６の平面図、図３４（ｆ）は中型シールド部材５６６よりサイズが大きい大型シールド部材５６８の平面図、である。上記では、基板として、基板５１８を用い、シールド部材として、シールド部材５０８を用いた。しかし、これより大きいサイズの中型基板５６２及び中型シールド部材５６６、あるいは、さらに大きいサイズの大型基板５６４及び大型シールド部材５６８を、下側ハウジング５０４の構造を変更することなく取付けることができる。なぜなら、図２８に示すように、基板５１８のサイズに合わせた位置に形成される円筒状凸部５３２ｃ，５３２ｆ，５３２ｊ，５３２ｍの他に、大型基板５６４のサイズに合わせた位置に、円筒状凸部５３２ａ，５３２ｅ，５３２ｋ，５３２ｏが予め形成されているからである。
【０２２１】
大型基板５６４及び大型シールド部材５６８を取付けるときは、円筒状凸部５３２ａ，５３２ｅ，５３２ｋ，５３２ｏに、大型基板５６４及び大型シールド部材５６８を嵌めて、基板５１８及びシールド部材５０８の取付と同様にして、取付ける。中型基板５６２及び中型シールド部材５６６を取付けるときは、円筒状凸部５３２ｃ，５３２ｆ，５３２ｋ，５３２ｏに、中型基板５６２及び中型シールド部材５６６を嵌めて、基板５１８及びシールド部材５０８の取付と同様にして、取付ける。
【０２２２】
さて、図１８及び図２２を参照しながら、カートリッジ５００を、アダプタ１のコネクタ６９に装着するときの両者の関係を詳しく説明する。カートリッジ５００の嵌合凸部５３８及び嵌合凹部５３９がそれぞれ、コネクタ６９の嵌合凹部２１１及び嵌合凸部２１５に嵌めこまれる。そうすると、カートリッジ５００の基板５１８に形成された端子ｔ１〜ｔ２４（図２４（ａ）参照）が、コネクタ６９の端子Ｔ１〜Ｔ２４の接点部２１４に、一対一に接触する。一方、カートリッジ５００のシールド部材５０８は、嵌合凹部５３９に露出しているので、シールド部材５０８は、コネクタ６９のシールド部材２０１の接点部２０７に接触する。この場合、シールド部材２０１の接点部２０７の基端部は、コネクタ６９の上面に形成された凹部１９８側に曲がるので、長期間の使用においても、接点部２０７の山状の形状が変形することを防止できて、接続不良になることが防止される。
【０２２３】
（Ｃ）カートリッジの他の例（撮像ユニット付きカートリッジ）
【０２２４】
図３５は、図１のアダプタ１に装着する、撮像ユニット付きカートリッジ６００の斜視図である。図３５に示すように、このカートリッジ６００の本体６０１の上面には、撮像ユニット６０３が取付けられる。また、カートリッジ本体６０１の両側面には、図１のカートリッジ５００と同様に、ロック溝６１０ａ，６１０ｂが形成される。その機能は、カートリッジ５００のロック溝５６０ａ，５６０ｂと同じである。また、カートリッジ６００の正面には、図１のカートリッジ５００と同様に、端子ｔｎが露出している嵌合凸部６６８及びシールド部材５０８（図には現れていない）が露出している嵌合凹部６６９が設けられ、それぞれが、コネクタ６９の嵌合凹部２１１及び嵌合凸部２１５に嵌めこまれる。カートリッジ６００をアダプタ１に装着する際の手順は、カートリッジ５００の装着手順と同じである（図１９（ａ）〜（ｄ）参照）。また、装着したカートリッジ６００をロックする際の機構は、カートリッジ５００の場合と同様である（図２０（ａ）〜（ｄ）参照）。
【０２２５】
図３６（ａ）は図３５のカートリッジ６００の平面図、図３６（ｂ）はカートリッジ６００の底面図、図３６（ｃ）はカートリッジ６００の右側面図、である。図３７は、図３６（ａ）のＥ−Ｅ断面図である。図３８は、図３６（ａ）のＦ−Ｆ断面図であって、撮像ユニット６０３のみを示したものである。図３９は、図３５の撮像ユニット６０３の分解斜視図である。図３９に示すように、撮像ユニット６０３は、蓋板６２４、赤外線だけを透過させる赤外線フィルタ６１２、赤外発光ダイオード６１４ａ〜６１４ｄ、ＬＥＤ保持部材６１６、レンズユニット６２２、被覆された導線束６２０が取付けられた基板６１８、収納部材６２８、及び、ベース板６２６、を含む。
【０２２６】
レンズユニット６２２は、基板６１８に取付けられる。そして、レンズユニット６２２の円筒部分が、ＬＥＤ保持部材６１６の円筒部分の孔に嵌め込まれる。さらに、赤外線フィルタ６１２により、ＬＥＤ保持部材６１６の円筒部分の孔が覆われる。この場合、ＬＥＤ保持部材６１６、及び、赤外線フィルタ６１２、のそれぞれの両端の孔が縦方向に重なるようにして、ビスを貫通させ、両者を結合する。また、ＬＥＤ保持部材６１６の４つの角部付近にそれぞれ形成された２つの孔に、各赤外発光ダイオード６１４ａ〜６１４ｄの２本の脚が挿入される。以上のようにして、撮像ユニット本体６０５が構成される。
【０２２７】
蓋板６２４の内面から突き出た２つの円筒状凸部６０７に、基板６１８の裏面からビスをねじ込み、撮像ユニット本体６０５を蓋板６２４に固定する。そして、撮像ユニット本体６０５が固定された蓋板６２４を収納部材６２８に固定する。この場合、収納部材６２８の底部に形成された開口６１１に、基板６１８の先端部及び導線束６２０を挿入して、これらが露出するようにする（図３７、図３８参照。ただし、これらの図では、導線束６２０の図示を省略している。）。そして、収納部材６２８は、ベース板６２６の表面に固定される。この点を詳しく説明する。
【０２２８】
図４０は、図３９の収納部材６２８をベース板６２６に取付ける場合の説明図である。図４０に示すように、収納部材６２８の底部に形成された円筒状凸部６４４ａ〜６４４ｄを、それぞれ、ベース板６２６に形成された孔６４８ａ〜６４８ｄに突き合わせ、ビスをねじ込んで固定する。この場合、基板６１８の先端部及び導線束６２０を、ベース板６２６の開口６５０に挿入して、これらを露出させる（図３７参照）。
【０２２９】
さて、図３８に示すように、撮像ユニット本体６０５を蓋板６２４に取付ける際に、赤外発光ダイオード６１４ａ，６１４ｄは、蓋板６２４の裏面から突き出た円筒６６６ａ，６６６ｄの孔に挿入される。この円筒６６６ａ，６６６ｄの孔は、蓋板６２４の表面に貫通しており、赤外発光ダイオード６１４ａ，６１４ｄは、蓋板６２４の表面に露出する。赤外発光ダイオード６１４ｂ，６１４ｃについても同様である。
【０２３０】
このように、赤外発光ダイオード６１４ａ〜６１４ｄを円筒６６６ａ〜６６６ｄに挿入するので、赤外発光ダイオード６１４ａ〜６１４ｄからの赤外光が、基板６１８の表面に取付けたイメージセンサ６５４（図３７参照）に直接検知されることを防止できる。さらに、蓋板６２４は、赤外発光ダイオード６１４ａ〜６１４ｄが挿入される円筒６６６ａ〜６６６ｄの内面を含めて、つや消しの黒色である。従って、赤外発光ダイオード６１４ａ〜６１４ｄからの赤外光が、円筒６６６ａ〜６６６ｄを透過して、基板６１８の表面に取付けたイメージセンサ６５４に検知されることを極力防止できる。
【０２３１】
図３７を参照して、図３９のレンズユニット６２２の詳細を説明する。レンズユニット６２２は、ユニットベース６５６、レンズホルダ６５８、凹レンズ６６０、及び、凸レンズ６６２、を含む。レンズホルダ６５８の赤外線フィルタ６１２側には、基板６１８に取付けたイメージセンサ６５４と平行に、凹レンズ６６０が取付けられる。また、レンズホルダ６５８のイメージセンサ６５４側には、イメージセンサ６５４と平行に、凸レンズ６６２が取付けられる。そして、凹レンズ６６０と凸レンズ６６２との間は、空洞（光路）６６４になっている。赤外線フィルタ６１２を透過した赤外光は、凹レンズ６６０、空洞６６４、及び、凸レンズ６６２を通過して、イメージセンサ６５４に検出される。なお、レンズホルダ６５８は、ユニットベース６５６に固定される。
【０２３２】
図４１は、図３５のカートリッジ本体６０１の分解斜視図である。図４１に示すように、カートリッジ本体６０１は、天板６０６、上側ハウジング６０２、シールド部材５０８、塵埃侵入防止部材５１２、円筒状部材５１６ａ〜５１６ｄ、ナット５１４ａ〜５１４ｄ、基板５１８、シールド部材５２０、及び、下側ハウジング６０４を含む。シールド部材５０８、塵埃侵入防止部材５１２、円筒状部材５１６ａ〜５１６ｄ、ナット５１４ａ〜５１４ｄ、基板５１８、及び、シールド部材５２０は、図１のカートリッジ５００のものと同じであり、また、取付け方も同じであるため、説明を省略する。
【０２３３】
図４２は、図４１の下側ハウジング６０４の内面を示す平面図である。図４２に示すように、下側ハウジング５０４の内面には、円筒状凸部５３２ｃ，５３２ｆ，５３２ｊ，５３２ｍ、及び、円筒状凸部５３２ａ，５３２ｅ，５３２ｋ，５３２ｏが形成される。これらは、図１のカートリッジ５００の下側ハウジング５０４の、円筒状凸部５３２ｃ，５３２ｆ，５３２ｊ，５３２ｍ、及び、円筒状凸部５３２ａ，５３２ｅ，５３２ｋ，５３２ｏ、と同様の機能を果たすものであり、説明を省略する。従って当然、カートリッジ６００でも、基板５１８及びシールド部材５２０に限らず、図３４（ｃ）〜（ｆ）に示した、中型基板５６２及びシールド部材５６６、並びに、大型基板５６４及びシールド部材５６８、を組み込むことができて、下側ハウジング６０４の構造の変更も不要である。
【０２３４】
また、下側ハウジング６０４の内面には、両側縁に沿って、円筒状凸部６２１ａ〜６２１ｆが形成される。さらに、下側ハウジング６０４の後側の両隅部には、円筒状凸部６３０ａ〜６３０ｆが形成される。なお、円筒状凸部６３０ａ，６３０ｄの内面により形成される孔のみ、下側ハウジング６０４の外面まで貫通している。また、下側ハウジング６０４の後側には、円筒状凸部６３１ａ〜６３１ｄが形成される。
【０２３５】
下側ハウジング６０４の内面には、固定枠５３４ａ，５３４ｂが形成され、この固定枠５３４ａ，５３４ｂには、金属板５３６ａ，５３６ｂが嵌めこまれ、固着される。この金属板５３６ａ，５３６ｂの機能は、図１のカートリッジ５００の金属板５３６ａ，５３６ｂと同じであり、説明を省略する。
【０２３６】
下側ハウジング６０４の両側面の後部には、ロック溝６１０ａ，６１０ｂを構成する凹部が形成される。また、図３６（ｂ）（ｃ）及び図３７に示すように、下側ハウジング６０４の外面には、スペーサ６０８ａ〜６０８ｄが形成される。このスペーサ６０８ａ〜６０８ｄの機能は、図１のカートリッジ５００のスペーサ５５２ａ〜５５２ｄの機能と同じであり、説明を省略する。また、下側ハウジング６０４の前端には、嵌合凸部６６８を構成する凸部、及び、嵌合凹部６６９を構成する凹部、が形成される。
【０２３７】
図４３は、図４１の上側ハウジング６０２の内面を示す斜視図である。図４３に示すように、上側ハウジング６０２には、矩形状の開口６３８，６３９が形成される。また、上側ハウジング６０２の内面には、両側縁に沿って、円筒状凸部６３２ａ〜６３２ｆが形成される。円筒状凸部６３２ａ〜６３２ｆの内面により形成される孔は、上側ハウジング６０２の表面まで貫通しており、表面側からビスをねじ込むことができる。また、上側ハウジング６０２の後側の両隅部には、それぞれ、孔６３４ａ〜６３４ｃ及び孔６３４ｄ〜６３４ｆが形成される。なお、これらの孔は、上側ハウジング６０２の表面から内面まで貫通している。上側ハウジング６０２の両側面の後部には、ロック溝６１０ａ，６１０ｂを構成する凹部が形成される。
【０２３８】
さて、上側ハウジング６０２の円筒状凸部６３２ａ〜６３２ｆは、それぞれ、下側ハウジング６０４の円筒状凸部６２１ａ〜６２１ｆに嵌め込まれ、上側ハウジング６０２の表面側から、ビス６５２ａ〜６５２ｆ（後で説明する図４４参照）がねじ込まれる。このようにして、基板５１８等が固定された下側ハウジング６０４に、上側ハウジング６０２を固定する。
【０２３９】
図４４は、図４１の天板６０６を上側ハウジング６０２に取付ける際の説明図である。図４４に示すように、上側ハウジング６０２の前縁付近に、２つの挿入孔６４２ａ，６４２ｂが形成されている。この挿入孔６４２ａ，６４２ｂに、天板６０６の前縁に形成された挿入部６４０ａ，６４０ｂを挿入して、天板６０６を上側ハウジング６０２に嵌める。
【０２４０】
そして、図４０のベース板６２６の円筒状凸部６４６ａ〜６４６ｆをそれぞれ、孔６３４ｃ，６３４ａ，６３４ｂ，６３４ｆ，６３４ｅ，６３４ｄに挿入して、下側ハウジング６０４の円筒状凸部６３０ｃ，６３０ａ，６３０ｂ，６３０ｆ，６３０ｅ，６３０ｄに嵌め込む。この場合、ベース板６２６は、天板６０６の後縁に突出して形成された挿入部６４０ｃ，６４０ｄに被さる。そして、下側ハウジング６０４の円筒状凸部６３０ａ，６３０ｄ及びベース板６２６の円筒状凸部６４６ｂ，６４６ｆに、下側ハウジング６０４の底面側から、ビス６７１ａ，６７１ｂをねじ込んで固定する。
【０２４１】
（Ｄ）アダプタ１の使用例１
【０２４２】
図４５は、図１のアダプタ１の使用例１の説明図である。図４５に示すように、ＡＶケーブル１２の一方のＡＶプラグ（図示せず）をアダプタ１のＡＶジャック２５に差し込み、他方のＡＶプラグ２２をテレビジョン受像機１４のＡＶジャック２４に差し込む。また、電源ケーブル１６のプラグ（図示せず）をアダプタ１の電源ジャック２７に差し込み、プラグユニット１８のプラグを、コンセント２０に差し込む。なお、プラグユニット１８は、変圧器を備えており、コンセント２０から供給される電圧を一定の電圧に下げて、電源ケーブル１６からアダプタ１に供給する。
【０２４３】
図４５では、アダプタ１をテレビジョン受像機１４の上面に載置している。そして、この使用例１では、ラケット型入力装置７００、あるいは、バット型入力装置８００及びボール型入力装置８５４、を使用する。なお、ラケット型入力装置７００のグリップ底部には、ストラップ７０３が取付けられる。また、バット型入力装置８００のグリップエンドには、ストラップ８０１が取付けられる。また、ボール型入力装置８５４には、ストラップ８０３が取付けられる。以下順番に、それらの構造を説明する。
【０２４４】
（ラケット型入力装置）
【０２４５】
図４６は、図４５のラケット型入力装置７００の平面図である。なお、ストラップ７０３の図示は省略している。図４７は、図４６のラケット型入力装置７００の本体部分の分解斜視図である。図４８は、図４６のラケット型入力装置７００のグリップ部分の分解斜視図である。図４９は、図４６のＧ−Ｇ断面図である。
【０２４６】
図４７及び図４８に示すように、ラケット型入力装置７００は、ＬＥＤカバー７２８、下側ハウジング７０２、ラバーリング７１８、圧電素子７２０、ラバーリング７１９、挟持板７２４、基板７１２、ＬＥＤホルダ７１４ａ，７１４ｂ、赤外発光ダイオード７１６ａ〜７１６ｄ（赤外発光ダイオード７１６ｃ，７１６ｄは、基板７１２の反対側の面に取付けられているため、図には現れていない。）、操作スイッチ７１０、基板７２６、赤外発光ダイオード７１６ｅ、ビスカバー部７１７が形成された側面カバー７３０ａ、側面カバー７３０ｂ，７３０ｃ、擬似打球部７０６、上側ハウジング７０４、グリップカバー７３２、軸受７３４、蓋枠７４４、バッテリプレート（プラス接点）７４２、内蓋７４０、軸７３６、及び、外蓋７３８、を含む。
【０２４７】
図４９に示すように、圧電素子７２０を、ラバーリング７１８とラバーリング７１９とで挟み、これらを、下側ハウジング７０２の内面に形成された底の浅い円筒状のホルダ７３３に収納して、挟持板７２４で挟み込む。挟持板７２４で、ラバーリング７１８，７１９を押さえつけるので、圧電素子７２０は、ラバーリング７１８，７１９に密着した状態で固定される。このようにして、圧電素子７２０は、擬似打球面に平行に取付けられる。
【０２４８】
基板７１２には、ＬＥＤホルダ７１４ａ，７１４ｂが取付けられる。ＬＥＤホルダ７１４ａ，７１４ｂの各々は、下側ハウジング７０２側及び上側ハウジング７０４側の両側から、赤外発光ダイオードを挿入できるようになっている。従って、ＬＥＤホルダ７１４ａには、下側ハウジング７０２側から赤外発光ダイオード７１６ａが嵌め込まれ、上側ハウジング７０４側から赤外発光ダイオード７１６ｄが嵌め込まれる。同様に、ＬＥＤホルダ７１４ｂには、下側ハウジング７０２側から赤外発光ダイオード７１６ｂが嵌め込まれ、上側ハウジング７０４側から赤外発光ダイオード７１６ｃが嵌め込まれる。また、基板７１２の上側ハウジング７０４側には、操作スイッチ７１０が取付けられる。それらを取付けた基板７１２は、上側ハウジング７０４に固定される。一方、赤外発光ダイオード７１６ｅは、基板７２６に取付けられる。赤外発光ダイオード７１６ｅを取付けた基板７２６は、上側ハウジング７０４の頂部に設けられたホルダ７３５に差し込まれる。
【０２４９】
擬似打球部７０６及び側面カバー７３０ａは、上側ハウジング７０４と下側ハウジング７０２との間に、挟み込まれる。そして、ラケット型入力装置７００の楕円状部分については、上側ハウジング７０４及び下側ハウジング７０２の側面からビスをねじ込んで、両者を結合し、擬似打球部７０６及び側面カバー７３０ａを固定する。その後、上側ハウジング７０４及び下側ハウジング７０２の側面を覆うように、側面カバー７３０ｂ，７３０ｃを取付ける。また、ラケット型入力装置７００の楕円状部分の先端付近の２箇所においては、その２箇所を覆っているビスカバー部７１７をめくって、下側ハウジング７０２の表面から上側ハウジング７０４へビスをねじ込むが、ねじ込んだ後に、ビスカバー部７１７を元に戻して、ビスの頭を覆う。一方、ラケット型入力装置７００のグリップ部分については、下側ハウジング７０２から上側ハウジング７０４にビスをねじ込み、両者を結合する。そして、グリップカバー７３２を、上側ハウジング７０４及び下側ハウジング７０２のグリップ部分に挿入する。
【０２５０】
以上のように、側面カバー７３０ａ〜７３０ｃ及びグリップカバー７３２により、ビスの頭が外部に露出しないように構成している。なお、側面カバー７３０ａ及びグリップカバー７３２の材質は、例えば、非フタル酸系塩化ビニールである。従って、比較的柔らかい。
【０２５１】
また、以上のようにして、取付けられた赤外発光ダイオード７１６ｅは、ラケット型入力装置７００の頂部から露出し、赤外発光ダイオード７１６ａ，７１６ｂは、下側ハウジング７０２の表面から露出し、赤外発光ダイオード７１６ｃ，７１６ｄは、上側ハウジング７０４の表面から露出する（図４９参照）。なお、赤外発光ダイオード７１６ａ〜７１６ｄを保護するため、透明のＬＥＤカバー７２８が、これらを覆うように取付けられる（図４６、図４７参照）。
【０２５２】
さて、図４９に示すように、ラケット型入力装置７００のグリップの底部には、蓋枠７４４が取付けられる。この蓋枠７４４には、軸７３６を挿入した内蓋７４０及び軸受７３４が取付けられる。また、内蓋７４０の表面には、ビス７５２（後で説明する図５０参照）によりバッテリプレート（プラス接点）７４２が取付けられ、裏面側からは、ビス７５０により、外蓋７３８がスライド可能に取付けられる。一方、グリップ内部の奥には、バッテリプレート（マイナス接点）７４５が取付けられる。そして、外蓋７３８及び内蓋７４０を開けて、２本の単三電池７４７をグリップ内部にセットし、再び、外蓋７３８及び内蓋７４０を閉め、外蓋７３８の表面側からビスをねじ込み固定する。次に、外蓋７３８及び内蓋７４０の開閉機構の詳細を説明する。
【０２５３】
図５０は、図４９の外蓋７３８及び内蓋７４０を開いた状態を示す斜視図である。図５１は、図４９の外蓋７３８及び内蓋７４０を閉じたときの状態を示す平面図である。図５２は、図４９の外蓋７３８及び内蓋７４０の開閉状態を示す側面図である。なお、図５１及び図５２では、説明の便宜のため、図５０のビス７５０の図示を省略している。
【０２５４】
図５０に示すように、外蓋７３８の先端の両角部には、鉤状の嵌合爪部７６０が形成される。一方、外蓋７３８の嵌合爪部７６０に対応して、蓋枠７４４の先端部の両隅には、嵌合孔７６２が形成される。また、上述のように、内蓋７４０の裏面側からは、ビス７５０により、外蓋７３８がスライド可能に取付けられる。この点を詳しく説明する。
【０２５５】
図５１に示すように、内蓋７４０には、２つの長孔７５４が形成される。この２つの長孔７５４に、外蓋７３８の内面に形成された２つの円筒状凸部７５６が挿入される。この場合、図５２に示すように、この円筒状凸部７５６の先端部は、内蓋７４０の長孔７５４から突出する。従って、ビス７５０を円筒状凸部７５６にねじ込んでも、外蓋７３８が内蓋７４０に固定されることはない。このため、外蓋７３８は、内蓋７４０の長孔７５４に沿って、最大で距離Ｌ（図５１参照）のスライドが可能である。
【０２５６】
図５２に示すように、外蓋７３８及び内蓋７４０が閉じた状態では、外蓋７３８の円筒状凸部７５６は、内蓋７４０の長孔７５４の一方末端（つまり、内蓋７４０の基端部側の末端）に位置している。従って、この場合、外蓋７３８の嵌合爪部７６０が、蓋枠７４４の嵌合孔７６２に挿入されている。また、この場合、蓋枠７４４に形成された円筒状凸部７６４（図５０参照）の内部に固定されたナット（図示せず）には、外蓋７３８に形成されたビス孔７５８から挿入されたビスがねじ込まれ、外蓋７３８及び内蓋７４０がロックされる。
【０２５７】
一方、外蓋７３８及び内蓋７４０を開く場合は、外蓋７３８及び内蓋７４０をロックしたビスを外す。そして、外蓋７３８をスライドさせて、外蓋７３８の嵌合爪部７６０を、蓋枠７４４の嵌合孔７６２から引き抜く。そして、外蓋７３８及び内蓋７４０を開く。図５２に示すように、外蓋７３８及び内蓋７４０が開いた状態では、外蓋７３８の円筒状凸部７５６は、内蓋７４０の長孔７５４の他方末端（つまり、内蓋７４０の先端部側の末端）に位置している。このように、外蓋７３８及び内蓋７４０を開く場合は、閉じた状態とは逆方向に外蓋７３８をスライドさせる。なお、開く場合の逆の動作により、外蓋７３８及び内蓋７４０を閉じることができる。
【０２５８】
（バット型入力装置）
【０２５９】
図５３（ａ）は図４５のバット型入力装置８００の平面図、図５３（ｂ）はバット型入力装置８００の底面図、である。なお、ストラップ８０１の図示は省略している。図５３（ａ）及び図５３（ｂ）に示すように、このバット型入力装置８００は、ヘッド８０２及び本体８０４からなる。本体８０４は、上半分がコントロール部８４０、下半分がグリップ部８４４となっている。
【０２６０】
図５３（ａ）に示すように、本体８０４のコントロール部８４０には、操作スイッチ８０６が設けられ、その反対側には、図５３（ｂ）に示すように、分離ボタン８１０が設けられる。また、コントロール部８４０の周面には、４つの赤外発光ダイオード８０８ａ〜８０８ｄが等間隔で露出する。
【０２６１】
図５４（ａ）〜図５４（ｃ）は、図４５のバット型入力装置８００の分離状態の説明図である。図５４（ａ）（ｂ）に示すように、バット型入力装置８００は、ヘッド８０２と本体８０４とを分離できる。図５４（ａ）に示すように、ヘッド８０２の基端部には、鉤状の爪部８１４を有する接続部材８１２が取付けられている。一方、コントロール部８４０の開口８１７の底部には、図５４（ｃ）に示すように、接続部材８１２の２つの爪部８１４に対応して、２つの接続孔８１６が形成される。ヘッド８０２の爪部８１４をコントロール部８４０の接続孔８１６に、嵌め込むことで、両者を結合できる。この点は後で詳しく説明する。
【０２６２】
図５５は、図５３（ｂ）のＨ−Ｈ断面図である。図５６は、図５５の範囲Ａの拡大図である。図５７は、図５５の範囲Ｂの拡大図である。図５８は、図５５の範囲Ｃの拡大図である。
【０２６３】
図５５に示すように、ヘッド８０２は、収納体８１８、スポンジ８２０、及び、接続部材８１２からなる。収納体８１８には、円柱状のスポンジ８２０が詰め込まれ、さらに、接続部材８１２が押込まれて固着される。なお、収納体８１８及びグリップ部８４４の材質は、例えば、非フタル酸系塩化ビニールである。
【０２６４】
さて、図５３（ｂ）の分離ボタン８１０の形状は、直方体状であり、その断面は、図５６に示すとおりである。図５６に示すように、分離ボタン８１０の先端部には、凸部が形成されている。そして、この凸部に、スプリング８３６の一方端が挿入され、スプリング８３６の他方端は、コントロール部８４０の内壁に接している。分離ボタン８１０の上面には、図５４の接続孔８１６に対応する位置に、２つの矩形状の開口が形成される。そして、接続部材８１２の爪部８１４は、接続孔８１６を通して、分離ボタン８１０の上面に形成された矩形状の開口に差し込まれ、分離ボタン８１０の引掛部８３８に、引っ掛けられる。このようにして、ヘッド８０２が、本体８０４に結合される。一方、次のようにして、分離が行なわれる。
【０２６５】
図５９は、図４５のバット型入力装置８００の分離機構の説明図である。図５９に示すように、分離ボタン８１０を押込むと、爪部８１４が、引掛部８３８から外れる。従って、この状態で、ヘッド８０２を容易に引き抜くことができる。
【０２６６】
さて、図５６を参照して、コントロール部８４０の内部に、基板８２４が、バット型入力装置８００の中心軸に垂直に取付けられる。そして、この基板８２４は、ＬＥＤホルダ８２６ａ〜８２６ｄにはめ込まれた赤外発光ダイオード８０８ａ〜８０８ｄが取付けられる（ＬＥＤホルダ８２６ｂ及び赤外発光ダイオード８０８ｂは図には現れていない）。また、ホルダ８２８には、ラバーリング８３３とラバーリング８３２とに挟まれた圧電素子８３０が収納される。そして、ラバーリング８３３，８３２で挟んだ圧電素子８３０を、ホルダ８２８と挟持板８３４とで挟みこむ。挟持板８３４で、ラバーリング８３３，８３２を押さえつけるので、圧電素子８３０は、ラバーリング８３３，８３２に密着した状態で固定される。以上のようにして、圧電素子８３０を収納したホルダ８２８が、コントロール部８４０の内部に固定される。この場合、圧電素子８３０が、バット型入力装置８００の中心軸に垂直になるように、ホルダ８２８が取付けられる。
【０２６７】
また、基板８２２は、バット型入力装置８００の中心軸に垂直になるように、コントロール部８４０の内部に固定される。そして、この基板８２２には、操作スイッチ８０６が取付けられる。
【０２６８】
さて、図５８を参照して、グリップ部８４４の内部には、２本の単三電池８４６が、セットされる。この電池８４６のマイナス端子は、グリップ部８４４の内部に設けられたバッテリプレート（マイナス接点）８４８に当接し、電池８４６のプラス端子は、蓋部８５２の内側に取付けられたバッテリプレート（プラス接点）８５０に当接する。なお、蓋部８５２は、軸８８４の回りに回転可能であり、蓋部８５２を開閉することで、電池８４６の交換が可能となる。
【０２６９】
（ボール型入力装置）
【０２７０】
図６０は、図４５のボール型入力装置８５４の斜視図である。図６１は、図４５のボール型入力装置８５４の平面図である。図６２は、図６１のＩ−Ｉ断面図である。なお、ストラップ８０３の図示は省略している。また、図６１及び図６２では、左手系三次元座標を示している。図６２に示すように、ボール型入力装置８５４の内部には、ＸＹ平面に平行に、基板８８０が固定される。そして、この基板８８０には、操作キー８５６ａ〜８５６ｄが取付けられる。また、ホルダ８７６には、ラバーリング８７２とラバーリング８７４とに挟まれた圧電素子８７０が収納される。そして、ラバーリング８７２，８７４で挟んだ圧電素子８７０を、ホルダ８７６と挟持板８７８とで挟みこむ。挟持板８７８で、ラバーリング８７２，８７４を押さえつけるので、圧電素子８７０は、ラバーリング８７２，８７４に密着した状態で固定される。以上のようにして、圧電素子８７０を収納したホルダ８７６が、ボール型入力装置８５４の内部に固定される。この場合、圧電素子８７０が、ＹＺ平面に平行になるように、ホルダ８７６が取付けられる。
【０２７１】
また、ボール型入力装置８５４の内部には、ＹＺ平面に平行になるように、基板８６８が取付けられ、この基板８６８には、ＬＥＤホルダ８８２ａ，８８２ｂに嵌め込まれた赤外発光ダイオード８６４ａ，８６４ｂが取付けられる。また、ボール型入力装置８５４の内部には、電池ホルダ８６６が設けられ、単四電池２本がセットされる。なお、本実施の形態では赤外発光ダイオード８６４ａ、８６４ｂは外部には露出していないが、これらを外殻表面に露出するようにしてもよい。また、図ではこれらは上下方向に並べて配設されているが、これに限らず図における横方向にこれらを並べるようにしてもよい。
【０２７２】
（Ｅ）アダプタ１の使用例２
【０２７３】
図６３は、図１のアダプタ１の使用例２の説明図である。図６３では、アダプタ１を床面に載置している。この使用例２では、ボーリングボール型入力装置９００を使用する。なお、ボーリングボール型入力装置９００には、ストラップ９０１が取付けられる。また、電源ケーブル１６及びＡＶケーブル１２の接続については、図４５と同じであり、説明を省略する。
【０２７４】
（ボーリングボール型入力装置）
【０２７５】
図６４は、図６３のボーリングボール型入力装置９００の斜視図である。図６５は、図６３のボーリングボール型入力装置９００の平面図である。図６６は、図６５のＪ−Ｊ断面図である。図６７は、図６３のボーリングボール型入力装置９００の分解斜視図である。
【０２７６】
図６４及び図６５に示すように、ボーリングボール型入力装置９００の表面には、指穴９０６ａ，９０６ｂ及び指穴９０８ａ，９０８ｂが設けられる。また、図６７に示すように、このボーリングボール型入力装置９００は、指穴９０６ａ，９０６ｂが形成された外殻用上側ハウジング９０２、外殻用下側ハウジング９０４、指穴９０８ａ，９０８ｂが形成された指穴形成部材９１０、内殻用上側ハウジング９１４、内殻用下側ハウジング９１６、ピン９１８、及び、結合ピン９２０ａ〜９２０ｅ、を含む。結合ピン９２０ａ〜９２０ｅの先端は、切頭円錐状（先端を切り落とした円錐状）となっている。また、外殻用上側ハウジング９０２及び外殻用下側ハウジング９０４は、半透明又は透明色である。
【０２７７】
図６８は、図６７の内殻用上側ハウジング９１４の内面を示す斜視図である。図６９は、図６７の内殻用下側ハウジング９１６の内面を示す斜視図である。図６８に示すように、内殻用上側ハウジング９１４の内面から突き出た円筒状凸部９２４ａ〜９２４ｅには、それぞれ、結合ピン９２０ａ〜９２０ｅの基端部が取付けられる。そして、円筒状凸部９２４ａ〜９２４ｅに取付けられた結合ピン９２０ａ〜９２０ｅの先端部をそれぞれ、図６９に示す内殻用下側ハウジング９１６の内面から突き出た嵌合部９２８ａ〜９２８ｅに嵌め込む。このようにして、内殻用上側ハウジング９１４と内殻用下側ハウジング９１６とを結合する（図６６参照）。
【０２７８】
図７０は、結合された内殻用上側ハウジング９１４及び内殻用下側ハウジング９１６（以下、「内殻」と呼ぶこともある。）の平面図である。図７１は、図７０の内殻の矢印Ａ方向からの側面図である。図７２は、図７０の内殻の矢印Ｂ方向からの側面図である。図７３は、図７０の内殻の矢印Ｃ方向からの側面図である。図７４は、図７０の内殻の底面図である。以上のようにして構成される内殻の表面には、反射シート（例えば、再帰反射シート）が貼り付けられる。
【０２７９】
図７５は、図６７の外殻用上側ハウジング９０２の内面を示す斜視図である。図７６は、図６７の指穴形成部材９１０の図解図である。図７７は、図６７の外殻用下側ハウジング９０４の内面を示す斜視図である。
【０２８０】
図７５の外殻用上側ハウジング９０２に形成された開口部９３４に、図７６の指穴形成部材９１０を取付ける。この場合、指穴形成部材９１０の嵌合孔９４０ａ，９４０ｂを、外殻用上側ハウジング９０２の内面から突き出た円筒状凸部９３８ａ，９３８ｂに嵌め込み、ビスで固定する。
【０２８１】
ここで、図７０及び図６８に示すように、内殻用上側ハウジング９１４には、表面から内面に突き出た円柱状の凹部９２６ａ〜９２６ｄが形成される。また、内殻用上側ハウジング９１４には、開口９２２が形成される。一方、図６９及び図７４に示すように、内殻用下側ハウジング９１６には、表面から内面に突き出た円柱状の凹部９３０ａ〜９３０ｄが形成される。また、内殻用上側ハウジング９１４の頂部付近には、２つの挿入孔９３２ａ，９３２ｂが形成される。
【０２８２】
図７７に示すように、外殻用下側ハウジング９０４の内面から突き出た円筒状凸部９４９ａ〜９４９ｄ及び円筒状凸部９４７ａ，９４７ｂを、図７４の内殻用下側ハウジング９１６の凹部９３０ａ〜９３０ｄ及び挿入孔９３２ａ，９３２ｂに挿入するとともに、図７５に示すように、外殻用上側ハウジング９０２の内面から突き出た円筒状凸部９３６ａ〜９３６ｄを、図７０の内殻用上側ハウジング９１４の凹部９２６ａ〜９２６ｄに挿入し、かつ、指穴９０６ａ，９０６ｂの末端部から突き出た円筒状凸部９４５ａ，９４５ｂを、内殻用下側ハウジング９１６の挿入孔９３２ａ，９３２ｂから突き出た円筒状凸部９４７ａ，９４７ｂに嵌め込む。このようにすることで、ビス等を用いることなく、内殻を、外殻（外殻用上側ハウジング９０２及び外殻用下側ハウジング９０４）の内部に固定できる。この場合、外殻用下側ハウジング９０４の円筒状凸部９４９ａ〜９４９ｄ、内殻用下側ハウジング９１６の凹部９３０ａ〜９３０ｄ、外殻用上側ハウジング９０２の円筒状凸部９３６ａ〜９３６ｄ、及び、内殻用上側ハウジング９１４の凹部９２６ａ〜９２６ｄが、内殻の固定に寄与している。
【０２８３】
そして、図６６に示すように、外殻用上側ハウジング９０２の指穴９０６ａ，９０６ｂの末端から、外殻用上側ハウジング９０２の円筒状凸部９４５ａ，９４５ｂ及び外殻用下側ハウジング９０４の円筒状凸部９４７ａ，９４７ｂに、ビス９１２ａ，９１２ｂをねじ込んで、外殻用上側ハウジング９０２と外殻用下側ハウジング９０４とを結合する。なお、図６７のピン９１８は、外殻用上側ハウジング９０２の孔９４２と外殻用下側ハウジング９０４の孔９４３とに挿入して、ストラップ９０１を取付ける。
【０２８４】
ここで、図６４のボーリングボール型入力装置９００の指穴９０６ａ，９０６ｂ，９０８ｂは、それぞれ、ユーザの手の３本の指すなわち中指、薬指及び親指を挿入する穴である。一方、手が小さいユーザ（例えば、子供）でも、指穴９０６ａ，９０６ｂ，９０８ａを、それぞれ、中指、薬指及び親指に挿入して、ボーリングボール型入力装置９００を容易に利用できる。このように、親指用の穴として、指穴９０６ａ，９０６ｂに近い指穴９０８ａと遠い指孔９０８ｂとを設けて、多くのユーザの利便性の向上を図っている。なお、このように手の大きさが異なるユーザのために異なる位置に指孔を設けるのは、このようなボーリングボール型入力装置９００だけに適用可能なわけではなく、実際のボーリングゲームで使用されるボーリングボールに適用することもできる。
【０２８５】
（Ｆ）アダプタ１の電気的構成
【０２８６】
図７８は、図１のアダプタ１の電気的構成を示す図である。図７８に示すように、このアダプタ１は、コネクタ６９、リセットスイッチ１１、水晶発振回路２５２、キーブロック２５４、赤外線信号受信回路（ＩＲ受信回路）２５６、オーディオアンプ２５８、内部電源電圧発生回路２６０、ＡＣ／ＤＣコンバータ等からなる電源回路２５０、電源スイッチ９、電源ジャック２７、ＡＶジャック２５、ビデオジャック３１Ｖ、Ｌチャンネルオーディオジャック３１Ｌ、及び、Ｒチャンネルオーディオジャック３１Ｒ、を含む。コネクタ６９は、２４本の端子Ｔ１〜Ｔ２４を含み、接地されたシールド部材２０１で覆われている（図１７（ｃ）参照）。また、コネクタ６９の端子Ｔ１，Ｔ２，Ｔ２２，Ｔ２４は接地される。なお、コネクタ６９、リセットスイッチ１１、水晶発振回路２５２、キーブロック２５４、ＩＲ受信回路２５６、オーディオアンプ２５８、及び、内部電源電圧発生回路２６０は、図４の基板６３に搭載される（図９参照）。一方、電源回路２５０、電源スイッチ９、ビデオジャック３１Ｖ、及び、オーディオジャック３１Ｌ，３１Ｒは、図４の基板６５に搭載される（図９参照）。また、電源ジャック２７及びＡＶジャック２５は、図４の基板６７に搭載される（図９参照）。以上の構成の概要を説明する。
【０２８７】
電源ケーブル１６（図４５、図６３参照）から供給される交流電圧は、電源ジャック２７を介して、電源回路２５０に与えられる。電源回路２５０は、与えられた交流電圧を、直流電圧に変換し、これを電源電圧Ｖｃｃ０として、ラインｗ２０に出力する。電源スイッチ９は、オンの場合、ラインｗ２０とラインｗ２６とを接続して、内部電源電圧発生回路２６０に電源電圧Ｖｃｃ０を与えるとともに、ラインｗ９からのビデオ信号ＶＤ及びラインｗ１２，ｗ１３からのオーディオ信号ＡＬ２，ＡＲ２をそれぞれ、ラインｗ１４，ｗ１５，ｗ１６に出力して、ＡＶジャック２５に与える。従って、これらのビデオ信号ＶＤ及びオーディオ信号ＡＬ２，ＡＲ２は、ＡＶケーブル１２（図４５、図６３参照）を介して、テレビジョン受像機１４に与えられ、テレビジョン受像機１４は、それらに応じた映像を映し出し、また、音声をスピーカ（図示せず）から出力する。
【０２８８】
一方、電源スイッチ９は、オフの場合、ラインｗ１７，ｗ１８，ｗ１９をそれぞれ、ラインｗ１４，ｗ１５，ｗ１６に接続する。これにより、ビデオジャック３１Ｖから入力されたビデオ信号、オーディオジャック３１Ｌから入力されたＬチャンネルオーディオ信号、及び、オーディオジャック３１Ｒから入力されたＲチャンネルオーディオ信号、がＡＶジャック２５に与えられる。従って、ジャック３１Ｖ，３１Ｌ，３１Ｒからのビデオ信号及びオーディオ信号は、ＡＶジャック２５から、ＡＶケーブル１２を介して、テレビジョン受像機１４に与えられる。このように、電源スイッチ９がオフの場合は、外部機器（例えば、ＤＶＤプレーヤ等）からジャック３１Ｖ，３１Ｌ，３１Ｒに入力されたビデオ信号及びオーディオ信号を、テレビジョン受像機１４に出力できる。
【０２８９】
内部電源電圧発生回路２６０は、電源スイッチ９から与えられた電源電圧Ｖｃｃ０を元に、電源電圧Ｖｃｃ１（例えば、５．０Ｖ）、電源電圧Ｖｃｃ２（例えば、３．３Ｖ）、電源電圧Ｖｃｃ３（例えば、２．５Ｖ）、及び、電源電圧Ｖｃｃ４（例えば、１．５Ｖ）を生成して、それぞれを、ラインｗ２２、ラインｗ２３、ラインｗ２４、及びラインｗ２５に出力する。ラインｗ２２は、コネクタ６９の端子Ｔ７，Ｔ８に接続され、ラインｗ２３は、コネクタ６９の端子Ｔ１１，Ｔ１２接続され、ラインｗ２４は、コネクタ６９の端子Ｔ１５，Ｔ１６に接続され、ラインｗ２５は、コネクタ６９の端子Ｔ１８，Ｔ１９に接続される。電源スイッチ９からのラインｗ２６は、コネクタ６９の端子Ｔ５に接続される。なお、Ｖｃｃ０＞Ｖｃｃ１＞Ｖｃｃ２＞Ｖｃｃ３＞Ｖｃｃ４とする。
【０２９０】
オーディオアンプ２５８は、端子Ｔ２１に接続されたラインｗ１１からのＲチャンネルオーディオ信号ＡＲ１及び端子Ｔ２０に接続されたラインｗ１０からのＬチャンネルオーディオ信号ＡＬ１を増幅して、増幅後のＲチャンネルオーディオ信号ＡＲ２及びＬチャンネルオーディオ信号ＡＬ２をそれぞれ、ラインｗ１３，ｗ１２に出力する。このオーディオアンプ２５８には、電源電圧Ｖｃｃ１が供給される。
【０２９１】
ビデオ信号ＶＤを電源スイッチ９に入力するラインｗ９は、コネクタ６９の端子Ｔ２３に接続される。
【０２９２】
ＩＲ受信回路２５６は、受信したデジタル変調された赤外線信号を、デジタル復調して、ラインｗ８に出力する。ラインｗ８は、コネクタ６９の端子Ｔ１７に接続される。なお、ＩＲ受信回路２５６には、電源電圧Ｖｃｃ２が供給される。
【０２９３】
キーブロック２５４は、キャンセルキー１３、方向キー１７ａ〜１７ｄ、及び、決定キー１５を含み（図１参照）、これらからのパラレル信号をシリアル信号に変換して、ラインｗ３に出力する。このラインｗ３は、コネクタ６９の端子Ｔ６に接続される。また、キーブロック２５４には、端子Ｔ１０に接続されるラインｗ５から、クロックが入力され、端子Ｔ９に接続されるラインｗ４から、制御信号が入力される。また、キーブロック２５４には、端子Ｔ１３，Ｔ１４にそれぞれ接続されるラインｗ６，ｗ７が接続される。この点は、後で詳しく説明する。なお、キーブロック２５４には、電源電圧Ｖｃｃ２が供給される。
【０２９４】
水晶発振回路２５２は、一定周波数（例えば、３．５７９５４５ＭＨｚ）のクロックを発振して、ラインｗ２に供給する。ラインｗ２は、コネクタ６９の端子Ｔ３に接続される。なお、水晶発振回路２５２には、内部電源電圧のうち最大電圧である電源電圧Ｖｃｃ１が供給される。
【０２９５】
リセットスイッチ１１は、システムをリセットするためのリセット信号をラインｗ１に出力する。ラインｗ１は、コネクタ６９の端子Ｔ４に接続される。
【０２９６】
（電源回路２５０及び電源スイッチ９）
【０２９７】
図７９は、図７８の電源回路２５０及び電源スイッチ９の回路図である。図７９に示すように、電源回路２５０は、４個のダイオードＤ１〜Ｄ４をブリッジ型に組んだ両波整流回路２７０、コンデンサ２６６、出力電圧を平滑化する電解コンデンサ２６８、及び、ヒューズ２６４、を含む。ダイオードＤ１のカソード及びダイオードＤ３のアノードは、ヒューズ２６４を介して、電源ジャック２７の一方端子に接続される。ダイオードＤ４のアノード及びダイオードＤ２のカソードは、電源ジャック２７の他方端子に接続される。ダイオードＤ１のアノード及びダイオードＤ２のアノードは、接地される。ダイオードＤ３のカソード及びダイオードＤ４のカソードはラインｗ２０に接続され、このラインｗ２０には、コンデンサ２６６の一方端及び電解コンデンサ２６８のプラス端子が接続される。コンデンサ２６６の他方端及び電解コンデンサ２６８のマイナス端子は接地される。
【０２９８】
電源ジャック２７から入力される交流電圧は、整流回路２７０により、両波整流され、さらに、電解コンデンサ２６８により、平滑化され、直流の電源電圧Ｖｃｃ０として、ラインｗ２０に出力される。
【０２９９】
さて、電源スイッチ９は、４極双投スイッチであり、４つのスイッチ回路ｓｗ１〜ｓｗ４を含む。スイッチ回路ｓｗ１の接点ａ，ｂ，ｃはそれぞれ、ラインｗ１６，ｗ１３，ｗ１９に接続される。スイッチ回路ｓｗ２の接点ａ，ｂ，ｃはそれぞれ、ラインｗ１５，ｗ１２，ｗ１８に接続される。スイッチ回路ｓｗ３の接点ａ，ｂ，ｃはそれぞれ、ラインｗ１４，ｗ９，ｗ１７に接続される。スイッチ回路ｓｗ４の接点ａ，ｂはそれぞれ、ラインｗ２０，ｗ２６に接続される。また、スイッチ回路ｓｗ４の接点ｃは、ハイインピーダンス状態に保たれる。
【０３００】
電源スイッチ９がオンされると、スイッチ回路ｓｗ１〜ｓｗ４の各々は、接点ａと接点ｂとを接続する。従って、この場合、ラインｗ９からのビデオ信号ＶＤ及びラインｗ１２，ｗ１３からのオーディオ信号ＡＬ２，ＡＲ２が、ＡＶジャック２５に与えられる。また、ラインｗ２０からの電源電圧Ｖｃｃ０が、ラインｗ２６に出力される。このように、電源スイッチ９がオンの場合は、コネクタ６９を介して入力されたビデオ信号及びオーディオ信号（つまり、カートリッジ５００，６００が出力したビデオ信号及びオーディオ信号）が、ＡＶジャック２５に与えられ、テレビジョン受像機１４に出力される。
【０３０１】
一方、電源スイッチ９が、オフにされると、スイッチ回路ｓｗ１〜ｓｗ４の各々は、接点ａと接点ｃとを接続する。従って、この場合、ラインｗ１６とｗ１９、ラインｗ１５とｗ１８、ラインｗ１４とｗ１７、が接続される。また、ラインｗ２０は、ハイインピーダンス状態にされる。従って、電源電圧Ｖｃｃ０は、アダプタ１の回路には供給されず、それらの回路は動作しない。さらに、ジャック３１Ｌ，３１Ｒ，３１Ｖが、ＡＶジャック２５に接続されるので、ジャック３１Ｌ，３１Ｒ，３１Ｖが出力したオーディオ信号及びビデオ信号は、ＡＶジャック２５からテレビジョン受像機１４へ出力される。このように、電源スイッチ９が、オフの場合は、アダプタ１は、外部機器からのオーディオ信号及びビデオ信号を単に通過させるだけである。
【０３０２】
（内部電源電圧発生回路２６０）
【０３０３】
図８０は、図７８の内部電源電圧発生回路２６０の回路図である。図８０に示すように、この内部電源電圧発生回路２６０は、コンデンサ２７３，２７４、電解コンデンサ２７５、及び、レギュレータ２７２、からなるＶｃｃ１発生回路、コンデンサ２７７，２７８、電解コンデンサ２７９、及び、レギュレータ２７６、からなるＶｃｃ２発生回路、コンデンサ２８１，２８２、電解コンデンサ２８３、及び、レギュレータ２８０、からなるＶｃｃ３発生回路、コンデンサ２８５，２８６、電解コンデンサ２８７、及び、レギュレータ２８４、からなるＶｃｃ４発生回路、抵抗２９０、並びにＬＥＤ１０、を含む。
【０３０４】
レギュレータ２７２，２７６，２８０，２８９の入力端子はそれぞれ、ラインｗ２６，ｗ２２，ｗ２３，ｗ２４に接続され、出力端子はそれぞれ、ラインｗ２２，ｗ２３，ｗ２４，ｗ２５に接続される。ラインｗ２６には、コンデンサ２７３の一方端が接続され、その他方端は接地される。ラインｗ２２には、コンデンサ２７４，２７７の一方端、及び、電解コンデンサ２７５のプラス端子が接続される。コンデンサ２７４，２７７の他方端、及び、電解コンデンサ２７５のマイナス端子は接地される。また、ラインｗ２２には、抵抗２９０の一方端が接続され、その他方端はＬＥＤ１０のアノードに接続され、そのカソードは接地される。ラインｗ２３には、コンデンサ２７８，２８１の一方端、及び、電解コンデンサ２７９のプラス端子が接続される。コンデンサ２７８，２８１の他方端、及び、電解コンデンサ２７９のマイナス端子は接地される。ラインｗ２４には、コンデンサ２８２，２８５の一方端、及び、電解コンデンサ２８３のプラス端子が接続される。コンデンサ２８２，２８５の他方端、及び、電解コンデンサ２８３のマイナス端子は接地される。ラインｗ２５には、コンデンサ２８６の一方端、及び、電解コンデンサ２８７のプラス端子が接続される。コンデンサ２８６の他方端、及び、電解コンデンサ２８７のマイナス端子は接地される。
【０３０５】
レギュレータ２７２は、ラインｗ２６上の電源電圧Ｖｃｃ０を元に、それより低い電源電圧Ｖｃｃ１を生成して、ラインｗ２２に出力する。この場合、レギュレータ２７２の出力電圧は、電解コンデンサ２７５により平滑化されて、電源電圧Ｖｃｃ１としてラインｗ２２に出力される。レギュレータ２７６は、電源電圧Ｖｃｃ１を元に、それより低い電源電圧Ｖｃｃ２を生成して、ラインｗ２３に出力する。この場合も、電源電圧Ｖｃｃ２は、電解コンデンサ２７９により平滑化される。レギュレータ２８０は、電源電圧Ｖｃｃ２を元に、それより低い電源電圧Ｖｃｃ３を生成して、ラインｗ２４に出力する。この場合も、電源電圧Ｖｃｃ３は、電解コンデンサ２８３により平滑化される。レギュレータ２８４は、電源電圧Ｖｃｃ３を元に、それより低い電源電圧Ｖｃｃ４を生成して、ラインｗ２５に出力する。この場合も、電源電圧Ｖｃｃ４は、電解コンデンサ２８７により平滑化される。なお、図７８の電源スイッチ９がオンになると、ラインｗ２６に電源電圧Ｖｃｃ０が供給され、レギュレータ２７２が、電源電圧Ｖｃｃ１をラインｗ２２に出力するので、ＬＥＤ１０、つまり、電源ランプ１０が点灯する（図１参照）。
【０３０６】
（オーディオアンプ２５８）
【０３０７】
図８１は、図７８のオーディオアンプ２５８の回路図である。図８１に示すように、オーディオアンプ２５８は、ラインｗ１１から入力されるＲチャンネルオーディオ信号ＡＲ１を増幅し、信号ＡＲ２として、ラインｗ１３に出力するＲチャンネルアンプ２９０Ｒ、及び、ラインｗ１０から入力されるＬチャンネルオーディオ信号ＡＬ１を増幅し、信号ＡＬ２として、ラインｗ１２に出力するＬチャンネルアンプ２９０Ｌ、を含む。
【０３０８】
Ｒチャンネルアンプ２９０Ｒは、電解コンデンサ２９２、抵抗２９４、コンデンサ３００、抵抗２９８、インバータ２９６、ラウドネス回路３０４、抵抗３２２、及び、電解コンデンサ３２４を含む。ラウドネス回路３０４は、抵抗３０２、コンデンサ３０６、抵抗３０８、コンデンサ３１０、抵抗３１２，３１４、コンデンサ３１６，３１８、及びインバータ３２０を含む。
【０３０９】
電解コンデンサ２９２及び抵抗２９４は、ラインｗ１１と、インバータ２９６の入力端と、の間に直列に接続される。インバータ２９６の入力端と出力端との間には、コンデンサ３００及び抵抗２９８が並列に接続される。インバータ２９６の出力端に一方端が接続される抵抗３０２の他方端と、インバータ３２０の入力端との間には、コンデンサ３０６及び抵抗３０８が並列に接続される。インバータ３２０の入力端には、コンデンサ３１０の一方端、及び抵抗３１２，３１４の一方端が接続される。インバータ３２０の入力端には、コンデンサ３１０の他方端、抵抗３１２の他方端、及び、コンデンサ３１６，３１８の一方端が接続される。抵抗３１４の他方端は、コンデンサ３１６，３１８の他方端に接続される。抵抗３２２及び電解コンデンサ３２４は、インバータ３２０の出力端と、ラインｗ１３と、の間に直列に接続される。
【０３１０】
抵抗２９４、コンデンサ３００、抵抗２９８、及び、インバータ２９６、は一体となって、負帰還増幅回路及びローパスフィルタとして機能する。コンデンサ３００の容量及び抵抗２９８の抵抗値で定まる遮断周波数ｆ１より低い周波数では、これらの回路は、抵抗２９８と抵抗２９４との比で決まるゲインを有する増幅器として機能する。一方、その遮断周波数ｆ１より高い周波数では、コンデンサ３００のインピーダンスが小さくなるため、負帰還が強くかかって、その信号を減衰させる。
【０３１１】
ラウドネス回路３０４は、抵抗３０２，３０８，３１２，３１４の抵抗値及びコンデンサ３０６，３１０，３１６，３１８の容量で定まる低い周波数の信号及び高い周波数の信号を強調する回路である。具体例を挙げて説明する。例えば、抵抗３０２，３０８，３１２，３１４の抵抗値をそれぞれ、ｒ１（例えば、４７０Ω），ｒ２（例えば、３ｋΩ），ｒ３（例えば、３９ｋΩ）、ｒ４（例えば、１．５ｋΩ）とし、ｒ３＞ｒ２＞ｒ４＞ｒ１、とする。また、例えば、コンデンサ３０６，３１０，３１６，３１８の容量をそれぞれ、ｃ１，ｃ２，ｃ３，ｃ４とし、ｃ１＝ｃ３＝ｃ４（例えば、１０ × １０＠ｓ４＠ｓ  ｐＦ）＞ｃ２（例えば、１０ × １０＠ｓ３＠ｓ  ｐＦ）とする。コンデンサ３０６及び抵抗３０８で定まる特定周波数ｆ２より高い周波数では、コンデンサ３０６のインピーダンスが小さくなる。一方、コンデンサ３１６，３１８及び抵抗３１４で定まる特定周波数は、特定周波数ｆ２と同じである。従って、特定周波数ｆ２より高い周波数では、ラウドネス回路３０４のゲインは、ほぼ、抵抗３１２及び抵抗３１４の合成抵抗値と、抵抗３０２の抵抗値と、の比で定まり、この特定周波数ｆ２より高い周波数の信号の増幅率は大きくなる。なお、コンデンサ３１０の容量は小さいので、特定周波数ｆ２では、無視する。
【０３１２】
ただし、コンデンサ３１０と抵抗３１４とで定まる特定周波数ｆ３より高い周波数では、コンデンサ３１０のインピーダンスが大きくなり、増幅率は小さくなる。この場合、抵抗値が大きい抵抗３１２は無視している。
【０３１３】
ここで、コンデンサ３１０の容量ｃ２はコンデンサ３０６の容量ｃ１より小さく、かつ、抵抗３１４の抵抗値ｒ４は抵抗３０８の抵抗値ｒ２より小さいため、ｆ３＞ｆ２、となる。
【０３１４】
また、抵抗３１２と、コンデンサ３１６，３１８と、で定まる特定周波数ｆ４より低い周波数では、ラウドネス回路３０４のゲインは、抵抗３１２と、抵抗３０２及び抵抗３０８の合成抵抗と、の比で定まり、増幅率は大きくなる。なお、この場合、抵抗３１４の抵抗値ｒ４は小さいので無視している。
【０３１５】
ここで、コンデンサ３１６，３１８の合成容量（２ ×
ｃ１）は、コンデンサ３０６の容量ｃ１より大きく、かつ、抵抗３１２の抵抗値ｒ３は抵抗３０８の抵抗値ｒ２より大きいため、ｆ２＞ｆ４、となる。
【０３１６】
よって、以上のような概略計算では、ｆ３＞ｆ２＞ｆ４、となる。従って、ラウドネス回路３０４では、特定周波数ｆ２より高い周波数の信号と、特定周波数ｆ４より低い周波数の信号と、が強調される。なお、遮断周波数ｆ１は、特定周波数ｆ３より高い周波数となるように、抵抗２９８及びコンデンサ３００の値が設定される。
【０３１７】
なお、Ｌチャンネルアンプ２９０Ｌの回路構成は、Ｒチャンネルアンプ２９０Ｒと同じであり、同じ動作をするので、説明を省略する。
【０３１８】
（ＩＲ受信回路２５６）
【０３１９】
図８２は、図７８のＩＲ受信回路２５６の回路図である。図８２に示すように、ＩＲ受信回路２５６は、抵抗３３０，３３４、電解コンデンサ３３２、及び、赤外線センサ５０（図４参照）を含む。赤外線センサ５０には、抵抗３３０を介して、電源電圧Ｖｃｃ２が供給される。また、赤外線センサ５０の出力端子ＯＵＴは、ラインｗ８に接続される。従って、赤外線センサ５０は、受信したデジタル変調された赤外線信号を、デジタル復調して、ラインｗ８に出力する。なお、赤外線センサ５０は、オープンコレクタ出力になっているため、ラインｗ８には、プルアップ抵抗３３４が接続されている。
【０３２０】
（キーブロック２５４）
【０３２１】
図８３は、図７８のキーブロック２５４の回路図である。図８３に示すように、キーブロック２５４は、キャンセルキー１３、決定キー１５、方向キー１７ａ〜１７ｄ、抵抗３４１〜３４６、及び、シフトレジスタ３４０、を含む。決定キー１５の一方接点は、抵抗３４１の一方端及びシフトレジスタ３４０の端子Ｈに接続され、他方接点は、接地される。キャンセルキー１３の一方接点は、抵抗３４２の一方端及びシフトレジスタ３４０の端子Ｇに接続され、他方接点は、接地される。方向キー１７ａ〜１７ｄの一方接点は、それぞれ抵抗３４３〜３４６の一方端及びシフトレジスタ３４０の端子Ｆ〜Ｃに接続され、他方接点は、接地される。また、抵抗３４１〜３４６の他方端は、電源電圧Ｖｃｃ２が供給されるラインｗ２３に接続される。
【０３２２】
シフトレジスタ３４０の出力端子ＯＵＴは、ラインｗ３に接続され、クロック入力端子ＣＬＫは、ラインｗ５に接続され、制御端子Ｐ／Ｓは、ラインｗ４に接続される。また、シフトレジスタ３４０の端子Ａ，Ｂは、それぞれ、ラインｗ７，ｗ６に接続される。
【０３２３】
シフトレジスタ３４０は、端子Ａ〜Ｈに入力されたパラレル信号をシリアル信号に変換して、ラインｗ３に出力する。つまり、キー１５，１３，１７ａ〜１７ｄによるオン／オフ信号は、パラレル／シリアル変換されて、ラインｗ３に出力される。ここで、シフトレジスタ３４０の端子Ａ，Ｂは、将来の拡張のためのものであり、２つの入力を追加できる。そして、追加できる入力は、アダプタ１の内部からのものであってもよいし、コネクタ６９を介した外部からのものであってもよい。なお、クロック入力端子ＣＬＫには、ラインｗ５から、動作クロックが入力され、また、制御端子Ｐ／Ｓには、ラインｗ４から、制御信号が入力される。シフトレジスタ３４０は、この制御信号がＬレベルのときにはパラレルデータのロードを、Ｈレベルのときにはシリアルデータの出力を、それぞれ行なう。
【０３２４】
このようにこのアダプタ１によれば、シフトレジスタ３４０入力端子の数は、キー１５，１３，１７ａ〜１７ｄによるオン／オフ信号の数より多い。そのため、残りの入力端子を使用できるので、新たに入力を追加できて、拡張性の向上を図ることができる。
【０３２５】
（水晶発振回路２５２）
【０３２６】
図８４は、図７８の水晶発振回路２５２の回路図である。図８４に示すように、水晶発振回路２５２は、水晶振動子３５６、インバータ３５０，３５４、抵抗３５２、コンデンサ３５８，３６０、及び、半固定コンデンサ３６２、を含む。水晶振動子３５６の一方端は、コンデンサ３５８の一方端、インバータ３５０の入力端、インバータ３５４の出力端、及び、抵抗３５２の一方端に接続される。水晶振動子３５６の他方端は、コンデンサ３６０の一方端、半固定コンデンサ３６２の一方端、インバータ３５４の入力端、及び、抵抗３５２の他方端に接続される。コンデンサ３５８，３６０及び半固定コンデンサ３６２の他方端は接地される。また、インバータ３５０の出力端は、ラインｗ２に接続される。
【０３２７】
水晶振動子３５６の両端に接続されるコンデンサ３５８，３６０を接地することで、左右の位相が逆になる。一方、インバータ３５４も入力と出力とは逆相になるので、出力が下がると入力が上がる、入力が上がれば出力が下がる正帰還が起きて、発振が開始される。抵抗３５２は、インバータ３５４の入力端の電位をスレッショルド電圧に保つためのバイアス抵抗である。インバータ３５０は、ラインｗ２の寄生容量やノイズが、発振に影響を及ぼすことを避けるためのバッファである。また、半固定コンデンサ３６２の容量を調整することで、発振周波数を微調整することができる。
【０３２８】
（Ｇ）カートリッジ５００の電気的構成
【０３２９】
図８５は、図１のカートリッジ５００の電気的構成を示す図である。図８５に示すように、カートリッジ５００は、高速プロセッサ５７５、メモリ５７７、端子ｔ１〜ｔ２４、アドレスバス５７９、データバス５８１、振幅設定回路５８３、及び抵抗５８６，５８７、を含む。振幅設定回路５８３は、抵抗５８４及び５８５からなる。高速プロセッサ５７５は、リセット信号を入力するリセット入力／ＲＥＳＥＴ、クロックＳＣＬＫ２を入力するクロック入力ＸＴ、データの入出力のための入出力ポート（Ｉ／Ｏポート）ＩＯ０〜ＩＯｎ（ｎは自然数。例えば、ｎ＝２４）、アナログ信号を入力するためのアナログ入力ポートＡＩＮ０〜ＡＩＮｋ（ｋは自然数。例えば、ｋ＝６）、オーディオ信号ＡＬ１，ＡＲ１を出力するためのオーディオ出力ＡＬ，ＡＲ、ビデオ信号ＶＤを出力するためのビデオ出力ＶＯ、制御信号（例えば、チップイネーブル信号、アウトプットイネーブル信号、ライトイネーブル信号等）を出力するための制御信号出力ポート、第２データバス、及び、第２アドレスバス、を含む。メモリ５７７は、例えば、ＲＯＭ（ｒｅａｄｏｎｌｙｍｅｍｏｒｙ）やフラッシュメモリ等の任意のメモリを使用できる。
【０３３０】
高速プロセッサ５７５の制御信号出力ポートは、メモリ５７７の制御信号入力ポートに接続される。高速プロセッサ５７５の第２アドレスバス及びメモリ５７７のアドレスバスは、アドレスバス５７９に接続される。高速プロセッサ５７５の第２データバス及びメモリ５７７のデータバスは、データバス５８１に接続される。ここで、高速プロセッサ５７５の制御信号出力ポートは、例えば、アウトプットイネーブル信号を出力するＯＥ出力ポート、チップイネーブル信号を出力するＣＥ出力ポート、ライトイネーブル信号を出力するＷＥ出力ポート、等を含む。また、メモリ５７７の制御信号入力ポートは、例えば、高速プロセッサ５７５のＯＥ出力ポートに接続されるＯＥ入力ポート、高速プロセッサ５７５のＣＥ出力ポートに接続されるＣＥ入力ポート、高速プロセッサ５７５のＷＥ出力ポートに接続されるＷＥ入力ポート、等を含む。
【０３３１】
メモリ５７７は、チップイネーブル信号が入力されたときに、自分がアクセス先として選択されたと認識し、これとほぼ同時に入力されたアドレス信号及びアウトプットイネーブル信号に応答して、データ信号を出力する。アドレス信号は、アドレスバス５７９を介してメモリ５７７に入力され、データ信号は、データバス５８１を介して高速プロセッサ５７５に入力される。また、メモリ５７７は、チップイネーブル信号が入力されたときに、自分がアクセス先として選択されたと認識し、これとほぼ同時に入力されたアドレス信号及びライトイネーブル信号に応答して、データ信号を取込み、書き込みを行なう。アドレス信号は、アドレスバス５７９を介してメモリ５７７に入力され、データ信号は、高速プロセッサ５７５からデータバス５８１を介してメモリ５７７に入力される。
【０３３２】
端子ｔ１〜ｔ２４は、カートリッジ５００がアダプタ１に装着されたとき、アダプタ１のコネクタ６９の端子Ｔ１〜Ｔ２４に一対一に接続される。また、端子ｔ１，ｔ２，ｔ２２，ｔ２４は、接地される。端子ｔ３は、振幅設定回路５８３に接続される。端子ｔ４は、高速プロセッサ５７５のリセット入力／ＲＥＳＥＴに接続される。また、端子ｔ４をリセット入力／ＲＥＳＥＴに接続するラインには、抵抗５８８の一方端及びコンデンサ５８９の一方端が接続される。また、抵抗５８８の他方端には電源電圧Ｖｃｃ３が供給され、コンデンサ５８９の他方端は接地電圧が供給される。
【０３３３】
端子ｔ５からは、電源電圧Ｖｃｃ０が供給される。端子ｔ７，ｔ８からは、電源電圧Ｖｃｃ１が供給される。端子ｔ１１，ｔ１２からは、電源電圧Ｖｃｃ２が供給される。端子ｔ１５，ｔ１６からは、電源電圧Ｖｃｃ３が供給される。端子ｔ１８，ｔ１９からは、電源電圧Ｖｃｃ４が供給される。端子ｔ６，ｔ９，ｔ１０，ｔ１７は、それぞれ、高速プロセッサ５７５のＩ／ＯポートＩＯ２１，ＩＯ２０，ＩＯ１９，ＩＯ１６に接続される。端子ｔ１３，ｔ１４には、それぞれ抵抗５８６，５８７の一方端が接続され、抵抗５８６，５８７の他方端には、電源電圧Ｖｃｃ２が与えられる。端子ｔ２０，ｔ２１は、それぞれ、高速プロセッサ５７５のオーディオ出力ＡＬ，ＡＲに接続される。端子ｔ２３は、高速プロセッサ５７５のビデオ出力ＶＯに接続される。
【０３３４】
振幅設定回路５８３の抵抗５８４の一方端は端子ｔ３に接続され、他方端は、高速プロセッサ５７５のクロック入力ＸＴ及び抵抗５８５の一方端に接続される。抵抗５８５の他方端は接地される。つまり、振幅設定回路５８３は、抵抗分圧回路である。
【０３３５】
アダプタ１の水晶発振回路２５２が発振したクロックＳＣＬＫ１は、端子ｔ３を介して、振幅設定回路５８３に入力され、クロックＳＣＬＫ１より振幅が小さいクロックＳＣＬＫ２が生成されて、クロック入力ＸＴに供給される。つまり、クロックＳＣＬＫ２の振幅は、抵抗５８４と抵抗５８５との比で定まる値に設定される。
【０３３６】
電源電圧Ｖｃｃ２は、高速プロセッサ５７５のアナログ回路に供給され、電源電圧Ｖｃｃ３は、高速プロセッサ５７５のデジタル回路に供給される。
【０３３７】
なお、カートリッジ５００には、シールド５９２が施してある。図８５に示した各回路は、図２３の基板５１８に搭載され、基板５１８は、接地されたシールド部材５０８と接地されたシールド部材５２０とに挟まれる。よって、図８５のシールド５９２は、シールド部材５０８，５２０により構成される。このようなシールド５９２を設けることで、高速プロセッサ５７５等の回路から発生する電磁波が、外部に放射されることを極力防止できる。
【０３３８】
上記したように本実施の形態のカートリッジ５００によれば、振幅設定回路５８３を有するため、アダプタ１から入力されるクロック信号ＳＣＬＫ１の振幅がカートリッジ５００の要求する振幅でないときでも対応できる。
【０３３９】
（高速プロセッサ５７５の電気的構成）
【０３４０】
図８６は、図８５の高速プロセッサ５７５のブロック図である。図８６に示すように、この高速プロセッサ５７５は、中央演算処理装置（ＣＰＵ：ｃｅｎｔｒａｌ  ｐｒｏｃｅｓｓｉｎｇ  ｕｎｉｔ）４０１、グラフィックプロセッサ４０２、サウンドプロセッサ４０３、ＤＭＡ（ｄｉｒｅｃｔ  ｍｅｍｏｒｙ  ａｃｃｅｓｓ）コントローラ４０４、第１バス調停回路４０５、第２バス調停回路４０６、内部メモリ４０７、Ａ／Ｄコンバータ（ＡＤＣ：ａｎａｌｏｇ  ｔｏ  ｄｉｇｉｔａｌ  ｃｏｎｖｅｒｔｅｒ）４０８、入出力制御回路４０９、タイマ回路４１０、ＤＲＡＭ（ｄｙｎａｍｉｃ  ｒａｎｄｏｍ  ａｃｃｅｓｓ  ｍｅｍｏｒｙ）リフレッシュ制御回路４１１、外部メモリインタフェース回路４１２、クロックドライバ４１３、ＰＬＬ（ｐｈａｓｅ−ｌｏｃｋｅｄ  ｌｏｏｐ）回路４１４、低電圧検出回路４１５、第１バス４１８、及び、第２バス４１９、を含む。第１バス４１８は、アドレスバス及びデータバスを含む。第２バス４１９は、アドレスバス及びデータバスを含む。なお、バス５９０は、図８５のアドレスバス５７９及びデータバス５８１からなる。
【０３４１】
ＣＰＵ４０１は、メモリ（内部メモリ４０７、又は、メモリ５７７）に格納されたプログラムに従い、各種演算やシステム全体の制御を行なう。ＣＰＵ４０１は、第１バス４１８及び第２バス４１９のバスマスタであり、それぞれのバスに接続された資源にアクセスが可能である。
【０３４２】
グラフィックプロセッサ４０２は、第１バス４１８及び第２バス４１９のバスマスタであり、内部メモリ４０７、又は、メモリ５７７に格納されたデータを基に、ビデオ信号ＶＤを生成して、ビデオ出力ＶＯから出力する。グラフィックプロセッサ４０２は、第１バス４１８を通じて、ＣＰＵ４０１により制御される。また、グラフィックプロセッサ４０２は、ＣＰＵ４０１に対して、割込み要求信号４２０を発生する機能を有する。ここで、グラフィックプロセッサ４０２が生成するビデオ信号ＶＤは、例えば、コンポジット信号である。ただし、このビデオ信号の形式はコンポジット信号に限らず、テレビジョンで処理し表示できるものであればどのようなものでもよい。
【０３４３】
例えばアナログ放送におけるテレビジョン信号規格で言えば、ＮＴＳＣ、ＮＴＳＣ４．４３、ＰＡＬ、ＰＡＬ６０、ＰＡＬ−Ｍ、ＰＡＬ−Ｎ、ＳＥＣＡＭ等のいずれに従う信号でもよい。ビデオ信号方式で言えば、コンポジットビデオ信号の他に、ＹＣビデオ信号（Ｓビデオ信号）、ＹＣｂＣｒコンポーネントビデオ信号等のいずれの形式の信号でもよい。ビデオ信号入力規格でいえば、Ｄｎ端子（Ｄ１〜Ｄ５）に対応した信号、ｉ・ＬＩＮＫ端子に対応した信号、またはＤＶ端子に対応した信号のいずれでもよい。デジタルインタフェース規格という分類からいえば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に対応した信号が考えられる。また、信号形式としてはデジタル形式でもよいし、アナログ形式でもよいし、その両者を出力可能としてもよい。
【０３４４】
サウンドプロセッサ４０３は、第１バス４１８及び第２バス４１９のバスマスタであり、内部メモリ４０７、又は、メモリ５７７に格納されたデータを基に、アナログのオーディオ信号ＡＬ１，ＡＲ１を生成して、オーディオ出力ＡＬ，ＡＲから出力する。サウンドプロセッサ４０３は、第１バス４１８を通じて、ＣＰＵ４０１により制御される。また、サウンドプロセッサ４０３は、ＣＰＵ４０１に対して、割込み要求信号４２０を発生する機能を有する。
【０３４５】
ＤＭＡコントローラ４０４は、メモリ５７７から、内部メモリ４０７へのデータ転送を司る。また、ＤＭＡコントローラ４０４は、データ転送の完了を通知するために、ＣＰＵ４０１に対する割込み要求信号４２０を発生する機能を有する。ＤＭＡコントローラ４０４は、第１バス４１８及び第２バス４１９のバスマスタである。ＤＭＡコントローラ４０４は、第１バス４１８を通じてＣＰＵ４０１により制御される。
【０３４６】
内部メモリ４０７は、マスクＲＯＭ、ＳＲＡＭ（ｓｔａｔｉｃ  ｒａｎｄｏｍ  ａｃｃｅｓｓ  ｍｅｍｏｒｙ）、及び、ＤＲＡＭのうち、必要なものを備える。ＤＲＡＭが搭載される場合、定期的にリフレッシュと呼ばれる記憶内容保持のための動作が必要とされる。
【０３４７】
第１バス調停回路４０５は、第１バス４１８の各バスマスタからの第１バス使用要求信号を受け付け、調停を行ない、各バスマスタへの第１バス使用許可信号を発行する。各バスマスタは、第１バス使用許可信号を受領することによって第１バス４１８に対するアクセスが許可される。ここで、第１バス使用要求信号及び第１バス使用許可信号は、図８６では、第１バス調停信号４２２として示されている。
【０３４８】
第２バス調停回路４０６は、第２バス４１９の各バスマスタからの第２バス使用要求信号を受け付け、調停を行ない、各バスマスタへの第２バス使用許可信号を発行する。各バスマスタは、第２バス使用許可信号を受領することによって第２バス４１９に対するアクセスが許可される。ここで、第２バス使用要求信号及び第２バス使用許可信号は、図８６では、第２バス調停信号４２３として示されている。
【０３４９】
入出力制御回路４０９は、外部入出力装置や外部の半導体素子との通信等を、図８５のＩ／ＯポートＩＯ０〜ＩＯｎを介して行なう。Ｉ／ＯポートＩＯ０〜ＩＯｎからの入出力信号は、第１バス４１８を介して、ＣＰＵ４０１からリード／ライトされる。また、入出力制御回路４０９は、ＣＰＵ４０１に対して、割込み要求信号４２０を発生する機能を有する。
【０３５０】
タイマ回路４１０は、設定された時間間隔に基づき、ＣＰＵ４０１に対する割込み要求信号４２０を発生する機能を有する。時間間隔等の設定は、第１バス４１８を介してＣＰＵ４０１によって行なわれる。
【０３５１】
ＡＤＣ４０８は、図８５のアナログ入力ポートＡＩＮ０〜ＡＩＮｋから入力されたアナログ入力信号をデジタル信号に変換する。このデジタル信号は、第１バス４１８を介してＣＰＵ４０１によってリードされる。また、ＡＤＣ４０８は、ＣＰＵ４０１に対して、割込み要求信号４２０を発生する機能を有する。
【０３５２】
ＰＬＬ回路４１４は、クロック入力ＸＴから入力されるクロック信号ＳＣＬＫ２を逓倍した高周波クロック信号を生成する。
【０３５３】
クロックドライバ４１３は、ＰＬＬ回路４１４より受け取った高周波クロック信号を、各ブロックへクロック信号４２５を供給するのに十分な信号強度へ増幅する。
【０３５４】
低電圧検出回路４１５は、電源電圧Ｖｃｃ２，Ｖｃｃ３を監視し、電源電圧Ｖｃｃ２，Ｖｃｃ３のいずれかが、対応した一定電圧以下のときに、ＰＬＬ回路４１４のリセット信号４２６、その他のシステム全体のリセット信号４２７を発行する。
【０３５５】
外部メモリインタフェース回路４１２は、第２バス４１９をバス５９０に接続するための機能、及び、第２バス４１９のサイクル終了信号４２８を発行することにより、第２バス４１９のバスサイクル長を制御する機能、を有する。また、外部メモリインタフェース回路４１２は、メモリ５７７の制御信号を、制御信号出力ポートから出力する。
【０３５６】
ＤＲＡＭリフレッシュ制御回路４１１は、一定期間毎に第１バス４１８の使用権を無条件に獲得し、ＤＲＡＭのリフレッシュ動作を行なう。なお、ＤＲＡＭリフレッシュ制御回路４１１は、内部メモリ４０７がＤＲＡＭを含む場合に設けられる。
【０３５７】
（Ｈ）カートリッジ６００の電気的構成
【０３５８】
図８７は、図３５のカートリッジ６００の電気的構成を示す図である。図８７に示すように、このカートリッジ６００は、図８５の構成に、撮像ユニット６０３を加えたものであり、他の部分は、カートリッジ５００と同様であり説明を省略する。
【０３５９】
図８８は、図８７の撮像ユニット６０３の電気的構成を示す図である。図８９は、図８８のイメージセンサ６５４から高速プロセッサ５７５へピクセルデータを取込む際の動作を示すタイミング図である。図９０は、図８９の一部を拡大して示すタイミング図である。
【０３６０】
図８８を参照して、イメージセンサ６５４は（図３７参照）、ピクセルデータＤ（Ｘ，Ｙ）をアナログ信号として出力するタイプのものであるため、このピクセルデータＤ（Ｘ，Ｙ）は高速プロセッサ５７５のアナログ入力ポートＡＩＮ０に入力される。アナログ入力ポートＡＩＮ０は、この高速プロセッサ５７５においてＡＤＣ４０８に接続され、従って、高速プロセッサ５７５は、ＡＤＣ４０８からデジタルデータに変換されたピクセルデータをその内部に取得する。
【０３６１】
上述のアナログピクセルデータＤ（Ｘ，Ｙ）の中点は、イメージセンサ６５４の内部で生成される基準電圧によって決定される。高速プロセッサ５７５のＩ／Ｏポートを介して、各デジタル信号は、イメージセンサ６５４の制御のため高速プロセッサ５７５から出力され、また、画像信号の受信のため高速プロセッサ５７５へ入力される。このＩ／Ｏポートは各々入力／出力の制御が可能なデジタルポートであり、この高速プロセッサ５７５で入出力制御回路４０９に接続されている。
【０３６２】
詳しく言うと、高速プロセッサ５７５のＩ／ＯポートＩＯ８からはイメージセンサ６５４をリセットするためのリセット信号ｒｅｓｅｔが出力され、イメージセンサ６５４に与えられる。また、イメージセンサ６５４からは、ピクセルデータストローブ信号ＰＤＳ及びフレームステータスフラグ信号ＦＳＦが出力され、それらの信号が高速プロセッサ５７５のＩ／ＯポートＩＯ１０，ＩＯ９に与えられる。
【０３６３】
ピクセルデータストローブ信号ＰＤＳは上述の各ピクセル信号Ｄ（Ｘ，Ｙ）を読み込むための図８９（ｂ）に示すようなストローブ信号である。フレームステータスフラグ信号ＦＳＦはイメージセンサ６５４の状態を示すフラグ信号で、図８９（ａ）に示すように、このイメージセンサ６５４の露光期間を規定する。つまり、フレームステータスフラグ信号ＦＳＦの図８９（ａ）に示すローレベルが露光期間を示し、図８９（ａ）に示すハイレベルが非露光期間を示す。
【０３６４】
また、高速プロセッサ５７５は、イメージセンサ６５４の制御レジスタ（図示せず）に設定するコマンド（またはコマンド＋データ）をＩ／ＯポートＩＯ０〜ＩＯ６から出力するとともに、ハイレベル及びローレベルを繰返すレジスタ設定クロックＲＣＬＫを出力し、それらをイメージセンサ６５４に与える。
【０３６５】
４つの赤外発光ダイオード６１４ａ，６１４ｂ，６１４ｃ，６１４ｄは（図３５参照）、互いに並列接続される。この赤外発光ダイオード６１４ａ〜６１４ｄはＬＥＤ駆動回路６９０によって、点灯されまたは消灯（非点灯）される。ＬＥＤ駆動回路６９０は、イメージセンサ６５４から上述のフレームステータスフラグ信号ＦＳＦを受け、このフラグ信号ＦＳＦは、抵抗６８３及びコンデンサ６８４からなる微分回路６８５を通してＰＮＰトランジスタ６８６のベースに与えられる。このＰＮＰトランジスタ６８６にはさらにプルアップ抵抗６８７が接続されていて、このＰＮＰトランジスタ６８６のベースは、通常は、ハイレベルにプルアップされている。そして、フレームステータス信号ＦＳＦがローレベルになると、そのローレベルが微分回路６８５を経てベースに入力されるため、ＰＮＰトランジスタ６８６は、フラグ信号ＦＳＦがローレベル期間にのみオンする。
【０３６６】
ＰＮＰトランジスタ６８６のエミッタは抵抗６８０，６８９を介して接地される。そして、エミッタ抵抗６８０及び６８９の接続点がＮＰＮトランジスタ６８１のベースに接続される。このＮＰＮトランジスタ６８１のコレクタが各赤外発光ダイオード６１４ａ〜６１４ｄのアノードに共通に接続される。ＮＰＮトランジスタ６８１のエミッタが別のＮＰＮトランジスタ６８２のベースに直接接続される。ＮＰＮトランジスタ６８２のコレクタが各赤外発光ダイオード６１４ａ〜６１４ｄのカソードに共通接続され、エミッタが抵抗６９１を介して接地される。
【０３６７】
このＬＥＤ駆動回路６９０では、高速プロセッサ５７５のＩ／ＯポートＩＯ１３から出力されるＬＥＤコントロール信号ＬＥＤＣがアクティブ（ハイレベル）でありかつイメージセンサ６５４からのフレームステータスフラグ信号ＦＳＦがローレベルである期間にのみ赤外発光ダイオード６１４ａ〜６１４ｄが点灯される。
【０３６８】
図８９（ａ）に示すようにフレームステータスフラグ信号ＦＳＦがローレベルになると、そのローレベル期間中（実際には微分回路６８５の時定数での遅れがあるが）、ＰＮＰトランジスタ６８６がオンする。従って、図８９（ｄ）に示すＬＥＤコントロール信号ＬＥＤＣが高速プロセッサ５７５からハイレベルで出力されると、ＮＰＮトランジスタ６８１のベースがハイベルとなり、このトランジスタ６８１がオンとなる。トランジスタ６８１がオンするとトランジスタ６８２はオンとなる。従って、電源Ｖｃｃ１から各赤外発光ダイオード６１４ａ〜６１４ｄ及びトランジスタ６８２を経て電流が流れ、応じて図８９（ｅ）に示すように各赤外発光ダイオード６１４ａ〜６１４ｄが点灯される。
【０３６９】
ＬＥＤ駆動回路６９０では、このように、図８９（ｄ）のＬＥＤコントロール信号ＬＥＤＣがアクティブでありかつ図８９（ａ）のフレームステータスフラグ信号ＦＳＦがローレベルである期間にのみ赤外発光ダイオード６１４ａ〜６１４ｄが点灯されるので、イメージセンサ６５４の露光期間（図８９（ｆ）参照）にのみ赤外発光ダイオード６１４ａ〜６１４ｄが点灯されることになる。
【０３７０】
従って、無駄な電力消費を抑制することができる。さらに、フレームステータスフラグ信号ＦＳＦはコンデンサ６８４によってカップリングされているので、万一イメージセンサ６５４の暴走等によりそのフラグ信号ＦＳＦがローレベルのまま停止した場合でも、一定時間後にはトランジスタ６８６は必ずオフされ、赤外発光ダイオード６１４ａ〜６１４ｄも一定時間後には必ずオフされる。
【０３７１】
このように、フレームステータス信号ＦＳＦの持続期間を変更することによって、イメージセンサ６５４の露光時間を任意にかつ自在に設定または変更することができる。
【０３７２】
さらに、フレームステータス信号ＦＳＦ及びＬＥＤコントロール信号ＬＥＤＣの持続時間や周期を変更することによって、赤外発光ダイオード６１４ａ〜６１４ｄすなわちストロボスコープの発光期間、非発光期間、発光／非発光周期等を任意にかつ自在に変更または設定できる。
【０３７３】
なお、イメージセンサ６５４は、端子ｔ３に接続されており、水晶発振回路２５２が発振したクロックＳＣＬＫ１により動作する。
【０３７４】
このカートリッジ６００によれば、撮影した被写体の映像を使用するプログラムをメモリに格納でき、カートリッジ６００に搭載できるアプリケーションの幅が広がる。
【０３７５】
（Ｉ）ラケット型入力装置７００の電気的構成
【０３７６】
図４９で示したように、ラケット型入力装置７００には、加速度センサ回路７６６（後述）を構成する圧電素子７２０が固着される。圧電素子７２０は、よく知られているように、金属板上にセラミック板を貼付したものであり、このような圧電素子７２０を加速度センサとして利用する。つまり、圧電素子７２０のセラミック板は、圧電セラミックであり、その圧電セラミックに応力が作用したとき、圧電セラミックから電気信号が発生することがよく知られている。そこで、圧電素子７２０すなわちラケット型入力装置７００の移動に応じて圧電素子７２０から発生する電気信号を検出する。
【０３７７】
図９１は、図４５のラケット型入力装置７００の電気的構成を示す図である。図９２（ａ）は、図９１のＭＣＵ７６８の出力ポート０からの出力信号の波形図、図９２（ｂ）は、ＭＣＵ７６８の入力ポート０への入力信号の波形図、図９２（ｃ）は、ＭＣＵ７６８による入力判定の説明図、である。
【０３７８】
図９１を参照して、圧電素子７２０は、加速度センサ回路７６６に含まれる。また、ＭＣＵ７６８には、外付けの発振回路７６７が設けられ、ＭＣＵ７６８は、この発振回路７６７からのクロック信号に応答して動作する。そして、ＭＣＵ７６８は、矩形波信号を出力ポート０から出力し、抵抗７９１を通して、圧電素子７２０の一方電極７２０ａに印加する。圧電素子７２０の電極７２０ａは、コンデンサ７９２を介して接地される。
【０３７９】
圧電素子７２０の他方の電極７２０ｂは、抵抗７９３を通してＭＣＵ７６８の入力ポート０に接続されるとともに、ダイオード回路７８８に接続され、それによって電圧の変動幅が一定以内になるようにされている。なお、圧電素子７２０の２つの電極７２０ａ及び７２０ｂは、比較的高抵抗７９０で電気的に分離されている。
【０３８０】
ＭＣＵ７６８の入力ポート１は抵抗７６９と抵抗７７０との節点に接続されている。抵抗７６９の他端は電源Ｖｃｃに接続されている。抵抗７７０の他端はスイッチ７７１の一端に接続され、スイッチ７７１の他端は接地されている。スイッチ７７１が切断されていると入力ポート１が接続されている節点の電位は電源Ｖｃｃの電位と等しい。スイッチ７７１が導通すると電源Ｖｃｃから接地に電流が流れ、入力ポート１が接続されている節点の電位は、抵抗７６９と抵抗７７０とによる電圧分割に対応する電位に下がる。ＭＣＵ７６８はこの電位の変化によってスイッチ７７１が導通しているか否かを判定できる。
【０３８１】
ＭＣＵ７６８の出力ポート１は、抵抗７７２を介してＰＮＰトランジスタ７７３のベースに接続されている。トランジスタ７７３のエミッタは電源Ｖｃｃに接続され、コレクタは抵抗７７４、７７５、７７６、７７７、及び７７８のそれぞれ一端に接続されている。これら抵抗７７４、７７５、７７６、７７７、及び７７８の他端はそれぞれ前述した赤外発光ダイオード７１６ａ〜７１６ｅ（図４７参照）に接続されている。出力ポート１からの出力によって、赤外発光ダイオード７１６ａ〜７１６ｅの発光を制御できる。
【０３８２】
図９２（ａ）に示す矩形波信号が圧電素子７２０の電極７２０ａに印加されると、ＭＣＵ７６８の入力ポート０には、コンデンサ７９２の充放電に伴って、図９２（ｂ）のような三角波信号が入力される。ただし、三角波信号の大きさ（波高値）は、ダイオード回路７８８によって決まる。
【０３８３】
ラケット型入力装置７００が静止しているとき、すなわち、変位されていないとき、図９２（ｂ）の左端に示すように、三角波信号のマイナス（負）側レベルは変化しない。しかしながら、ラケット型入力装置７００が操作者によって三次元空間内で変位されると、その変位に伴なう圧電効果によって、圧電素子７２０に電圧が生じる。この加速度相関電圧は、三角波信号のマイナス側レベルをバイアスする。従って、ラケット型入力装置７００が変位されると、その変位加速度の大きさに応じたレベルの加速度相関電圧が圧電素子７２０に生じ、従って、ＭＣＵ７６８の入力ポート０に入力される三角波信号のマイナス側レベルが図９２（ｂ）に示すように、加速度相関電圧７８９のレベルに応じて変動する。
【０３８４】
ＭＣＵ７６８は、後述のように、このような三角波信号のマイナス側レベル変動を加速度データに変換し、その加速度データに応じて赤外発光ダイオード７１６ａ〜７１６ｅを駆動する。
【０３８５】
さて、起動回路７７９は、カレントミラー回路７９９及びコンデンサ７８６を含む。このコンデンサ７８６の一方端は、圧電素子７２０の電極７２０ｂに接続され、他方端は、ＰＮＰトランジスタ７８２のベースに接続される。ＰＮＰトランジスタ７８２，７８３のエミッタは電源Ｖｃｃに接続される。ＰＮＰトランジスタ７８２，７８３のコレクタは、それぞれ、抵抗７８０，７８１の一方端に接続される。抵抗７８０，７８１の他方端は接地される。ＰＮＰトランジスタ７８２のベースとＰＮＰトランジスタ７８３のベースとの間には、抵抗７８４，７８５が直列に接続される。抵抗７８４と抵抗７８５との接続点は、ＰＮＰトランジスタ７８３のコレクタに接続される。また、ＰＮＰトランジスタ７８２のコレクタは、ＭＣＵ７６８の入力ポート３に接続される。
【０３８６】
ここで、例えば、抵抗７８４，７８５のそれぞれを１ＭΩとし、抵抗７８０を１００ｋΩとし、抵抗７８１を１ＭΩとする。このように、抵抗７８４，７８５の抵抗値を大きな値とする。また、抵抗７８１の抵抗値を、抵抗７８０の抵抗値より大きくする。
【０３８７】
まず、ラケット型入力装置７００が静止しており、圧電素子７２０が電圧を発生していない場合は、ＭＣＵ７６８は、出力ポート０から矩形波信号を出力しない。この場合、ＰＮＰトランジスタ７８２のコレクタ電流及びＰＮＰトランジスタ７８３のコレクタ電流は同じ値であり、抵抗７８０の抵抗値は、抵抗７８１の抵抗値より小さいので、ＰＮＰトランジスタ７８２のコレクタ端子の電位は、ＰＮＰトランジスタ７８３のコレクタ端子の電位より小さい値となっている（上記例では、１／１０）。このため、ＭＣＵ７６８の入力ポート３には、ローレベルの電圧が与えられており、それゆえ、ＭＣＵ７６８は、矩形波信号の出力を停止する。
【０３８８】
そして、ラケット型入力装置７００が変位した場合、圧電素子７２０が振動し、この振動に応じた電圧が発生する。そして、この電圧がマイナス側に振れた場合、ＰＮＰトランジスタ７８２のベース電流がコンデンサ７８６の方へ流れる。つまり、ラケット型入力装置７００が変位しない場合と比較して、ＰＮＰトランジスタ７８２のベース電流が増加する。すると、ＰＮＰトランジスタ７８２のコレクタ電流が大きくなり、コレクタ端子の電位が上昇して、ハイレベルの電圧が，ＭＣＵ７６８の入力ポート３に与えられる。これにより、ＭＣＵ７６８は、出力ポート０からの矩形波信号の出力を開始する。
【０３８９】
なお、バット型入力装置８００及びボール型入力装置８５４の電気的構成は、ラケット型入力装置７００と同様であり、説明を省略する。ただし、バット型入力装置８００では、４個の赤外発光ダイオード８０８ａ〜８０８ｄを使用する。また、ボール型入力装置８５４では、２個の赤外発光ダイオード８６４ａ，８６４ｂを使用する。
【０３９０】
（Ｊ）ラケット型入力装置７００のＭＣＵ７６８の処理
【０３９１】
図９３は、図９１のＭＣＵ７６８による処理の流れを示すフローチャートである。図９３を参照して、最初のステップＳ１では、ＭＣＵ７６８は、後に説明する検出オフセット値，オフセットカウンタ等のＭＣＵ７６８が取扱う変数を初期化するとともに、入力ポート及び出力ポート（図９１）を初期化する。
【０３９２】
その後、ステップＳ２の加速度検出処理（後に詳述）を経て、ステップＳ３で、ＭＣＵ７６８は、送信ステートであるかどうか判断する。ＭＣＵ７６８は、図示しないが、ステートカウンタをソフトウェアカウンタとして有していて、このステートカウンタが一定値になる毎に、送信ステートとなる。従って、ステップＳ３では、このステートカウンタが一定値になったかどうかを検出することになる。ステップＳ３で「ＮＯ」の場合には、ステップＳ４で送信コードを「０」とし、またはステップＳ３で「ＹＥＳ」の場合にはそのまま、ステップＳ５のコード送信処理（後に詳述）に進む。ステップＳ５でコード送信処理を実行した後に、ステップＳ６でステートカウンタ（図示せず）をインクリメント（＋１）してステップＳ２に戻る。なお、後述のように、コード送信処理は、ビットシリアルに行なわれるが、その必要時間は、数マイクロ秒程度と極めて短時間である。
【０３９３】
図９４は、図９３のステップＳ２の加速度検出処理の流れを示すフローチャートである。図９４を参照して、この加速度検出処理の最初のステップＳ１１では、ＭＣＵ７６８は、レジスタ（図示せず）に設定されている検出オフセット値をオフセットカウンタ（図示せず）にコピーする。「検出オフセット値」は、図９２（ａ）に示す矩形波のハイレベル及びローレベルを、圧電素子７２０に電圧が発生していないときに、時間的に等分に入力するための値であり、動作スタート時にはこの検出オフセット値は任意のデフォルト値に設定されている。
【０３９４】
ステップＳ１１に続くステップＳ１２では、ＭＣＵ７６８は、その出力ポート０に「１」を設定する。つまり、「１」すなわちハイレベルを出力する。ついでステップＳ１３で、ＭＣＵ７６８は、入力ポート０からデータを読込む。
【０３９５】
ステップＳ１４では、ステップＳ１３で読込んだ入力ポート０のデータが「１」かどうか判断する。もし、「ＹＥＳ」なら、次のステップＳ１５で、ＭＣＵ７６８は、積算カウンタ（図示せず）をインクリメント（＋１）する。「積算カウンタ」とは、ハイレベルを読み取った期間を算出するためのカウンタであり、当該入力ポート０が「１」またはハイレベルのときにインクリメントされ、「０」のときにはなにもされない。
【０３９６】
ステップＳ１５で積算カウンタをインクリメントした場合、またはステップＳ１４で「ＮＯ」を判断した場合には、続くステップＳ１６で、ＭＣＵ７６８は、オフセットカウンタをインクリメントし、次のステップＳ１７でそのオフセットカウンタのカウント値が規定値に達したかどうか判断する。この規定値は、後述するように、Ｎ／２である。つまり、ステップＳ１２で出力ポート０に「１」をセットした後、このステップＳ１７で「ＮＯ」が判断される限り、ＭＣＵ７６８は、出力ポート０の「１」を継続して出力する。
【０３９７】
そして、このオフセットカウンタのカウント値が規定値に達したとステップＳ１７で判断した場合には、次のステップＳ１８で、ＭＣＵ７６８は、その出力ポート０に「０」すなわちローレベルをセットする。次のステップＳ１９では、ＭＣＵ７６８は、レジスタに設定されている検出オフセット値をオフセットカウンタにコピーする。
【０３９８】
続くステップＳ２０では、ＭＣＵ７６８は、入力ポート０からデータを読込む。ステップＳ２１では、ステップＳ２０で読込んだ入力ポート０のデータを判断する。もし、「ＹＥＳ」なら、次のステップＳ１２で、ＭＣＵ７６８は、積算カウンタをインクリメントする。
【０３９９】
ステップＳ２２で積算カウンタをインクリメントした場合、またはステップＳ２１で「ＮＯ」を判断した場合には、続くステップＳ２３で、ＭＣＵ７６８は、オフセットカウンタをディクリメント（−１）し、次のステップＳ２４でそのオフセットカウンタのカウント値がゼロに達したかどうか判断する。つまり、ステップＳ１８で出力ポート０に「０」をセットした後、このステップＳ２４で「ＮＯ」が判断される限り、ＭＣＵ７６８は、出力ポート０の「０」を継続して出力する。
【０４００】
そして、ステップＳ２４で「ＹＥＳ」が判断されたとき、すなわち、オフセットカウンタがゼロ（０）になったとき、続くステップＳ２５において、ＭＣＵ７６８は、積算カウンタのカウント値から中間値を引いて、差分を求める。ここで、「中間値」とは、ステップＳ１７からステップＳ１３に戻るハイレベル検出のための繰返し数及びステップＳ２４からステップＳ２０に戻るハイレベル検出のための繰返し数の合計回数を「Ｎ」とした場合の「Ｎ／２」である。検出オフセット値のデフォルト値は、通常、Ｎ／２である。このステップＳ２５で中間値を使って差分値を求めるのは、理想的な圧電素子でかつどんな加速度相関電圧も圧電素子に発生していない状態でのハイレベルとローレベルとの期間の比（デューティ５０％）を加速度決定の基準とするためである。
【０４０１】
詳しく述べると、積算カウンタは、上述のように、「１」またはハイレベルを入力ポート０に読込んだ回数であり、理想的な圧電素子でありかつ電圧が発生していない場合、ステップＳ２５での「積算カウンタ−中間値」つまり、差分値はゼロになるはずである。しかるに、圧電素子７２０に何らかの電圧が発生している場合には、その差分として有意な数値が得られる。そこで、ステップＳ２６で、この差分値に従ってラケット型入力装置７００の変位加速度を決定する。基本的には、差分値データに所定の係数を掛けたものが加速度データとなる。
【０４０２】
その後、ステップＳ２７で、ステップＳ２５で求めた差分値に基づいて、検出オフセット値を補正する。つまり、初期状態では操作者はラケット型入力装置７００をスイングしていないので、圧電素子７２０には加速度相関電圧は発生していない。それにも拘わらずステップＳ２５でゼロではない差分値が検出されたということは、ステップＳ１１で設定していた検出オフセット値が、そのラケット型入力装置に用いた圧電素子の特性からみて、正しくなかったことを意味している。つまり、圧電素子が理想的な圧電素子ではないことを意味している。そこで、このような場合、圧電素子の個々の特性の理想的な圧電素子の特性からのずれを補正するために、ステップＳ２７で差分値に従って検出オフセット値を補正するようにしている。
【０４０３】
他方、ステップＳ２７で必ず検出オフセット値を変更または補正するようにすれば、圧電素子が実際に加速度相関電圧を発生した結果の差分値であっても検出オフセット値を補正することになる。しかしながら、圧電素子の電圧発生期間は他の期間に比べて非常に短い。そのために、ステップＳ２７を差分値検出の都度実行しても特に問題はない。これはアルゴリズムを簡素化する。
【０４０４】
次のステップＳ２８では、ＭＣＵ７６８は、入力ポート１から操作スイッチ７１０からの値、「１」か「０」を読み込み、続くステップＳ２９では、ＭＣＵ７６８は、そのスイッチ７１０からの値と先のステップＳ２６で決定したラケット型入力装置７００の変位加速度または移動加速度に基づいて、さらにパリティビットを付加して、送信コードを算出し、メインルーチンのステップＳ３にリターンする。
【０４０５】
図９５は、図９３のステップＳ５のコード送信処理の流れを示すフローチャートである。図９５を参照して、最初のステップＳ４１では、ＭＣＵ７６８は、ステップＳ２またはＳ４で作成した送信コードをテンポラリデータレジスタ（図示せず）にコピーする。そして、その最上位ビットが「１」かどうか判断する。最上位ビットが「１」であれば、ステップＳ４２で「ＹＥＳ」が判断され、続くステップＳ４３では、ＭＣＵ７６８は、出力ポート１に「１」をセットして赤外発光ダイオード７１６ａ〜７１６ｅをオンする。その後、ステップＳ４４で一定の待機時間の経過を待つ。ただし、ステップＳ４２で「ＮＯ」なら、つまり最上位ビットが「０」であればそのまま、ステップＳ４４に進む。
【０４０６】
ステップＳ４４で規定待機時間経過した後、ステップＳ４５で、ＭＣＵ７６８は、出力ポート１に「０」をセットし、赤外発光ダイオード７１６ａ〜７１６ｅをオフする。その後、ステップＳ４６で一定の待機時間の経過を待つ。
【０４０７】
ステップＳ４６で規定待機時間経過した後、ステップＳ４７で、ＭＣＵ７６８は、１ビット左シフトし、送信済みビットを最下位ビットとする。つまり、ビットシリアル送信のために、送信ビットを入れ替える。そして、ステップＳ４８で、全ビットの送信が完了したかどうか判断する。「ＮＯ」ならステップＳ４２に戻り、「ＹＥＳ」なら終了して、図９３に示すステップＳ６に進む。
【０４０８】
なお、図４５のバット型入力装置８００及びボール型入力装置８５４に内蔵されるＭＣＵの処理は、ラケット型入力装置７００のＭＣＵ７６８の処理と同様であり、説明を省略する。
【０４０９】
（Ｋ）図４５のラケット型入力装置７００を使用した疑似体験処理
【０４１０】
テレビジョン受像機１４をテニスの疑似体験システムの一部として使用する場合、例えば、図４５のように、アダプタ１をセッティングし、テニスの疑似体験システムを実現するプログラム及びデータを格納したメモリ５７７（図８５参照）を内蔵したカートリッジ５００を、アダプタ１に装着する。そして、テレビジョン受像機１４をオンにし、かつ、アダプタ１の電源スイッチ９をオンにする。
【０４１１】
すると、このテニス疑似体験システムでは、カートリッジ５００の高速プロセッサ５７５は、テレビジョン受像機１４に、ボール、選手キャラクタ、ネットキャラクタ、及び、コートキャラクタ等を表示するためのビデオ信号ＶＤを生成して、ビデオ出力ＶＯに出力する。このビデオ信号は、カートリッジ５００の端子ｔ２３、アダプタ１の端子Ｔ２３、及び、ＡＶジャック２５を介して、テレビジョン受像機１４に与えられる。これにより、テレビジョン受像機１４には、ボール等の映像が表示される。また、高速プロセッサ５７５は、音楽や効果音等をテレビジョン受像機１４のスピーカから出力するためのオーディオ信号ＡＬ１及びＡＲ１を生成して、オーディオ出力ＡＬ，ＡＲに出力する。このオーディオ信号ＡＬ１及びＡＲ１は、カートリッジ５００の端子ｔ２０，ｔ２１、アダプタ１の端子Ｔ２０，Ｔ２１、オーディオアンプ２５８、及び、ＡＶジャック２５を介して、テレビジョン受像機１４に与えられる。これにより、テレビジョン受像機１４のスピーカから音楽等が出力される。
【０４１２】
このテニス擬似体験システムでは、ラケット型入力装置７００を、プレイヤが実空間中で実際に振ったとき、ラケット型入力装置７００の圧電素子７２０からの加速度相関信号に応じた赤外線信号が、赤外発光ダイオード７１６ａ〜７１６ｅから、アダプタ１のＩＲ受信回路２５６へ送信される。すると、ＩＲ受信回路２５６は、受信した赤外線信号をデジタル復調し、端子Ｔ１７を介して、カートリッジ５００の端子ｔ１７に出力する。高速プロセッサ５７５は、この信号を、Ｉ／ＯポートＩＯ１６から入力して、メモリ５７７のプログラムに従った処理を実行する。
【０４１３】
例えば、画面上に表示されたボールの移動タイミングに合わせて、ラケット型入力装置７００を、プレイヤが実空間中で実際に振ったとき、高速プロセッサ５７５が、圧電素子７２０からの加速度相関信号を、赤外発光ダイオード７１６ａ〜７１６ｅからＩＲ受信回路２５６へ伝達される赤外線信号によって検出し、ラケット型入力装置７００が所定の移動速度に達したタイミングとボールの画面上での位置とに従って、あたかもボールがラケットにはじき返されたように、画面上のボールをコートの相手側方向に向かって移動させる。ボールが移動した位置に応じて、アウトかインか等を識別する。ただし、ラケット型入力装置７００を振ったタイミングとボールの画面上での位置とにずれがある場合には、たとえば空振り（後逸）として認識する。
【０４１４】
図９６は、図４５のラケット型入力装置７００を使用したテニス疑似体験システムの処理の流れを示すフローチャートである。図８５に示す高速プロセッサ５７５は、まず、ステップＳ１０１で初期化処理を実行する。具体的には、システム及び各変数を初期化する。
【０４１５】
その後、高速プロセッサ５７５は、ステップＳ１０２でビデオ信号ＶＤを更新してテレビジョン受像機１４に表示される画像を更新する。ただし、この表示画像更新は、１フレーム（テレビジョンフレームまたはビデオフレーム）毎に実行される。
【０４１６】
そして、高速プロセッサ５７５は、ステートに応じた処理を実行する。ただし、最初に処理するのは、モードの選択である。このモード選択では、操作者は、ステップＳ１０３で、アダプタ１の方向キー１７ａ〜１７ｄを操作して、１人プレイモードまたは２人プレイモードあるいはシングルスモードまたはダブルスモードを選択するとともに、ゲームの難易度等を設定する。
【０４１７】
実際のテニスは、サーブからラリーへ移行するが、サーブのためには、画面内でボールをトスする必要がある。そこで、高速プロセッサ５７５は、ステップＳ１０４でトス前の処理を実行し、ついでステップＳ１０５で、トス処理を実行する。つまり、トス前処理で操作スイッチ７１０が押されれば、トス処理に移行し、トス処理においてラケット型入力装置７００のスイングが行なわれなかった場合には、トス前処理に戻る。そして、トス処理中にラケット型入力装置７００のスイングが行なわれた場合には、その後、ステップＳ１０６でのラリー処理に移行する。そして、ラリー処理においてポイントが確定すると、次のステップＳ１０７でのポイント処理に移る。また、ポイント処理において、そのポイントが終了条件を満たしたか満たさなかったかによって、モード選択（Ｓ１０３）あるいはトス前処理（Ｓ１０４）に戻ることになる。
【０４１８】
その後、ビデオ同期信号による割り込みがあれば、ステップＳ１０２の画像更新を実行する。また、ステップＳ１０８の音声処理は、音声割り込みが発生したとき実行され、それによって音楽や打球音のような効果音を出力する。アダプタ１のＩＲ受信回路２５６は、赤外線信号（コード）を受信したとき、高速プロセッサ５７５へ割り込み要求信号を出力する。高速プロセッサ５７５は、この割り込み要求あるいはタイマ割り込みを受けて、ステップＳ１０９で割り込み処理としてのコード受信処理を開始する。
【０４１９】
図９７は、図９６のステップＳ１０９のコード受信処理の流れを示すフローチャートである。このコード受信処理は、タイマ割り込みによって処理するため、最初のステップＳ５１では、高速プロセッサ５７５は、タイマ割り込みが設定されているか否かを判断する。「ＮＯ」ならステップＳ５２でタイマ割り込みを設定して、「ＹＥＳ」ならそのまま、ステップＳ５３に進む。
【０４２０】
ステップＳ５３では、高速プロセッサ５７５は、メモリ４０７（図８６）内にコード受信用のテンポラリデータ領域を確保する。そして、次のステップＳ５４で、ＩＲ受信回路２５６（図７８）からの出力信号が入力される入力ポートＩＯ１６のデータを読込む。次のステップＳ５５では、高速プロセッサ５７５は、テンポラリデータを右シフトし、ステップＳ５４で読込んだデータをそのテンポラリデータの最上位ビットとする。
【０４２１】
その後、ステップＳ５６で全ビットの受信を完了したかどうか判断し、「ＮＯ」ならステップＳ５７で次のタイマ割り込みを待機する。「ＹＥＳ」なら、ステップＳ５８でタイマ割り込みを解除して、ステップＳ５９で、テンポラリデータを受信コードとしてコピーする。高速プロセッサ５７５は、この受信コードを用いて図９６の処理を実行する。
【０４２２】
さて、図４５のバット型入力装置８００及びボール型入力装置８５４を用いて、テレビジョン受像機１４を野球の疑似体験システムの一部として使用する場合は、例えば、図４５のように、アダプタ１をセッティングし、野球の疑似体験システムを実現するプログラム及びデータを格納したメモリ５７７（図８５参照）を内蔵したカートリッジ５００を、アダプタ１に装着する。そして、テレビジョン受像機１４をオンにし、かつ、アダプタ１の電源スイッチ９をオンにすると、高速プロセッサ５７５は、メモリ５７７のプログラムに従ったビデオ信号ＶＤ及びオーディオ信号ＡＬ１及びＡＲ１を生成して、アダプタ１を介して、テレビジョン受像機１４に出力する。
【０４２３】
この野球擬似体験システムでは、バット型入力装置８００を、プレイヤが実空間中で実際に振ったとき、バット型入力装置８００の圧電素子８３０からの加速度相関信号に応じた赤外線信号が、赤外発光ダイオード８０８ａ〜８０８ｄから、アダプタ１のＩＲ受信回路２５６へ送信される。すると、ＩＲ受信回路２５６は、受信した赤外線信号をデジタル復調し、端子Ｔ１７を介して、カートリッジ５００の端子ｔ１７に出力する。高速プロセッサ５７５は、この信号を、Ｉ／ＯポートＩＯ１６から入力して、メモリ５７７のプログラムに従った処理を実行する。なお、プレイヤが、ボール型入力装置８５４を握って、実空間中で投球動作をした場合も同様である。
【０４２４】
また、プレイヤは、ラケット型入力装置７００のストラップ７０３、バット型入力装置８００のストラップ８０１、及び、ボール型入力装置８５４のストラップ８０３を手首に通して、これらを操作する。これにより、安全性の向上が図られる。
【０４２５】
（Ｌ）図６３のボーリングボール型入力装置９００を使用した擬似体験処理
【０４２６】
テレビジョン受像機１４をボーリングの疑似体験システムの一部として使用する場合、例えば、図６３のように、アダプタ１をセッティングし、ボーリングの疑似体験システムを実現するプログラム及びデータを格納したメモリ５７７（図８５参照）を内蔵したカートリッジ６００を、アダプタ１に装着する。そして、テレビジョン受像機１４をオンにし、かつ、アダプタ１の電源スイッチ９をオンにする。
【０４２７】
すると、このボーリング疑似体験システムでは、カートリッジ６００の高速プロセッサ５７５は、テレビジョン受像機１４に、ボーリングレーンやピン等を表示するためのビデオ信号ＶＤを生成して、ビデオ出力ＶＯに出力する。このビデオ信号ＶＤは、カートリッジ６００の端子ｔ２３、アダプタ１の端子Ｔ２３、及び、ＡＶジャック２５を介して、テレビジョン受像機１４に与えられる。これにより、テレビジョン受像機１４には、ボーリングレーン等の映像が表示される。また、テニス疑似体験システムと同様にして、テレビジョン受像機１４のスピーカから音楽や効果音等が出力される。
【０４２８】
このボーリング疑似体験システムでは、ボーリングボール型入力装置９００を用いてプレイヤが実空間中で実際に投球動作をしたとき、高速プロセッサ５７５が、図３５の赤外発光ダイオード６１４ａ〜６１４ｄを間欠的に点灯し、その点灯時及び消灯時毎のイメージセンサ６５４の画像を解析または処理することによって、ボーリングボール型入力装置９００の位置を間欠的に検出する。そして、そのボーリングボール型入力装置９００の位置（座標）に応じて画面上のボーリングボールの動きを制御し、それによって０本のまたは１本以上のピンを倒す。ここで、プレイヤは、ストラップ９０１を手首に通して、投球動作を行なう。これにより、安全性の向上が図られる。
【０４２９】
なお、ボーリングボール型入力装置９００の内殻に貼り付けた反射シートは、赤外発光ダイオード６１４ａ〜６１４ｄの発光に照射され、その赤外光を反射する。この反射シートからの反射光がイメージセンサ６５４によって撮影され、従って、イメージセンサ６５４からは反射シートの映像信号が出力される。
【０４３０】
図９８は、図６３のボーリングボール型入力装置９００を使用したボーリング疑似体験処理の流れを示すフローチャートである。高速プロセッサ５７５は、まず、ステップＳ２０１で初期化処理を実行する。具体的には、システム及び各変数を初期化する。
【０４３１】
ステップＳ２０１の後、高速プロセッサ５７５は、ステップＳ２０２でビデオ信号ＶＤを更新してテレビジョン受像機１４に表示される画像を更新する。ただし、この表示画像更新は、１フレーム（テレビジョンフレームまたはビデオフレーム）毎に実行される。
【０４３２】
ステップＳ２０３にて、高速プロセッサ５７５は、撮像処理を実行する。そして、高速プロセッサ５７５は、ステートに応じた処理を実行する。ただし、最初に処理するのは、モードの選択である。このモード選択では、プレイヤは、ステップＳ２０４で、方向キー１７ａ〜１７ｄを操作して、１人プレイモードまたは２人プレイモード等のモードを選択するとともに、難易度等を設定する。
【０４３３】
実際のボーリングゲームではレーン上にボールを転動させる必要があるが、ボーリングボール型入力装置９００を用いて投球動作を行なう。そこで、高速プロセッサ５７５は、ステップＳ２０５で投球動作の判定処理を実行し、投球動作が行なわれたかどうか判定する。そして、投球動作が行なわれたのであれば、ついでステップＳ２０６で、ボールがレーン上を移動しているとき、ボールの軌道を計算するとともに、ボールのピンへの衝突判定処理を実行する。そして、ボールがレーンの終端まで到着したときに、ステップＳ２０７において、ステップＳ２０６でのピン衝突判断処理の結果として、スコア計算及び結果判定処理を実行する。
【０４３４】
その後、ビデオ同期信号による割り込みがあれば、ステップＳ２０２の画像更新を実行する。また、ステップＳ２０８の音声処理は、音声割り込みが発生したとき実行され、それによって音楽やボーリングボールを転がした音のような効果音を出力する。
【０４３５】
図９９は、図９８のステップＳ２０１の初期化処理の１つとして実行されるセンサ初期設定処理の流れの１例を示すフローチャートである。図９９に示すように、最初のステップＳ２３０では、高速プロセッサ５７５は、設定データとして、コマンド"ＣＯＮＦ"を設定する。ただし、このコマンド"ＣＯＮＦ"は、イメージセンサ６５４に、高速プロセッサ５７５からコマンドを送信する設定モードに入ることを知らせるためのコマンドである。そして、次のステップＳ２３１にて、コマンド送信処理を実行する。
【０４３６】
図１００は、図９９のステップＳ２３１のコマンド送信処理の流れの１例を示すフローチャートである。図１００に示すように、最初のステップＳ２４０では、高速プロセッサ５７５は、設定データ（ステップＳ２３１の場合はコマンド"ＣＯＮＦ"）をレジスタデータ（Ｉ／ＯポートＩＯ０〜ＩＯ６）に設定し、次のステップＳ２４１でレジスタ設定クロックＲＣＬＫ（Ｉ／ＯポートＩＯ７）をローレベルに設定する。その後、ステップＳ２４２で規定時間待機した後、ステップＳ２４３で、レジスタ設定クロックＲＣＬＫをハイレベルに設定する。そして、さらにステップＳ２４４での規定時間の待機の後、ステップＳ２４５でレジスタ設定クロックＲＣＬＫを再びローレベルに設定する。
【０４３７】
このようにして、図１０１に示すように、それぞれの変化前に規定時間の待機を行ないながら、レジスタ設定クロックＲＣＬＫをローレベルとハイレベルとの間で変化させることによって、コマンド（コマンドまたはコマンド＋データ）の送信処理が行なわれる。
【０４３８】
図９９の説明に戻る。ステップＳ２３２では、ピクセルモードを設定する。イメージセンサ６５４を、たとえば３２ピクセル × ３２ピクセルのＣＭＯＳイメージセンサとすると、設定アドレス"０"のピクセルモードレジスタに３２ピクセル × ３２ピクセルであることを示す"０ｈ"を設定する。次のステップＳ２３３において、高速プロセッサ５７５は、レジスタ設定処理を実行する。
【０４３９】
図１０２は、図９９のステップＳ２３３のレジスタ設定処理の流れの１例を示すフローチャートである。図１０２に示すように、最初のステップＳ２５０では、高速プロセッサ５７５は、設定データとして、コマンド"ＭＯＶ"＋アドレスを設定し、次のステップＳ２５１で、図１００で先に説明したコマンド送信処理を実行して、それを送信する。次にステップＳ２５２において、高速プロセッサ５７５は、設定データとして、コマンド"ＬＤ"＋データを設定し、次のステップＳ２５３でコマンド送信処理を実行して、それを送信する。そして、ステップＳ２５４で、高速プロセッサ５７５は、設定データとして、コマンド"ＳＥＴ"を設定し、次のステップＳ２５５でそれを送信する。なお、コマンド"ＭＯＶ"は制御レジスタのアドレスを送信することを示すコマンドで、コマンド"ＬＤ"はデータを送信することを示すコマンドで、コマンド"ＳＥＴ"はデータをそのアドレスに実際に設定させるためのコマンドである。なお、この処理は、設定する制御レジスタが複数ある場合には、繰返し実行される。
【０４４０】
図９９の説明に戻る。ステップＳ２３４では、設定アドレスを"１"（露光時間設定レジスタのローニブルのアドレスを示す）とし、最大露光時間を示す"ＦＦｈ"のローニブルデータ"Ｆｈ"を設定すべきデータとして設定する。そして、ステップＳ２３５で図１０２のレジスタ設定処理を実行する。同様にして、ステップＳ２３６において、設定アドレスを"２"（露光時間設定レジスタのハイニブルのアドレスを示す）とし、最大露光時間を示す"ＦＦｈ"のハイニブルデータ"Ｆｈ"を設定すべきデータとして設定し、ステップＳ２３７でレジスタ設定処理を実行する。
【０４４１】
その後、ステップＳ２３８で初期化終了を示しかつイメージセンサ６５４にデータの出力を開始させるためのコマンド"ＲＵＮ"を設定し、ステップＳ２３９でそれを送信する。このようにして、センサ初期設定処理が実行される。ただし、図９９〜図１０２に示す具体例は、使用されるイメージセンサ６５４の仕様に応じて、適宜変更され得るものである。
【０４４２】
図１０３は、図９８のステップＳ２０３の撮影処理の流れを示すフローチャートである。図１０３に示すように、ステップＳ２６０において、高速プロセッサ５７５は、ストロボスコープ撮影のために赤外発光ダイオード６１４ａ〜６１４ｄを点灯する。具体的には、図８８に示すＬＥＤコントロール信号をハイレベルとする。その後、ステップＳ２６１で、ピクセルデータ群の取得処理を実行する。
【０４４３】
ステップＳ２６２にて、ピクセルデータ配列を点灯時取得データとして、たとえば内部メモリ４０７のワーキング領域に格納する。ステップＳ２６３で、高速プロセッサ５７５は、ＬＥＤコントロール信号をローレベルにする等して、赤外発光ダイオード６１４ａ〜６１４ｄを消灯する。その後、ステップＳ２６４で、ステップＳ２６１と同様にして、赤外発光ダイオード６１４ａ〜６１４ｄが消灯されているときの画素データ配列を取得し、ステップＳ２６５においてステップＳ２６２と同様にして、内部メモリ４０７のワーキング領域に格納する。
【０４４４】
図１０４は、図１０３のステップＳ２６１のピクセルデータ群取得処理の流れの１例を示すフローチャートである。図１０４に示すように、最初のステップＳ２７０で、高速プロセッサ５７５は、ピクセルデータ配列の要素番号としてＸに「０」、Ｙに「０」を設定する。ステップＳ２７１で、高速プロセッサ５７５は、イメージセンサ６５４からのフレームステータスフラグ信号ＦＳＦをチェックし、ステップＳ２７２でそのアップエッジ（ローレベルからハイレベルへの）が発生したかどうか判断する。ステップＳ２７２でフラグ信号ＦＳＦのアップエッジを検出すると、ステップＳ２７３に進む。一方、アップエッジが検出されなければ、ステップＳ２７１に進む。
【０４４５】
高速プロセッサ５７５は、ステップＳ２７３でイメージセンサ６５４からのピクセルストローブＰＤＳをチェックし、ステップＳ２７４でそのストローブ信号ＰＤＳのローレベルからハイレベルへのアップエッジが発生したかどうか判断する。ステップＳ２７４で「ＮＯ」が判断されると、高速プロセッサ５７５は、ステップＳ２７３に進む。一方、ステップＳ２７４で「ＹＥＳ」が判断されると、高速プロセッサ５７５は、ステップＳ２７５において、Ｘに「０」を代入する。続くステップＳ２７６では、ピクセルデータの取得処理を実行する。
【０４４６】
図１０５は、図１０４のステップＳ２７６のピクセルデータ取得処理の流れの１例を示すフローチャートである。図１０５に示すように、最初のステップＳ２９１で、高速プロセッサ５７５は、ＡＤＣ４０８に入力されてきたアナログのピクセルデータのデジタルデータへの変換の開始を指示する。その後、ステップＳ２９２でイメージセンサ６５４からのピクセルストローブＰＤＳをチェックし、ステップＳ２９３でそのストローブ信号ＰＤＳのローレベルからハイレベルへのアップエッジが発生したかどうか判断する。
【０４４７】
ステップＳ２９３で「ＮＯ」が判断されると、ステップＳ２９２へ進み、「ＹＥＳ」が判断されると、ステップＳ２９４へ進む。ステップＳ２９４にて、高速プロセッサ５７５は、ＡＤＣ４０８から、デジタルのピクセルデータ（変換値）を取得する。そして、ステップＳ２９５にて、取得したピクセルデータを、テンポラリレジスタ（図示せず）に格納する。その後、図１０４のステップＳ２７７に進む。
【０４４８】
ステップＳ２７７にて、高速プロセッサ５７５は、テンポラリレジスタに格納されたピクセルデータをピクセルデータ配列Ｐ［Ｙ］［Ｘ］に代入する。続くステップＳ２７８でＸをインクリメントする。Ｘが３２に満たない場合、前述のＳ２７６からＳ２７８の処理を繰返し実行する。Ｘが３２の場合、すなわちピクセルデータの取得が行の終端に到達した場合には、ステップＳ２８０でＹをインクリメントし、次の行の先頭からピクセルデータの取得処理を繰返す。ステップＳ２８１でＹが３２の場合、すなわちピクセルデータの取得がピクセルデータ配列Ｐ［Ｙ］［Ｘ］の終端に到達した場合、図１０３のステップＳ２６２に進む。
【０４４９】
さて、以上のように、本実施の形態によるアダプタ１によれば、アダプタ１のＡＶジャック２５（ビデオ信号出力端子及びオーディオ信号出力端子）を、テレビジョン受像機１４のＡＶジャック２４（ビデオ信号入力端子及びオーディオ信号入力端子）に接続して、アダプタ１にカートリッジ５００，６００を装着するだけで、コンピュータ（高速プロセッサ５７５）が生成したビデオ信号及びオーディオ信号を簡易にテレビジョン受像機１４に送信できる。従って、テレビジョン受像機１４は、コンピュータ（高速プロセッサ５７５）が生成したビデオ信号に応じた映像を表示できるとともに、コンピュータ（高速プロセッサ５７５）が生成したオーディオ信号に応じた音声を出力できる。
【０４５０】
このように、アダプタ１を使用することにより、テレビジョン受像機１４に簡易にコンピュータ（高速プロセッサ５７５）を接続できる。従って、テレビジョン受像機１４を簡易に、カートリッジ５００，６００に内蔵されたメモリ５７７に格納されたプログラムの目的に適合させることができる。しかも、アダプタ１に装着したカートリッジ５００，６００を付け替えるだけで、テレビジョン受像機１４を種々の目的に適合させることができる。
【０４５１】
また、テレビジョン受像機１４のように、普及率が高く、誰もが所有しているものを、コンピュータ（高速プロセッサ５７５）に簡易に接続できるアダプタ１は、ユーザの経済的負担の軽減に寄与できるし、また、ユーザは手軽にコンピュータ（高速プロセッサ５７５）を利用できる。
【０４５２】
ちなみに、パーソナルコンピュータは、本体だけではコンピュータとして機能せず、モニタ等の周辺機器が必要であり、ユーザは、これら全てを揃える必要があり、パーソナルコンピュータの低価格化が進んだとはいえ、必ずしも手軽にコンピュータを利用できるとは言えない。また、パーソナルコンピュータをモニタに接続する場合には、一般に、専用ドライバのインストールが必要となり、面倒であるが、当該アダプタ１は、テレビジョン受像機１４に接続されるため、ドライバのインストール作業は不要であり、ユーザの利便性の向上を図れる。さらに、パーソナルコンピュータは、汎用性を持たせるために数多くの機能が盛り込まれており、ユーザにとって不要な機能も多くなり、煩わしくもあるし、また、価格も高くなる。これに対して、ユーザは、アダプタ１を所有していれば、テレビジョン受像機１４を自分の目的に適合させることができるカートリッジ５００，６００だけを購入すればよいので、ユーザにとって不要な機能が盛り込まれることはほとんどないし、煩わしさを削減できる。
【０４５３】
さらに、コンピュータ（高速プロセッサ５７５）がアダプタ１に出力するビデオ信号及びオーディオ信号は、テレビジョン受像機１４が表示及び出力できる形式の信号であるため、コンピュータ（高速プロセッサ５７５、メモリ５７７）のアップグレードや変更等が行なわれた場合でも、アダプタ１の機能の拡張や変更は不要であり、ユーザは、アダプタ１を継続して使用できる。つまり、コンピュータ（高速プロセッサ５７５、メモリ５７７）のアップグレードや変更等が行なわれた場合でも、ユーザは、アダプタ１をそのまま使用でき、ハードウエア及びソフトウエアの拡張や変更等を何ら意識することなく、アップグレードや変更等が行なわれたコンピュータ（高速プロセッサ５７５、メモリ５７７）を内蔵するカートリッジ５００，６００を、アダプタ１に装着するだけで、これまで通りの使用が可能となる。以上の結果、ユーザの利便性の向上及び経済的負担の軽減を図ることができ、ひいては、カートリッジ５００，６００の広い普及を図ることができる。
【０４５４】
ちなみに、特許文献１に開示されているゲーム装置では、ゲーム装置本体に、ビデオ信号を生成するＶＤＧを搭載しているので、ゲームカートリッジに搭載したＣＰＵのアップグレードや変更等が行なわれた場合は、それに応じて、ゲーム装置本体も機能の拡張や変更が必要になる。その結果、特許文献１のゲーム装置では、ユーザは、ゲーム装置本体及びゲームカートリッジの双方を購入する必要があり、経済的負担が大きくなるばかりでなく、ゲーム装置本体の仕様や操作方法も変更され、煩わしさも大きくなる。この点、特許文献２に開示されているパーソナルコンピュータについても同様のことが言える。なぜなら、ドッキングステーション側に、ビデオ信号を生成する表示制御回路が備えられるからである。
【０４５５】
また、本実施の形態のアダプタ１には、テレビジョン受像機１４が、表示及び出力できる形式のビデオ信号及びオーディオ信号を入力するようにしているので、これらの信号を出力できるようなコンピュータ（例えば高速プロセッサ５７５）であれば、アダプタ１に適用できる。したがって、カートリッジ５００，６００に内蔵するコンピュータ（高速プロセッサ５７５）のハードウエア及びソフトウエア構成は、設計者の自由であり、各目的に応じて自由に設計できる。このように、従来から存在するパーソナルコンピュータやゲーム装置と異なり、カートリッジ５００，６００に搭載するハードウエア及びソフトウエアが、プラットホームに拘束されるという不都合を極力排除できる。
【０４５６】
ちなみに、従来から存在するパーソナルコンピュータでは、プラットホーム（例えば、オペレーティングシステム）ごとにアプリケーションソフトウエアを設計しなければならず、開発側のコストが増大する。また、従来から存在するゲーム装置も同様に、プラットホーム（例えば、ゲーム装置本体）ごとにゲームプログラムを設計しなければならない。
【０４５７】
さらに、本実施の形態のアダプタ１には、特定目的に応じたプログラムを搭載したカートリッジ５００，６００が装着される。このため、汎用性が要求される特許文献２のパーソナルプロセッサモジュールのように、ハードディスクを搭載する必要がなく、また、コンピュータに要求する能力を抑制できる。その結果、アダプタ１に装着するカートリッジ５００，６００のコストを、汎用性を持たせたパーソナルプロセッサモジュールより低く抑えることができる。
【０４５８】
さらに、本実施の形態のアダプタ１によれば、装着されるカートリッジ５００、６００に内蔵されるコンピュータその他の回路の動作に必要な電源電圧をアダプタ１から供給できるので、カートリッジ５００、６００に電源回路を設ける必要がない。よって、カートリッジ５００、６００のコスト削減を図ることができる。一方、アダプタ１のコストは高くなるが、アダプタ１は普遍的に使用できるものであるため、目的に応じて頻繁に購入されるカートリッジ５００、６００のコストを削減することの経済効果のほうが大きい。また、この実施の形態のアダプタ１では、様々な電源仕様のカートリッジ５００、６００を使用できるので、カートリッジ５００、６００の設計の自由度を高くできる。
【０４５９】
また本実施の形態のアダプタ１によれば、カートリッジ５００、６００に電源電圧を供給する必要がないとき、つまり、カートリッジ５００、６００を使用しないときは、スイッチ回路ｓｗ４の接点ｃと接点ａが接続されて、外部電源電圧が供給されるラインｗ２０がハイインピーダンス状態にされる。一方、スイッチ回路ｓｗ３の接点ｃと接点ａとが接続されて、ＡＶジャック２５とジャック３１Ｖとが接続され、また、スイッチ回路ｓｗ１及びｓｗ２の接点ｃと接点ａとがそれぞれ接続されて、ＡＶジャック２５とジャック３１Ｒ，３１Ｌとが接続される。従って、カートリッジを使用しないときは、外部機器から入力された映像信号及び音声信号を、テレビジョン受像機に出力できる。よって、アダプタ１の利用の幅が広がる。また、テレビジョン受像機にアダプタ１を常時接続しておくユーザも存在すると考えられるが、この場合に、テレビジョン受像機の入力端子が不足することを解消できる。つまり、アダプタ１に、ジャック３１Ｒ，３１Ｌ，３１Ｖを設けているため、アダプタ１をテレビジョン受像機の入力端子に接続した場合でも、全体的には、入力端子の数は減らない。
【０４６０】
以上説明した実施の形態に係るアダプタ１では、電源ボタンプッシュ機構７３を設けた。ユーザの便宜及び外観を考えると、人間が操作する電源ボタンは、アダプタ１の正面側に設け、各種端子は、アダプタ１の背面側に設けることが一般的と考えられる。そして、電源スイッチ本体５３は、電源のオン／オフだけでなく、各端子間の接続／非接続をも司っている。従って、電源スイッチ本体５３をアダプタ１の正面側に配置すれば、アダプタ１の背面側から正面側へ多くの配線が必要となる。一方、図８のアーム１７７，１７９，１８１のような棒状部材を電源スイッチ本体５３に接触させて、電源スイッチ本体５３の開閉を行なうことにすれば、電源スイッチ本体５３をアダプタ１の背面側に配置しながらも、アダプタ１の正面側から、電源スイッチ本体５３の開閉を行なうことができる。よって、複雑な配線が不要となる。ひいては、ノイズ等による悪影響をも抑制できる。
【０４６１】
またこのアダプタ１によれば、交流電源電圧を内部で直流電源電圧に変換するため、外部のＡＣアダプタから直流電源電圧の供給を受ける場合と異なり、ユーザが誤って極性の異なるＡＣアダプタを接続するという事態が発生することはなく、よって、信頼性の向上を図ることができる。
【０４６２】
さらにこのアダプタ１によれば、装着されるカートリッジ５００、６００に内蔵されるコンピュータその他の回路の動作に必要なクロック信号ＳＣＬＫ１をアダプタ１から供給できるので、カートリッジ５００、６００にクロック発振回路を設ける必要がない。よって、カートリッジ５００、６００のコスト削減を図ることができる。一方、アダプタ１のコストは高くなるが、アダプタ１は普遍的に使用できるものであるため、目的に応じて頻繁に購入されるカートリッジ５００、６００のコストを削減することの経済効果のほうが大きい。
【０４６３】
また、このアダプタ１によれば、最大レベルの内部電源電圧Ｖｃｃ１によりクロック信号ＳＣＬＫ１を生成するので、大きい振幅のクロック信号を要求するカートリッジ５００、６００であっても、対応可能となって、カートリッジ５００、６００の設計の自由度が大きくなる。一方、小さい振幅のクロック信号を要求するカートリッジ５００、６００については、カートリッジ５００，６００に、クロック信号の振幅を変更できる回路５８３を設けることで対応できる。
【０４６４】
このアダプタ１によれば、カートリッジ５００、６００中のコンピュータ（高速プロセッサ５７５）から与えられた音声信号ＡＬ１，ＡＲ１の周波数特性を補正するので、より音質の良い音声信号ＡＬ２，ＡＲ２をテレビジョン受像機に出力できる。しかも、カートリッジ５００、６００に周波数特性補正機能を設けないので、カートリッジ５００、６００のコストを低減できる。一方、アダプタ１のコストは高くなるが、アダプタ１は普遍的に使用できるものであるため、目的に応じて頻繁に購入されるカートリッジ５００６００のコストを削減することの経済効果のほうが大きい。
【０４６５】
さらに本実施の形態に係るアダプタ１によれば、受信した赤外線信号をカートリッジ５００、６００に与えることができる。従って、赤外線信号の情報を使用するプログラムをカートリッジ５００、６００内のメモリに格納でき、カートリッジ５００、６００に搭載できるアプリケーションの幅が広がる。
【０４６６】
また本実施の形態に係るアダプタ１によれば、カートリッジ５００、６００から外部機器（本実施の形態ではテレビジョン受像機）への信号の送信を、コネクタ６９の接続端子Ｔ２０、Ｔ２１、Ｔ２３、並びに出力端子２５によって中継できる。簡単な構成で、カートリッジ５００，６００からの信号を汎用的に外部機器に送信でき、カートリッジ５００、６００による処理結果の出力先を、簡単な構成で柔軟に変えることができる。
【０４６７】
また本実施の形態のカートリッジ５００、６００によれば、カートリッジ５００、６００を装飾板４及び昇降機構５７に保持させ、カートリッジ５００、６００の動きが規制される位置まで下方向に押込み、それから、カートリッジ５００、６００のコネクタがアダプタ１のコネクタ６９に接続されることができる。従ってカートリッジ５００、６００のアダプタ１への装着動作が簡単になる。
【０４６８】
長方形状の板状の装飾板４でカートリッジ保持部を構成するので、平板状のカートリッジ５００、６００を採用すると、当該カートリッジ５００、６００を安定にカートリッジ保持部で保持できる。またカートリッジ５００、６００のハンドリングと、カートリッジ５００、６００を下方向に押込む操作も簡単となり、カートリッジ５００、６００をアダプタに簡単に装着できる。
【０４６９】
また、上記実施の形態のカートリッジ５００、６００によれば、カートリッジ５００、６００を装飾板４上に装着し、押込んだ後、装飾板４に装着されているカートリッジ５００、６００をアダプタ１のコネクタ６９方向にスライドさせるという簡単な動作でカートリッジ５００、６００をアダプタ１のコネクタ６９に接続できる。
【０４７０】
カートリッジ５００、６００を装着する装飾板４をアダプタ１のハウジング上面に配置してあるので、カートリッジ５００、６００を装着する際には、カートリッジ５００，６００を装飾板４に載せ、下方向に押込んだ後にスライドさせればよい。下方向にカートリッジ５００、６００を押込む操作は横方向の押込むような操作と比較して安定して確実に行なえる。そのため、カートリッジ５００、６００の装着動作を安定して確実に行なうことができる。また、一般的にカートリッジ５００、６００を単にその長手方向にスライドさせてコネクタ６９に装着する場合には、カートリッジ５００、６００を取外すための機構が必要となる。しかし、本実施の形態のように上から押しこんだ後にスライドさせるようにする場合には、取外しのための機構は特に必要とならない。また、上からカートリッジ５００、６００をアダプタ１の内部に押し込む構成とすることで、カートリッジ５００、６００の使用時にはその天板５０６、６０６がアダプタ１の上面に露出する。従ってこの天板５０６、６０６の部分に種々の付加的な部品、例えばイメージセンサ（例えば撮像ユニット６０３）、又は追加カートリッジを接続するためコネクタ等を設けることが可能になる。その結果、カートリッジ５００、６００で実現可能なアプリケーションの範囲をさらに広げることができる。
【０４７１】
また上記した装飾板４が常にはアダプタ１の上面と面一となるように昇降機構５７により支持されるので、アダプタ１の外観が美観上好ましいものとなる。また装飾板４が昇降機構５７により上方向に付勢されるので、カートリッジ５００、６００をはずすためにカートリッジ５００、６００をスライドさせると、自動的にカートリッジ５００、６００と装飾板４とが押上げられる。それ故、カートリッジ５００、６００を取除くことが容易にできる。
【０４７２】
また、カートリッジ５００、６００をアダプタ１に装着するときのスライド方向は、アダプタ１のハウジングの前面を向いた方向である。ユーザは通常はアダプタ１の前面にいてカートリッジ５００、６００を装着することが想定されており、接続部５２４が前面を向くようにカートリッジ５００、６００を置くことで、カートリッジ５００、６００が正しい方向を向いていることをユーザが容易に確認できる。カートリッジ５００、６００の装着方向を誤る可能性が低くなる。
【０４７３】
また本実施の形態に係るアダプタ１では、カートリッジ５００、６００が装着されているとき、すなわち装飾板４が昇降機構５７により規制される位置にあるときには、カートリッジロック機構６１ａ、６１ｂのＣ字状部材１５９ａ、ｂの一端がカートリッジロック機構６１ａ、６１ｂにより、カートリッジ５００、６００側面のロック溝５６０ａ、ｂに進入する。Ｃ字状部材１５９ａ、ｂにより、カートリッジ５００、６００の上下方向の動きが規制される。そのため、カートリッジ５００，６００が昇降機構５７の付勢力により押上げられてしまうことが防止でき、所望でないときにカートリッジ５００、６００とアダプタ１との結合状態が解除される危険性が低くなる。また、ロック溝５６０ａ、ｂは、カートリッジ５００、６００が前後にスライドされる際には、Ｃ字状部材１５９ａ、ｂがカートリッジの移動を妨害しないような形状に形成されている。従って、通常のカートリッジ５００、６００の着脱が阻害されることはない。
【０４７４】
このロック溝５６０ａ、ｂをカートリッジ５００、６００の両側面に形成し、両側面においてＣ字状部材１５９ａ、ｂによりカートリッジ５００、６００を係止することで、確実にカートリッジ５００、６００をアダプタ１に装着しておくことができる。
【０４７５】
また、昇降機構５７を、昇降台５５と、昇降台５５を上方向に付勢する複数の部材によって構成することで、装飾板４の上下方向への動きを安定して支持しながら、装飾板４を上方向に付勢できる。
【０４７６】
昇降台５５を上方向に付勢する部材のうち、回動部材１５７の上端部を昇降台５５に対し回動可能に取付け、下端部をアダプタ１のハウジング底部に形成された軸支持部１１１に対し回動可能に取付けることで、昇降機構５７による装飾板４の支持を安定して行なうことができる。
【０４７７】
装飾板４の上にカートリッジ５００、６００を載せて下方向に押込むと、昇降台５５の高さは低くなり、アダプタ１のハウジングの底面に近づき、回動部材１５７がハウジング底面に当接した時点でそれより下方向には動かなくなる。下方向への力がなくなると、スプリング１４７による弾発力により回動部材１５７の上端部が上方向に動き、昇降台５５を押上げる。このようにして、装飾板４を安定に上方向に付勢しながら支持し、かつ装飾板４が下方向に押されると安定して装飾板４を支持しながらアダプタ１のハウジング底面に昇降台４が接する位置で装飾板４の移動を規制できる。
【０４７８】
さらに、本実施の形態のカートリッジ５００、６００をアダプタ１に装着すると、カートリッジ５００、６００の内部回路を覆うように設けられたシールド部材５０８のうち、嵌合凹部５３９の内部上面に取付けられた一部と、アダプタ１のコネクタ本体２０３の上面に固定されたシールド部材２０１の接点部２０７とが接触し、広い範囲での接続が実現される。この接続により、アダプタ１とカートリッジ５００、６００との間の電気的接続を安定したものとすることができ、信号の送受信において問題が生じることを防止できる。また、端子ｔ１、ｔ２、ｔ２２、及びｔ２４を介するラインのみでの接続では、カートリッジ５００、６００の接地電位とアダプタ１の接地電位（より安定な接地電位）との間で電位差が発生する場合があり、そうした場合にはカートリッジ５００、６００の接地電位が安定しない。カートリッジ５００、６００の接地電位が安定しないと、カートリッジ５００、６００とアダプタ１との間の信号の安定な送受信が阻害される可能性がある。また、カートリッジ５００、６００内部の回路の動作に伴って、シールド部材５０８自体の電位が変動し、シールド部材５０８からも電磁波が放射される可能性もある。カートリッジ５００、６００とアダプタ１のコネクタ６９との広い範囲での接続により、カートリッジ５００、６００の接地電位とアダプタ１の接地電位との間の電位差を極力小さくすること、すなわち、カートリッジ５００、６００の接地電位を安定させることが可能となり、上記弊害を防止できる。
【０４７９】
アダプタ１のコネクタ６９のシールド部材２０１は、カートリッジ５００、６００のシールド部材５０８のうち、嵌合凹部５３９の内部上面に取付けられた部分と接触することにより、下方に押される。コネクタ本体２０３の上面の低く形成された凹部１９８においてはコネクタ６９のシールド部材２０１が下方向に動くことができ、カートリッジ５００、６００のシールド部材５０８との強い接触により起こりうる物理的な障害を防止できる。
【０４８０】
さらに上記実施の形態に係るアダプタ１では、コネクタ６９の接点部２０７は、一端から他端との間の所定点でコネクタ本体２０３の上面から最も離れるような形状（つまり山状）に形成される。このような形状とすることで、コネクタ６９のシールド部材２０１は、接点部２０７においてカートリッジ５００、６００のシールド部材５０８と確実に接触できる。またこの接触によりコネクタ６９のシールド部材２０１の、接点部２０７より先の部分は下方向に移動することになるが、この場合もコネクタ本体２０３の上面の一部（凹部１９８）が低く形成されているため、コネクタ６９のシールド部材２０１に物理的な問題が生じることが防止できる。
【０４８１】
また、本実施の形態に係るカートリッジ５００、６００によれば、内部のメモリ５７７に格納されたデータ及びプログラムに従って高速プロセッサ５７５が生成した映像信号及び音声信号を、アダプタ１を介して外部装置に与えることができる。表示装置を持たないカートリッジ５００、６００により生成された信号を、外部装置、例えばテレビ受像機又は中継装置に与え、カートリッジ５００、６００内部で実行されているプログラムの結果を利用することができる。カートリッジ５００、６００内部にメモリ５７７とプログラムとが内蔵されており、かつカートリッジ５００、６００から出力される信号はテレビ受像機が利用可能な形式であるため、テレビ受像機の構成にかかわりなくカートリッジ５００、６００を利用できる。さらに、中継装置を利用する場合、カートリッジ５００、６００にメモリ５７７及び高速プロセッサ５７５が内蔵されているため、同じ中継装置でも全く異なった機能を実現できる。また、カートリッジ５００、６００に備えられた高速プロセッサ５７５の性能が向上すると、中継装置の構成にかかわりなく向上したコンピュータの機能を完全に利用できる。
【０４８２】
また、嵌合凹部５３９，６６９からカートリッジ５００、６００内部に塵埃が侵入することが塵埃侵入防止部材５１２により防止される。カートリッジ５００、６００内部にはメモリ５７７及び高速プロセッサ５７５等、塵埃に対し比較的影響を受けやすい部品が存在しているため、この部材５１２によりカートリッジ５００、６００が塵埃により故障を起こす危険性を低くすることができる。
【０４８３】
また、本実施の形態に係るカートリッジ５００によれば、ビス等、カートリッジ５００の美観を損なうような部品を使用せずに、天板５０６の上部から固定部材５１０の爪部５５０をハウジング５０２の挿入孔５４２にはめ込み、ハウジング５０２の縁に爪部５５０を引っ掛け、天板５０６をハウジング５０２に固定することができる。また、爪部５５０を引っ掛け、固定部材５１０をハウジング５０２に取付けてあるので、容易にこの固定部材５１０を取外すことができ、その結果天板５０６を取外すことも容易にできてカートリッジ５００のメンテナンスが容易になる。
【０４８４】
下側ハウジング５０４には、上側ハウジング５０２の縁に固定部材５１０の爪部５５０が引っ掛け固定された際に、当該爪部５５０を上側ハウジング５０２の縁から取外すためのスティックを挿入可能な孔５４６が形成されている。この孔５４６を通してとがった部材で爪部５５０を上側ハウジング５０２の縁から取外すことで、固定部材５１０及び天板５０６を容易にハウジング５０２から取外すことができる。
【０４８５】
また、本実施の形態のカートリッジ５００、６００によれば、予め円筒状凸部５３２を複数通りの基板又はシールド部材のサイズにあわせてハウジング５０２、５０４に形成してあるので、同じハウジング５０２，５０４を用いて異なる大きさの基板又はシールド部材等を用いた製品を製造することができる。その結果、製品ごとにハウジング５０２、５０４を作り直す必要がなく、製造工程を簡略化でき、あわせて製品の製造を早期に開始できる。
【０４８６】
さらに、本実施の形態に係るボーリングボール型入力装置９００によれば、所定の手の大きさに適合する複数の指孔９０６ａ、９０６ｂ、９０８ｂが形成されているため、例えば通常想定される大きさの手を持つ人であればその指孔９０６ａ、９０６ｂ、９０８ｂを用いてボーリングボールの転動動作を容易に行なうことができる。それに対し、その所定の手の大きさより小さな手を持つ人、例えば子供の場合には、上記した複数の指孔９０６ａ、９０６ｂ、９０８ｂの一部９０６ａ、９０６ｂと、追加の指孔９０８ａとを利用することで無理なくボーリングボールの転動動作を行なうことができる。そのため、手の大きさに応じて適切な指孔を用いることでボーリングゲームを楽しむことができる。
【０４８７】
また、本実施の形態に係るボーリングボール型入力装置９００によれば、外殻用上側ハウジング９０２の指孔９０６ａ、９０６ｂ先端の円筒状凸部９４５ａ、９４５ｂと、外殻用下側ハウジング９０４の固定用の円筒状凸部９４７ａ、９４７ｂとをビス９１２ａ、９１２ｂで固定することによって、内殻ハウジングを内部に保持した状態でボーリングボール型入力装置９００の外殻が形成される。ビス９１２ａ、９１２ｂは指孔９０６ａ、９０６ｂの底部に配置されるため、外部からはほとんど見ることができない。またそれ以外には少なくとも外殻の固定には固定具は使用されない。そのため、美観上優れたボーリングボール型入力装置９００を提供できる。
【０４８８】
この外殻用ハウジング９０２、９０４を透明にすることにより、内殻ハウジング９１４、９１６に設けた反射シート（例えば再帰反射シート等の再帰反射部材）等の光学的部品を外部から光により制御したりすることが可能になる。また外殻用ハウジング９０２、９０４を通して内殻ハウジング９１４、９１６を見ることもできるため、デザイン上面白い入力装置が得られる。再帰反射シートを内殻ハウジング９１４、９１６の外面に取付けることで、高速プロセッサ５７５はこのシートから反射してくる光によってこの入力装置９００の位置、速度、加速度等を知ることができ、それらをゲームに利用できる。また、ボーリングボール型入力装置９００そのものには特に電気回路等が必要とされないので、構成を簡略化できる。
【０４８９】
さらに、上記実施の形態に係るラケット型入力装置７００によれば、起動回路７７９及びＭＣＵ７６８により、加速度が検知されないときには加速度センサ回路７６６への矩形波信号の供給が停止されるのに対し、一旦加速度が検知されると加速度センサ回路７６６への矩形波信号の供給が開始され、加速度に関する情報の出力が可能になる。それ故、ラケット型入力装置７００の不使用時の電力消費量を少なくし、かつ操作されると直ちに動作状態に復帰できる入力装置７００を提供できる。
【０４９０】
また、本実施の形態に係るカートリッジ６００を用いて実現するボーリングゲームプログラムにおいては、フレームステータス信号が所定の値になると（図１０４のＳ２７２においてＹ）、１フレーム分のピクセルデータの取得が行なわれる。このステップＳ２７３からＳ２８１では、Ｙ座標を所定の初期値から最大値まで、所定の増分で変化させながら、各Ｙ座標で指定される１行分のピクセルデータが順次取得される。まず、ピクセルストローブ信号が所定の値となる（Ｓ２７４にてＹ）まで待機し、ピクセルストローブ信号が所定の値となったことに応答してＸ座標の値を初期化する（Ｓ２７５）。このときにはピクセルデータの格納は行なわれない。以後、Ｘ座標の値を最大値まで変化させながらピクセルデータを取得する（Ｓ２７６からＳ２７９）。１行分のピクセルデータの取得が終了する（Ｓ２７９にてＹ）とＹ座標の値を所定の増分でインクリメントする（Ｓ２８０）。この結果、Ｙ座標の値が最大値となれば（Ｓ２８１にてＹ）、順次取得するステップを終了する。最初にピクセルストローブ信号が所定の値となったとき（Ｓ２７４にてＹ）には、実際のピクセルデータが送られては来ないので、このピクセルストローブ信号がスキップされる。つまり、ピクセルストローブ信号が最初に所定の値となったときは（ステップＳ２７４で「Ｙ」）、ピクセルデータの取得を行わず、その次に所定の値になったときに（ステップＳ２９３で「Ｙ」）、ピクセルデータの取得を開始する。以後の繰返し処理（ステップＳ２７６）において実際にピクセルデータを格納する際には、最初に既にＸ座標の値が初期化されているので（ステップＳ２７５）、Ｘ座標の初期化を行なうことなくピクセルデータの格納が行なえる。従来は、１行分のピクセルデータの取得が終了した時点（Ｓ２７９にてＹ）で、かつ次の行の最初のピクセルストローブ信号が所定の値となる前にＸ座標の値を初期化しようとしていた。このような従来の手法では、Ｘ座標の値を初期化するために所定の時間が必要であるため、次の行の最初にピクセルストローブ信号が所定の値になったときに、それを検知することができないことがあった。その結果、各行の最初のピクセルデータの取込みに失敗することが多かった。本発明に係る方法では、１行分のピクセルデータの取得完了時（Ｓ２７９にてＹ）にはＸ座標の初期化をせず、次の行のピクセルデータの取得開始を指示するためにピクセルストローブ信号が所定の値になる（Ｓ２７４にてＹ）まで待ち、ピクセルストローブ信号が所定の値となったときにはじめてＸ座標の値を初期化する（Ｓ２７５）。そのため、ストローブ信号が所定の値となったことを見逃すことがなくなり、ピクセルデータの取込に失敗するおそれが少なくなる。
【０４９１】
なお、本発明は、上記の実施の形態に限られるものではなく、その要旨を逸脱しない範囲で種々の態様において実施することが可能であり、例えば、以下のような変形も可能である。
【０４９２】
（Ｍ）アダプタ及びカートリッジの変形例
【０４９３】
上記実施の形態で説明したアダプタ１及びカートリッジ５００、６００の機構は、あくまで一実施の形態であり、これ以外にも様々な変形が考えられる。図１０６に、変形例に係るアダプタ１０００を示す。図１０７（ａ）にはアダプタ１０００の側面図を、図１０７（ｂ）に背面図を、図１０７（ｃ）に底面図を、それぞれ示す。このアダプタ１０００は、図１に示すアダプタ１とほぼ同様な構成であるが、アダプタ１の構成に加えて、外部機器が接続可能な拡張コネクタを持つこと等、様々な点で異なった仕様を持つ。なお以下の図において、図１〜図１０５の実施の形態で説明したアダプタ１と同じ部品には同じ参照番号を付してある。それらの名称及び機能も同じである。従って、それらについての詳細な説明を繰返すことはしない。
【０４９４】
（ハウジングの構成）
【０４９５】
図１０６及び図１０７を参照して、このアダプタ１０００は、キャップ１００１によりカバー（図１０６のみに図示）された、ハウジングの側部に形成された拡張コネクタ１００３（図１０７のみに図示）と、この拡張コネクタ１００３のための内部回路（図１０６及び図１０７には図示せず）とを含む。また、図１０６及び図１０７に示すようにこのアダプタ１０００のハウジングには、内部の発熱を外部に逃がすための複数の開口１００２が形成されている。これら複数の開口１００２は、ほこり等の粉塵が内部に進入することを防ぐためハウジング内部からフェルトペーパで塞がれている。
【０４９６】
なお、このアダプタ１０００においては、図１０及び図１１に示した昇降機構５７のうち、特に図１１に示すような昇降台ロック機構５９を採用していない。すなわち、単に装飾板４（図１参照）を上方向に付勢する昇降機構のみを採用している。それは、部品を少なくすることによりコストを下げることができ、さらに故障も少なくできる可能性があるからである。もちろん、昇降台ロック機構５９を採用するか否かは様々な要件のトレードオフの結果決められる事項であり、その採否が設計思想に依存することはいうまでもない。
【０４９７】
（カートリッジの構成）
【０４９８】
ところで、昇降台ロック機構５９を採用しない場合には、図１に示す装飾板４を自由に上下させることができる。すなわち、カートリッジ５００が上下逆に装飾板４に乗せられたときでも昇降台が上下する。従ってユーザが誤ってカートリッジ５００を上下逆にアダプタ１０００に装着しようとすることもあり得る。この場合、カートリッジ５００が押込まれると昇降台５５によって図１０６にも示すＣ字状部材１５９の下端が押され、その結果その上端が開口部内側に突出してくる。しかしカートリッジ５００が上下逆だと、カートリッジ５００の側面の溝５６０（図１参照）の形状では、Ｃ字状部材１５９が突出してくる部分に溝が存在しないことになる。その結果、カートリッジ５００の側面のうち、溝５６０以外の部分がＣ字状部材１５９により両側から強く挟まれてカートリッジ５００が固定され、その結果昇降台５５も動くことができなくなり、カートリッジ５００がアダプタ１０００から取出せなくなるおそれがある。
【０４９９】
同様に、カートリッジ５００を前後逆にアダプタ１０００に装着しようとした場合にも、カートリッジ５００の側面のうち、溝５６０が存在していない部分がＣ字状部材１５９により両側から挟まれて固定され、昇降台５５が動かなくなりカートリッジ５００が取れなくなるおそれがある。
【０５００】
そこで、本実施の形態では、図１０８に示すカートリッジ１０１０及び１０２０のように、両側面前方にも、側面中央に立てた垂線に関して前述した溝５６０ｂと対称な位置に溝１０１２及び１０２２を設けるとともに、側面後方に図１に示す溝５６０ｂとは形状を変えた溝１０１４及び１０２４を形成している。溝１０１２及び１０２２は、仮にカートリッジ１０１０及び１０２０を前後逆にアダプタ１０００に装着しようとした場合、Ｃ字状部材１５９が溝１０１２及び１０２２に入り込むような位置及び形状に形成されている。またその上下方向の高さは、カートリッジ５００を正しい向きで挿入した場合だけでなく、上下逆に挿入した場合にもＣ字状部材１５９の上端が溝に入り込むような高さに形成されている。その結果、これらカートリッジを前後逆にアダプタ１０００に装着しようとしても、Ｃ字状部材１５９はこれら溝に入り込むのでカートリッジが固定されてしまうことはなく、昇降台５５が動かなくなることはなく、カートリッジがアダプタ１０００から取出せなくなるおそれもない。また、側面後方の溝１０１４及び１０２４は、図１に示すカートリッジ５００の溝５６０ｂの形状と類似しているが、溝１０１４及び１０２４のうち前方部分の上下方向の幅が図１に示すものより広く、溝１０１２及び１０２２と同様、カートリッジを上下逆に挿入したとしてもＣ字状部材１５９の上端が溝１０１４及び１０２４の中に入るような大きさに形成されている。その結果、仮にカートリッジが上下逆にアダプタ１０００に挿入されても、Ｃ字状部材１５９はこの溝１０１４及び１０２４に入り込むのでカートリッジが固定されて昇降台５５が動かなくなることはなく、アダプタ１０００から取外せなくなるおそれもない。溝１０１４及び１０２４の背面に近い部分は、より高さが小さな溝１０１５、１０２５を形成している。溝１０１５及び１０２５の高さは、Ｃ字状部材１５９の上端よりわずかに大きい程度に形成されている。
【０５０１】
また、カートリッジ１０１０、１０２０によれば、正しい方向でカートリッジ１０１０、１０２０を装着した場合、左右からカートリッジロック機構６１のＣ字状部材１５９の上端を溝１０１４、１０２４に進入させた後、前方向にカートリッジ１０１０、１０２０をスライドさせるとＣ字状部材１５９の上端が溝１０１５、１０２５内に進入し、カートリッジ１０１０、１０２０の上下方向への動きをしっかりと規制できる。この点は、既に述べたカートリッジ５００、６００の場合にも同様である。
【０５０２】
また、ハウジングの両側面の各々の、当該側面の中央に関し溝１０１４、１０２４と対称な位置には、それぞれカートリッジを所定位置に固定するためのＣ字状部材１５９の先端が挿入可能な溝１０１２、１０２２が形成されており、この溝１０１２、１０２２の高さ及び位置は、カートリッジ１０１０、１０２０が前後逆、又は上下逆の姿勢で所定位置に固定された場合にも、Ｃ字状部材１５９の先端が溝１０１２、１０２２の内部に進入するような位置に選ばれている。また、側面後方の溝１０１４及び１０２４は、図１に示すカートリッジ５００の溝５６０ｂの形状と類似しているが、溝１０１４及び１０２４のうち前方部分の上下方向の幅が図１に示すものより広く、溝１０１２及び１０２２と同様、カートリッジを上下逆に挿入したとしてもＣ字状部材１５９の上端が溝１０１４及び１０２４の中に入るような大きさに形成されている。この構成により、仮にカートリッジ１０１０、１０２０の上下、前後を誤ってアダプタ１０００に装着しても、Ｃ字状部材１５９が溝１０１２，１０１４，１０２２，１０２４以外の部分でカートリッジ１０１０、１０２０を保持してしまいカートリッジ１０１０、１０２０がアダプタ１０００から取り出せなくなることが防止できる。
【０５０３】
（電源スイッチ部）
【０５０４】
図１０９は、このアダプタ１０００内部の電源スイッチ部の構成を示す図解図である。図１０９を参照して、アダプタ１０００の電源スイッチ部は、図９に示すような構成に代えて、嵌合部１０３４が一端に形成され、他端が電源スイッチ９のキートップ４１に当接するように支持部１０３８等により支持された一本のロッド１０３２を含む。嵌合部１０３４には電源スイッチ本体５３の先端部が緩やかにはめ込まれる。電源スイッチ本体５３の先端部にはストッパ１０４０が形成されており、電源スイッチ本体５３とこのストッパ１０４０との間には、スプリング１０３６が嵌装されている。
【０５０５】
こうした構成により、キートップ４１は常にスプリング１０３６により図１０９における図示下方向に付勢されており、電源投入時にこのキートップ４１を図示上方向に押すことにより電源スイッチ本体５３のスイッチが押込まれ、ロッド１０３２は押込まれた位置で停止する。ユーザが電源をオフにするために再度キートップ４１を押すと、ロッド１０３２は自由に動くようになり、スプリング１０３６の反発力により再び図示下方向に移動して最初の状態に戻る。
【０５０６】
図９に示すような複数のアーム１７７，１７９，１８１を組合わせる場合と比較して、キートップ４１を押すときに必要なユーザの押込み量は大きくなる可能性があるが、簡単な構成で電源スイッチ９のプッシュ部を実現できる。
【０５０７】
（内部回路構成）
【０５０８】
図１１０に、アダプタ１０００の電気的構成を示す。このアダプタ１０００の電気的構成は図７８に示すアダプタ１の電気的構成と類似しているが、拡張コネクタ１００３のための拡張コネクタ周辺回路１０５０を含む点において図７８に示すものと異なっている。またこのアダプタ１０００は、図７８に示す内部電源電圧発生回路２６０に代えて、電源スイッチ９を経て電源回路２５０より電源電圧Ｖｃｃ０を受け、ラインｗ５０とｗ２２との上にそれぞれ接地電位ＧＮＤと電源電圧Ｖｃｃ１とを発生するためのスイッチングレギュレータ１０５８、スイッチングレギュレータ１０５８から与えられた接地電位ＧＮＤ及び電源電圧Ｖｃｃ１とからラインｗ２２、ｗ２３，ｗ２４及びｗ２５上にそれぞれ電源電圧Ｖｃｃ１、Ｖｃｃ２、Ｖｃｃ３及びＶｃｃ４を発生するための内部電源電圧発生回路１０５６とを含む。なお、スイッチングレギュレータ１０５８及び内部電源電圧発生回路１０５６は、内部電源電圧発生ユニットを構成する。アダプタ１０００はさらに、図７８に示すキーブロック２５４に代えて、拡張コネクタ周辺回路１０５０との接続をサポートしたキーブロック１０５２を含む。キーブロック１０５２と拡張コネクタ周辺回路１０５０との接続については後述する。
【０５０９】
またこのアダプタ１０００は、図７８に示すものと異なり、ラインｗ９、ｗ１２及びｗ１３を覆うことにより、これらラインから電磁波が外部に放射されることを防止するための円筒形のフェライト１０５４を含む。
【０５１０】
（スイッチングレギュレータの回路構成）
【０５１１】
図１１１に、図１１０に示したスイッチングレギュレータ１０５８の回路構成をその周辺の回路構成（スイッチ９及び電源回路２５０）とともに示す。図１１１を参照して、電源スイッチ９は、電源回路２５０に接続された接点１１０２と、いずれもスイッチングレギュレータ１０５８に接続された二つの接点１１００及び１１０４とを持つスイッチを含み、電源スイッチ９の操作に応じ、電源オンとなると接点１１００を接点１１０２に、電源オフとなると接点１１００を接点１１０４に、それぞれ接続するように構成されている。
【０５１２】
スイッチングレギュレータ１０５８は、接点１１００と接地電位との間に接続されたキャパシタ１０６０と、接点１１００と接点１１０４との間に接続された電圧平滑化用の電解コンデンサ１０６２と、ＰＮＰトランジスタ１０６６と、ＮＰＮトランジスタ１０７２及び１０８４とを含む。
【０５１３】
トランジスタ１０６６のエミッタは接点１１００、トランジスタ１０７２及び１０８４のエミッタはいずれも接地電位に、それぞれ接続されている。
【０５１４】
スイッチングレギュレータ１０５８はさらに、トランジスタ１０６６のエミッタとベースとの間に接続された抵抗１０６４と、トランジスタ１０６６のベースとトランジスタ１０７２のコレクタとの間に接続された抵抗１０７０と、接点１１０４とトランジスタ１０７２のベースとの間に接続された抵抗１０６８と、トランジスタ１０６６のコレクタとトランジスタ１０７２のベースとの間に接続されたキャパシタ１０７４と、トランジスタ１０６６のコレクタと接地電位との間に接続されたショットキーダイオード１０７８とを含む。
【０５１５】
スイッチングレギュレータ１０５８はさらに、トランジスタ１０６６のコレクタに接続された一端と出力ノード１０８１に接続された他端とを有するコイル１０７９と、出力ノード１０８１とトランジスタ１０８４のベースとの間に直列に接続されたダイオード１０８０及び抵抗１０８２と、出力ノード１０８１とトランジスタ１０８４のベースとの間に接続されたキャパシタ１０８６とを含む。
【０５１６】
スイッチングレギュレータ１０５８はさらに、出力ノード１０８１と接地電位との間に直列に接続された基準電圧Ｖｚを有するツェナーダイオード１０８８及び抵抗１０９０と、出力ノード１０８１と接地電位との間に接続された電解キャパシタ１０９２と、出力ノード１０８１と接地電位との間に接続されたキャパシタ１０９４と、出力ノード１０８１に一端が接続され、他端がラインｗ２２に接続されたノイズ除去用のコイル１０９６と、ラインｗ５０と接地電位との間に接続されたノイズ除去用のコイル１０９８とを含む。ツェナーダイオード１０８８と抵抗１０９０との接点は、さらにトランジスタ１０８４のベースに接続されている。
【０５１７】
ツェナーダイオード１０８８が発生する基準電圧Ｖｚ、トランジスタ１０８４のベース・エミッタ間電圧Ｖｂｅ、出力ノード１０８１上の出力電圧Ｖｃｃ１との間の関係は、Ｖｃｃ１＝Ｖｚ＋Ｖｂｅである。従って出力電圧Ｖｃｃ１が低下するとトランジスタ１０８４のベース・エミッタ間電圧Ｖｂｅが下がり、トランジスタ１０８４がオフする。このためトランジスタ１０７２がオンし、さらにトランジスタ１０６６がオンする。すると、トランジスタ１０６６を介して電源回路２５０からコイル１０７９に電流が流れ、出力ノード１０８１に電流が供給される。
【０５１８】
電源電圧Ｖｃｃ１が上昇すると、トランジスタ１０８４のベース・エミッタ間電圧Ｖｂｅが上がり、トランジスタ１０８４がオンする。このためトランジスタ１０７２がオフし、さらにトランジスタ１０６６がオフする。その結果、トランジスタ１０６６からの電流供給が停止する。これに応答して、コイル１０７９は、ショットキーダイオード１０７８により出力ノード１０８１に電流を供給する。以上のようにして、電源電圧Ｖｃｃ１が一定に保たれる。
【０５１９】
（拡張コネクタ周辺回路１０５０及びキーブロック１０５２の回路構成）
【０５２０】
図１１２は、図１１０に示す拡張コネクタ１００３、拡張コネクタ周辺回路１０５０、及びキーブロック１０５２の回路構成を示す回路ブロック図である。図１１２を参照して、拡張コネクタ１００３は第１の端子〜第９の端子（これらを以後ＴＥ〜１〜ＴＥ９と呼ぶ。）を有している。キーブロック１０５２は図８３に示すキーブロック２５４と類似した構成を有する。すなわち、キーブロック１０５２は、キャンセルキー１３、決定キー１５、方向キー１７ａ〜１７ｄ、抵抗３４１〜３４６、及び、シフトレジスタ３４０を含む。
【０５２１】
抵抗３４１及び決定キー１５、抵抗３４２及びキャンセルキー１３、抵抗３４３及び方向キー１７ａ、抵抗３４４及び方向キー１７ｂ、抵抗３４５及び方向キー１７ｃ、並びに抵抗３４６及び方向キー１７ｄは、いずれもこの順で電源電圧Ｖｃｃ２と接地電位との間に直列に接続されている。また抵抗３４１及び決定キー１５の接点、抵抗３４２及びキャンセルキー１３の接点、抵抗３４３及び方向キー１７ａの接点、抵抗３４４及び方向キー１７ｂの接点、抵抗３４５及び方向キー１７ｃの接点、並びに抵抗３４６及び方向キー１７ｄの接点はそれぞれ、シフトレジスタ３４０の端子Ｆ、Ｅ、Ｄ、Ｃ、Ｂ、Ａに接続されている。
【０５２２】
シフトレジスタ３４０の出力端子ＯＵＴは、ラインｗ３を介して端子Ｔ６に接続され、クロック入力端子ＣＬＫは、ラインｗ５に接続され、制御端子Ｐ／Ｓは、ラインｗ４に接続される。また、シフトレジスタ３４０の端子ＳＥＲはラインｗ５５に接続される。
【０５２３】
シフトレジスタ３４０は、端子Ａ〜Ｈに入力されたパラレル信号をシリアル信号に変換して、ラインｗ３に出力する。つまり、キー１５，１３，１７ａ〜１７ｄによるオン／オフ信号は、パラレル／シリアル変換されて、ラインｗ３に出力される。ここで、シフトレジスタ３４０の端子Ｇ，Ｈは、将来の拡張のためのものであり、２つの入力を追加できる。そして、追加できる入力は、アダプタ１０００の内部からのものであってもよいし、コネクタ６９又は拡張コネクタ１００３を介した外部からのものであってもよい。なお、クロック入力端子ＣＬＫには、ラインｗ５から動作クロックが入力され、また、制御端子Ｐ／Ｓには、ラインｗ４から制御信号が入力される。シフトレジスタ３４０は、この制御信号がＬレベルのときにはパラレルデータのロードを、Ｈレベルのときにはシリアルデータの出力を、それぞれ行なう。なお、端子ＳＥＲが接続されたラインｗ５５は、後述するように拡張コネクタ１００３に接続されており、拡張コネクタ１００３からのシリアルデータをシフトレジスタ３４０に与えることができる。本実施の形態では、拡張コネクタ１００３に接続される外部機器はシフトレジスタ３４０と同じシフトレジスタを含むものと想定している。外部機器のシフトレジスタはシフトレジスタ３４０と同様、８ビットのパラレル入力をシリアルデータに変換して出力できるので、そのシリアルデータをシフトレジスタ３４０の端子ＳＥＲに与えることを想定すると、シフトレジスタ３４０は合計１４ビットのシリアルデータをラインｗ３に供給できる。なお、外部機器のシフトレジスタはシフトレジスタ３４０と同じものでなくともよく、そのビット数も８ビットには制限されない。
【０５２４】
拡張コネクタ周辺回路１０５０は、拡張コネクタ１００３の端子ＴＥ１を接地電位に接続するライン１１２１と、端子ＴＥ９、ＴＥ２及びＴＥ８とラインｗ４、ｗ５１及びｗ５との間にそれぞれ接続された抵抗１１１０、１１１２及び１１１４と、端子ＴＥ３と電源電圧Ｖｃｃ１との間に接続された抵抗１１２２と、端子ＴＥ７、ＴＥ４及びＴＥ６とラインｗ５５、ｗ５２及びｗ５３との間にそれぞれ接続された抵抗１１１６、１１１８及び１１２０と、端子ＴＥ５と電源電圧Ｖｃｃ２との間に接続された抵抗１１２４とを含む。
【０５２５】
拡張コネクタ周辺回路１０５０はさらに、端子ＴＥ５と端子ＴＥ９との間に直列に接続された電解コンデンサ１１２６及びキャパシタ１１２８と、電解コンデンサ１１２６及びキャパシタ１１２８の接点と端子ＴＥ２との間に接続されたキャパシタ１１３０とを含む。電解コンデンサ１１２６及びキャパシタ１１２８との接点は接地されている。拡張コネクタ周辺回路１０５０はまた、端子ＴＥ８、ＴＥ７、ＴＥ４及びＴＥ６とライン１１２１との間にそれぞれ接続されたキャパシタ１１３２、１１３４、１１３６、及び１１３８をさらに含む。
【０５２６】
このように構成された拡張コネクタ周辺回路１０５０によれば、拡張コネクタ１００３に接続された外部機器に対して、端子ＴＥ３及びＴＥ５を通じて電源電圧Ｖｃｃ１及びＶｃｃ２を供給できる。また端子ＴＥ２、ＴＥ４及びＴＥ６を介して、外部機器に信号の入出力を行なうことができる。端子ＴＥ８を介して、シフトレジスタ３４０へのクロックと同じクロックを供給できる。端子ＴＥ９を介して、シフトレジスタ３４０への制御信号と同じ制御信号を供給できる。
【０５２７】
（内部電源電圧発生回路１０５６の回路構成）
【０５２８】
図１１３は、図１１０に示す内部電源電圧発生回路１０５６の回路構成を示す。図１１３を参照してこの内部電源電圧発生回路１０５６は、図８０に示す内部電源電圧発生回路２６０と比較して、レギュレータの数が一つ少ない。図１１３を参照して、この内部電源電圧発生回路１０５６は、３つのレギュレータ２７６、２８０及び１１６４と、電源電圧Ｖｃｃ１と接地電位との間に直列に接続された抵抗２９０及び電源ランプ（ＬＥＤ）１０と、電源電圧Ｖｃｃ１とレギュレータ２７６の入力との間に並列に接続された抵抗１１５０及び１１５２と、抵抗１１５０とレギュレータ２７６との接点と接地電位との間に接続された電解コンデンサ１１５４と、レギュレータ２７６の入力と接地電位との間に接続されたキャパシタ２７７とを含む。なおレギュレータ２７６には図示しないヒートシンクが取付けられる。レギュレータ２７６の出力は電源電圧Ｖｃｃ２となり、レギュレータ２８０の入力に接続されている。
【０５２９】
内部電源電圧発生回路１０５６はさらに、レギュレータ２７６の出力と接地電位との間にそれぞれ接続されたキャパシタ２７８及び２８１並びに電解コンデンサ２７９を含む。レギュレータ２８０の出力は電源電圧Ｖｃｃ３となる。内部電源電圧発生回路１０５６はさらに、レギュレータ２８０の出力と接地電位との間に並列に接続されたキャパシタ２８２及び電解コンデンサ２８３を含む。
【０５３０】
内部電源電圧発生回路１０５６はさらに、レギュレータ２７６の出力とレギュレータ１１６４との間に並列に接続された抵抗１１５６及び１１５８と、レギュレータ１１６４の入力と接地電位との間に並列に接続された電解コンデンサ１１６０及びキャパシタ１１６２とを含む。レギュレータ１１６４の出力は電源電圧Ｖｃｃ４となる。
【０５３１】
内部電源電圧発生回路１０５６はさらに、レギュレータ１１６４の出力と接地電位との間に直列に接続された抵抗１１６６及び１１６８と、レギュレータ１１６４の出力と接地電位との間に並列に接続されたキャパシタ２８６及び電解コンデンサ２８７とを含む。
【０５３２】
レギュレータ２７６及びレギュレータ２８０の接地端子は、ともに接地電位に接続されているが、レギュレータ１１６４の接地端子は、抵抗１１６６と抵抗１１６８との接点に接続されている。
【０５３３】
このように、本実施の形態の内部電源電圧発生回路１０５６で使用するレギュレータの数は、図８０に示す内部電源電圧発生回路２６０と比較して一つ少ない。そのため、装置のコストが低くなり、かつ装置の発熱を抑制できる。
【０５３４】
なお、図１１０において、拡張コネクタ周辺回路１０５０からのラインｗ５１、ｗ５２及びｗ５３は、コネクタ６９の端子Ｔ１３、Ｔ１４及びＴ５にそれぞれ接続される。キーブロック１０５２に接続されたラインｗ３、ｗ４及びｗ５は、図７８に示すものと同様、コネクタ６９の端子Ｔ６、Ｔ９及びＴ１０にそれぞれ接続される。
【０５３５】
（カートリッジ１０１０及び１０２０の電気的構成）
【０５３６】
カートリッジ１０１０及び１０２０の電気的構成は、それぞれ図８５に示すカートリッジ５００及び図８７に示すカートリッジ６００の電気的構成と類似しているが、端子ｔ５，ｔ１３及びｔ１４の接続が異なっている。つまり、端子ｔ５，ｔ１３及びｔ１４は、それぞれ高速プロセッサ５７５の対応するＩ／Ｏポートに接続される。
【０５３７】
（Ｎ）バット型入力装置の変形例
【０５３８】
図４５、図５３〜図５９に示すバット型入力装置８００では、各部を結合するためのビス等が外部に現れている（例えば図５３（ｂ）等を参照）。しかし、実際のバットではそのようなビスは存在しない。また美観上でもビスが見えるのは好ましくない。そこで、ビスが外から見えないような構成のバット型入力装置を実現できれば好ましい。図１１４〜図１２４に図示するバット型入力装置１２００は、ビスが外部からは見えないような構造を持つものである。
【０５３９】
図１１４及び図１１５を参照して、バット型入力装置１２００は、大きく分けて３つの部分、すなわちヘッド１２０２、キャップ１２１２、及びグリップ部１２１４からなる。ヘッド１２０２は通常のバットのヘッドと同様の形状を持つが、下部にＬＥＤ、ボタン等を備えたコントロール部１２１０を有している。コントロール部１２１０には、複数のＬＥＤ（図１１４には１個のみ図示）が設けられている。キャップ１２１２は中空であって、後述するようにその内部にコントロール部１２１０が嵌合するような形状に形成されている。その際、グリップ部１２１４をヘッド１２０２及びキャップ１２１２に係止するためのボタン１２２２がコントロール部１２１０表面の一箇所に設けられている。なお、後述するようにボタン１２２２を操作することにより、グリップ部１２１４をヘッド１２０２及びキャップ１２１２から分離することもできる。
【０５４０】
キャップ１２１２の所定位置には、コントロール部１２１０とキャップ１２１２との係合時にボタン１２２２の一部が露出される開口１２２６と、コントロール部１２１０のＬＥＤを露出させるための複数の開口１２２７と、図示しない操作スイッチ（図５３（ａ）の操作スイッチ８０６）を露出させるための開口（図示せず）とが形成されている。開口１２２６の大きさは、ボタン１２２２をバット型入力装置１２００の軸方向に沿って多少移動可能な大きさに選ばれている。ボタン１２２２が確実に開口１２２６の位置に来るようにキャップ１２１２をコントロール部１２１０に嵌合させるため、コントロール部１２１０の表面には凸部１２２０が形成され、キャップ１２１２の内部壁面には凸部１２２０にゆるく係合可能な凹部１２２８が形成されている。コントロール部１２１０の、凸部１２２０の先頭部分には切欠１２２４が形成され、キャップ１２１２内面の、コントロール部１２１０がキャップ１２１２内部に挿入されたときの切欠１２２４の位置には、切欠１２２４に嵌合する凸部１２６４が形成される。
【０５４１】
図１１６は、図１１４及び図１１５に示すボタン１２２２をコントロール部１２１０内部から見た図である。図ではボタン１２２２をその裏側から、周囲のコントロール部１２１０の内部構造とともに見ていることになる。図１１６を参照して、コントロール部１２１０内部には、コントロール部１２１０の軸方向と平行な一対の壁部材１２４１と、コントロール部１２１０の軸方向に直角なストッパ１２４３及び中央に間隙をあけて配置された一対の壁部材１２４５とが形成されている。一対の壁部材１２４１の間にボタン１２２２が図において上下方向にスライド可能に挿入される。ボタン１２２２とストッパ１２４３との間にスプリング１２４０が介挿され、その結果ボタン１２２２は図１１６における下方向に付勢される。コントロール部１２１０のボタン１２２２が取付けられる位置には、図示しない開口が設けられており、この開口にボタン１２２２の操作部１２５０（図１１８参照）が挿入される。前述したように常にボタン１２２２はストッパ１２４３によって図示下方向に付勢されており、その状態ではボタン１２２２の爪部１２４４が壁部材１２４５より下方に突出する。ボタン１２２２が上方向に移動すると爪部１２４４は壁部材１２４５より上に引込む。
【０５４２】
図１１７は、図１１６に示すボタン１２２２に固定具１２４６を取付け、ボタン１２２２がコントロール部１２１０から離脱しないようにした状態を示す。なお、固定具１２４６の、爪部１２４２に対応する位置には開口１２４７が形成されている。これは、後述するようにボタン１２２２の爪部１２４２が図１１７における紙面に垂直な方向に動くのを阻害しないようにするためである。すなわち、コントロール部１２１０をキャップ１２１２の内部に挿入し嵌合させる際には、ボタン１２２２がキャップ１２１２の内側によってコントロール部１２１０の内部に押込まれ、それに伴って爪部１２４２が紙面に垂直な方向に沿って手前に移動しようとする。このように開口１２４７を形成しておかないと、爪部１２４２が固定具１２４６に突き当たってしまうため、ボタン１２２２が十分コントロール部１２１０の内部に入らず、コントロール部１２１０をキャップ１２１０内部に嵌合させることができなくなる。従ってこのような開口１２４７を形成する必要がある。なお、コントロール部１２１０をキャップ１２１２の内部に嵌合させた後は、ボタン１２２を操作するのはグリップ部１２１４をヘッド１２０２及びキャップ１２１２から分離するときだけである。その場合には、ボタン１２２２を図１１７における上下方向にスライドさせる。固定具１２４６は爪部１２４２より手前の位置にあるため、ボタン１２２２をそのようにスライドさせても爪部１２４２が固定具１２４６に引っかかることはない。
【０５４３】
図１１８（ａ）はボタン１２２２の正面図であり、図１１８（ｂ）は左側面図である。図１１８を参照して、ボタン１２２２は、（ａ）においては紙面に垂直な方向、（ｂ）においては紙面左右方向にスライド可能な操作部１２５０を有する。操作部１２５０の内部にはスプリング１２５４が設けられており、その結果操作部１２５０は図１１８（ｂ）における図示右方向に付勢される。操作部１２５０の後端には前述した爪部１２４２が形成されており、この爪部１２４２がボタン１２２２の本体部分に係止されることにより、操作部１２５０がボタン１２２２の本体から離脱することが防止される。操作部１２５０は、図１１８（ａ）において紙面に垂直で奥に向かう方向に押込むことができる。この場合、図１１８（ｂ）においては操作部１２５０は紙面左方向に移動することになる。
【０５４４】
図１１９は、コントロール部１２１０をキャップ１２１２内部に挿入したときの、コントロール部１２１０及びキャップ１２１２の下端部の断面図である。図１１９を参照して、コントロール部１２１０の下端部には爪部１２６２が形成されている。一方、キャップ１２１２の下端部には段部１２６０が形成されている。コントロール部１２１０を図示上方からキャップ１２１２内部に挿入していくと、コントロール部１２１０及びキャップ１２１２はともにその材料が持つ弾力性により多少変形するので、最終的に爪部１２６２を段部１２６０に引っ掛けるようにしてコントロール部１２１０をキャップ１２１２の内部に嵌合させることができる。爪部１２６２が段部１２６０に引掛っているので、コントロール部１２１０をキャップ１２１２から取外すことは困難になる。
【０５４５】
なお、コントロール部１２１０がキャップ１２１２内部に完全に嵌合した状態では、キャップ１２１２内部に形成された凸部１２６４はコントロール部１２１０の下端に形成された切欠１２２４に嵌合する。その結果コントロール部１２１０がキャップ１２１２に対し回転することが防止される。
【０５４６】
上記構成により、コントロール部１２１０の凸部１２２０をガイドとしてキャップ１２１２の中空部に挿入し、凸部１２６４が切欠１２２４に嵌合するようにすれば、ボタン１２２２が開口１２２６から、ＬＥＤが開口１２２７から、それぞれ露出するような正確な位置でキャップ１２１２をコントロール部１２１０に取付けることができる。また、操作スイッチ８０６も対応する開口（図示せず）を介して露出されるので操作できる。
【０５４７】
図１２０は、キャップ１２１２とヘッド１２０２とを組合わせることにより形成されるヘッド部１２７０を下端方向から見た図である。なお図１２０において、バット型入力装置１２００は、ボタン１２２２が下方向を向くような姿勢に描かれている。図１２０を参照して、ヘッド部１２７０は、下端の開口から見える位置に形成された、内部回路のためのプラス端子１２８０及びマイナス端子１２８２を含む。コントロール部１２１０下端の開口部内側には、グリップ部１２１４のねじ部１２２９（図１２１〜図１２３参照）と係合するねじ部１２８４が形成されている（図１２４も参照）。ねじ部１２２９をコントロール部１２１０に形成されたねじ部１２８４にねじ込むことで、グリップ部１２１４をヘッド１２０２及びキャップ１２１２に取付けることができる。またコントロール部１２１０下端の４箇所には、外側に向かって開いた弓形の切欠１２８６が形成されている。この４箇所の切欠１２８６にキャップ１２１２の取外しのために用意された器具の先端を挿入し、これらを同時に内側に向かって押すことにより、コントロール部１２１０下端がその内側に向かって変形移動し、キャップ１２１２をコントロール部１２１０から取外すことができる。
【０５４８】
図１２１は、このヘッド部１２７０の下端の開口に取付けられるグリップ部１２１４を斜め上方から見た図である。図１２１を参照して、グリップ部１２１４の先端周囲にはねじ部１２２９が形成されている。グリップ部１２１４の先端の中心にはプラス端子１２９０が形成され、その周囲にはマイナス端子１２９２が形成されている。またグリップ部１２１４の先端部周縁の一部には前述のボタン１２２２の爪部１２４４（図１１８参照）と係合する切欠１２９４が形成されている。
【０５４９】
図１２２は、グリップ部１２１４をコントロール部１２１０内部に完全にねじ込む直前のボタン１２２２とグリップ部１２１４との位置の関係を示す図である。図１２２を参照して、ボタン１２２２は上下方向に移動可能である。図１２２に示すようにグリップ部１２１４がコントロール部１２１０に完全に取付けられる直前には、爪部１２４４の先端がグリップ部１２１４の先端に当接し、ボタン１２２２が上方向に移動している。
【０５５０】
図１２３は、グリップ部１２１４を完全にコントロール部１２１０にねじ込んだ状態を示す。図１２３に示すようにこの状態では、ボタン１２２２の爪部１２４４がグリップ部１２１４の上端の切欠１２９４にはまり込む。従ってこの状態では、グリップ部１２１４をねじってもグリップ部１２１４がコントロール部１２１０に対して動くことはなく、グリップ部１２１４とコントロール部１２１０とが一体化される。ボタン１２２２の操作部１２５０は、図１１４及び図１１５に示す開口１２２６を介して露出しており、かつ開口１２２６の大きさは操作部１２５０のスライドを許すような大きさに選ばれているので、操作部１２５０を図１２３における上方向にスライドさせることにより、グリップ部１２１４をコントロール部１２１０に対してねじり、取外すことができる。
【０５５１】
図１２４は、図１１４に示すコントロール部１２１０の内部の構造を示す。図１１４を参照して、コントロール部１２１０の内部に、基板８２４がバット型入力装置１２００の中心軸に垂直に取付けられる。そして、この基板８２４には、互いにコントロール部１２１０の軸周りに９０度の位置となるように４つのＬＥＤホルダ８２６が設けられ、それらに図１１４等に示すＬＥＤが取付けられている。
【０５５２】
コントロール部１２１０の内部にはさらに、図示しない加速度センサ（圧電素子）を挟持するホルダ８２８及び挟持板８３４が固定される。この場合、圧電素子がバット型入力装置１２００の中心軸に垂直になるように、ホルダ８２８がコントロール部１２１０に取付けられる。さらにコントロール部１２１０内部には、図示しない操作スイッチが取付けられた基板８２２が、バット型入力装置８００の中心軸に平行になるように固定される。
【０５５３】
また、プラス端子１２８０及びマイナス端子１２８２と、これら端子を図において下方向に付勢するとともに、上下方向に移動可能に保持するスプリングとこれらの電気的接続のための配線が形成された図示しない基板とが取付けられた部材１３００がコントロール部１２１０内部に取付けられる。この構成により、グリップ部１２１４がコントロール部１２１０に取付けられた状態では、プラス端子１２８０及びマイナス端子１２８２が図１２１に示すグリップ部１２１４のプラス端子１２９０及びマイナス端子１２９２に強く押付けられ、良好な接触を確保する。
【０５５４】
以上のような構成を持つバット型入力装置１２００の動作自体は、図５３〜図５９に示すものと同様である。ただしこのバット型入力装置１２００では、コントロール部１２１０を一体成型されたキャップ１２１２で覆うため，バット型入力装置１２００の表面にビス等が露出することがない。そのため、美観上も好ましく、また実際のバットによく似た形状となってゲームの興趣を盛り上げることができる。
【０５５５】
なお、上記した説明はバット型の入力装置について行なったが、コントロール部を、一体成型したカバーで覆うことによってビス等を露出させないという考え方は、これ以外の形状の入力装置に対して実施することもできる。例えば前述したラケット型、ボール型、又はボーリングボール型の入力装置等、どのような形の入力装置に対しても適用できる。
【０５５６】
上記実施の形態に係るバット型入力装置１２００によれば、キャップ１２１２をコントロール部１２１０にはめ込むと、コントロール部１２１０の組立てに用いられた複数個の固定具が外部から見えなくなる。またヘッド部１２７０とグリップ部１２１４との間の固定も外部から見えないねじ部１２２９、１２８４の係合による。従って、外部からはビス等の固定具が見えない、美観上優れたバット型入力装置１２００を提供できる。
【０５５７】
なお、本発明の実施の形態は上記したものには限定されず、次のような変形も可能である。
【０５５８】
（１）上記では、アダプタ１又は１０００を用いて、テレビジョン受像機１４を、テニス疑似体験システム、野球疑似体験システム、及び、ボーリング疑似体験システム、に適合させる例を挙げた。ただし、これらの例に限定されるものではなく、アダプタ１又は１０００を用いて、テレビジョン受像機１４をその他の種々の目的に適合させることができる。例えば、教育分野における種々の目的、エンターテイメント分野における種々の目的、健康分野における種々の目的、金融分野における種々の目的、医療分野における種々の目的、等様々な目的に適合させることができる。
【０５５９】
（２）図８５の高速プロセッサ５７５として、任意の種類のプロセッサを使用できるが、本件出願人が既に特許出願している高速プロセッサを用いることが好ましい。この高速プロセッサは、例えば、特開平１０−３０７７９０号公報及びこれに対応するアメリカ特許第６，０７０，２０５号に詳細に開示されている。
【０５６０】
今回開示された実施の形態は単に例示であって、本発明が上記した実施の形態のみに制限されるわけではない。
【０５６１】
（３）上記では、アダプタ１又は１０００は、アナログのテレビジョン受像機１４に接続可能な例を挙げた。ただし、本発明は、これらの例に限定されるものではなく、デジタルのテレビジョン受像機に接続可能なアダプタを構成することもできる。例えば、デジタルのテレビジョン受像機が、ＨＤＭＩ端子を有する場合を考えると、カートリッジから出力されたアナログビデオ信号とアナログ音声信号を、デジタルの原色信号(ＹＵＶ)とデジタルの音声信号（ＰＣＭ）に変換して、デジタルテレビジョン受像機のＨＤＭＩ端子へ出力する機能を持たせればよい。
【０５６２】
デジタルのテレビジョン受像機が、ＨＤＭＩ端子を持たず、ＩＥＥＥ１３９４端子のみを有する場合では、カートリッジから出力されたアナログビデオ信号とアナログ音声信号を、ＭＰＥＧ−ＴＳにエンコードしてデジタルテレビジョン受像機のＩＥＥＥ１３９４端子へ出力する機能を持たせればよい。この場合、アナログのテレビジョン受像機１４用のアダプタ１又は１０００で利用可能なカートリッジ５００、６００は、上記のようにデジタルテレビジョン受像機に接続可能に構成されたアダプタでも、そのまま利用可能である。
【０５６３】
しかしながら、アナログテレビジョン受像機を考慮せず、本発明をデジタルテレビジョン受像機に接続可能なアダプタとカートリッジとして構成する場合には、次のように設計することが自然である。すなわち、カートリッジは、デジタルとアナログの変換を行うことなく、デジタルの原色信号(ＹＵＶ)とデジタルの音声信号（ＰＣＭ）を生成出力する。これらのデジタル信号は、上記のアナログのテレビジョン受像機１４用のアダプタ１又は１０００が、カートリッジ５００、６００からのアナログ信号を転送するように、デジタルテレビジョン受像機用のアダプタを経て、ＨＤＭＩ端子を有するデジタルテレビジョン受像機へ転送される。
【０５６４】
本発明の範囲は、発明の詳細な説明の記載を参酌した上で、特許請求の範囲の各請求項によって示され、そこに記載された文言と均等の意味及び範囲内でのすべての変更を含む。
【図１】
2011101822.tif 000003
【図２】
2011101822.tif 000004
【図３】
2011101822.tif 000005
【図４】
2011101822.tif 000006
【図５】
2011101822.tif 000007
【図６】
2011101822.tif 000008
【図７】
2011101822.tif 000009
【図８】
2011101822.tif 000010
【図９】
2011101822.tif 000011
【図１０】
2011101822.tif 000012
【図１１】
2011101822.tif 000013
【図１２】
2011101822.tif 000014
【図１３】
2011101822.tif 000015
【図１４】
2011101822.tif 000016
【図１５】
2011101822.tif 000017
【図１６】
2011101822.tif 000018
【図１７】
2011101822.tif 000019
【図１８】
2011101822.tif 000020
【図１９】
2011101822.tif 000021
【図２０】
2011101822.tif 000022
【図２１】
2011101822.tif 000023
【図２２】
2011101822.tif 000024
【図２３】
2011101822.tif 000025
【図２４】
2011101822.tif 000026
【図２５】
2011101822.tif 000027
【図２６】
2011101822.tif 000028
【図２７】
2011101822.tif 000029
【図２８】
2011101822.tif 000030
【図２９】
2011101822.tif 000031
【図３０】
2011101822.tif 000032
【図３１】
2011101822.tif 000033
【図３２】
2011101822.tif 000034
【図３３】
2011101822.tif 000035
【図３４】
2011101822.tif 000036
【図３５】
2011101822.tif 000037
【図３６】
2011101822.tif 000038
【図３７】
2011101822.tif 000039
【図３８】
2011101822.tif 000040
【図３９】
2011101822.tif 000041
【図４０】
2011101822.tif 000042
【図４１】
2011101822.tif 000043
【図４２】
2011101822.tif 000044
【図４３】
2011101822.tif 000045
【図４４】
2011101822.tif 000046
【図４５】
2011101822.tif 000047
【図４６】
2011101822.tif 000048
【図４７】
2011101822.tif 000049
【図４８】
2011101822.tif 000050
【図４９】
2011101822.tif 000051
【図５０】
2011101822.tif 000052
【図５１】
2011101822.tif 000053
【図５２】
2011101822.tif 000054
【図５３】
2011101822.tif 000055
【図５４】
2011101822.tif 000056
【図５５】
2011101822.tif 000057
【図５６】
2011101822.tif 000058
【図５７】
2011101822.tif 000059
【図５８】
2011101822.tif 000060
【図５９】
2011101822.tif 000061
【図６０】
2011101822.tif 000062
【図６１】
2011101822.tif 000063
【図６２】
2011101822.tif 000064
【図６３】
2011101822.tif 000065
【図６４】
2011101822.tif 000066
【図６５】
2011101822.tif 000067
【図６６】
2011101822.tif 000068
【図６７】
2011101822.tif 000069
【図６８】
2011101822.tif 000070
【図６９】
2011101822.tif 000071
【図７０】
2011101822.tif 000072
【図７１】
2011101822.tif 000073
【図７２】
2011101822.tif 000074
【図７３】
2011101822.tif 000075
【図７４】
2011101822.tif 000076
【図７５】
2011101822.tif 000077
【図７６】
2011101822.tif 000078
【図７７】
2011101822.tif 000079
【図７８】
2011101822.tif 000080
【図７９】
2011101822.tif 000081
【図８０】
2011101822.tif 000082
【図８１】
2011101822.tif 000083
【図８２】
2011101822.tif 000084
【図８３】
2011101822.tif 000085
【図８４】
2011101822.tif 000086
【図８５】
2011101822.tif 000087
【図８６】
2011101822.tif 000088
【図８７】
2011101822.tif 000089
【図８８】
2011101822.tif 000090
【図８９】
2011101822.tif 000091
【図９０】
2011101822.tif 000092
【図９１】
2011101822.tif 000093
【図９２】
2011101822.tif 000094
【図９３】
2011101822.tif 000095
【図９４】
2011101822.tif 000096
【図９５】
2011101822.tif 000097
【図９６】
2011101822.tif 000098
【図９７】
2011101822.tif 000099
【図９８】
2011101822.tif 000100
【図９９】
2011101822.tif 000101
【図１００】
2011101822.tif 000102
【図１０１】
2011101822.tif 000103
【図１０２】
2011101822.tif 000104
【図１０３】
2011101822.tif 000105
【図１０４】
2011101822.tif 000106
【図１０５】
2011101822.tif 000107
【図１０６】
2011101822.tif 000108
【図１０７】
2011101822.tif 000109
【図１０８】
2011101822.tif 000110
【図１０９】
2011101822.tif 000111
【図１１０】
2011101822.tif 000112
【図１１１】
2011101822.tif 000113
【図１１２】
2011101822.tif 000114
【図１１３】
2011101822.tif 000115
【図１１４】
2011101822.tif 000116
【図１１５】
2011101822.tif 000117
【図１１６】
2011101822.tif 000118
【図１１７】
2011101822.tif 000119
【図１１８】
2011101822.tif 000120
【図１１９】
2011101822.tif 000121
【図１２０】
2011101822.tif 000122
【図１２１】
2011101822.tif 000123
【図１２２】
2011101822.tif 000124
【図１２３】
2011101822.tif 000125
【図１２４】
2011101822.tif 000126